(57)【特許請求の範囲】
【請求項１】
通信チャネルを介した送信のための、第１の通信プロトコルに準拠した物理層（ＰＨＹ）データユニットを生成する方法であって、
前記第１の通信プロトコルの距離延長モードに対応する距離延長符号化スキームに従って、前記ＰＨＹデータユニットのデータフィールドに対する複数の直交周波数分割多重（ＯＦＤＭ）シンボルを生成する段階と、
前記ＰＨＹデータユニットのプリアンブルを生成する段階と、
前記プリアンブルおよび前記データフィールドを含む前記ＰＨＹデータユニットを生成する段階と備え、
前記プリアンブルは、ｉ）前記ＰＨＹデータユニットの持続時間を示す第１の部分、およびｉｉ）前記データフィールドの少なくともいくつかのＯＦＤＭシンボルが前記距離延長符号化スキームに従って生成されるか否かを示す第２の部分を含み、
前記プリアンブルの前記第１の部分は、前記プリアンブルの前記第１の部分に基づいて前記ＰＨＹデータユニットの前記持続時間を判断するべく、第２の通信プロトコルに準拠し、前記第１の通信プロトコルには準拠しないレシーバデバイスにより、前記プリアンブルの前記第１の部分がデコード可能になるようにフォーマットされる、方法。
【請求項２】
前記プリアンブルは、前記ＰＨＹデータユニットの持続時間を示すレガシ信号フィールドと、前記レガシ信号フィールドの複製とを含むよう生成される、請求項１に記載の方法。
【請求項３】
前記プリアンブルは、高効率Ｗｉ−Ｆｉ（ＨＥＷ）信号フィールドと、前記ＨＥＷ信号フィールドの反復とをさらに含むよう生成される、請求項１または２に記載の方法。
【請求項４】
前記ＨＥＷ信号フィールドと、前記ＨＥＷ信号フィールドの前記反復とは、
前記データフィールドの少なくともいくつかのＯＦＤＭシンボルが前記距離延長符号化スキームに従って生成されるかを示すようフォーマットされる、請求項３に記載の方法。
【請求項５】
前記距離延長符号化スキームに従って、前記ＰＨＹデータユニットの前記データフィールドに対する前記複数のＯＦＤＭシンボルを生成する段階は、
前方誤り訂正（ＦＥＣ）エンコーダを用いて、前記ＰＨＹデータユニットの前記データフィールドに含まれるべき複数の情報ビットをエンコードして、複数のエンコード済みビットを得る段階と、
前記複数のエンコード済みビットを複数のコンスタレーションシンボルにマッピングする段階と、
前記複数のコンスタレーションシンボルを含む前記複数のＯＦＤＭシンボルを生成する段階とを有し、
前記方法は、
ｉ）ブロック符号化スキームに従って前記複数の情報ビットをエンコードする段階と、
ｉｉ）前記ブロック符号化スキームに従って前記複数のエンコード済みビットをエンコードする段階と、
ｉｉｉ）前記ブロック符号化スキームに従って前記複数のコンスタレーションシンボルをエンコードする段階とのうち１つを実行する段階を更に備える、請求項１から４のいずれか１項に記載の方法。
【請求項６】
前記距離延長符号化スキームに従って、前記ＰＨＹデータユニットの前記データフィールドに対する前記複数のＯＦＤＭシンボルを生成する段階は、
チャネル帯域幅の第１の帯域幅部分における複数のコンスタレーションシンボルと、前記チャネル帯域幅の第２の帯域幅部分における前記複数のコンスタレーションシンボルのコピーとを含む前記複数のＯＦＤＭシンボルを前記データフィールドに対して生成する段階を有し、
前記第１の帯域幅部分および前記第２の帯域幅部分は、同一の帯域幅を有する、請求項１から５のいずれか１項に記載の方法。
【請求項７】
前記複数のＯＦＤＭシンボルを生成する段階は、予め定められた位相変位を含む前記複数のコンスタレーションシンボルの前記コピーを生成する段階を有する、請求項６に記載の方法。
【請求項８】
前記プリアンブルの前記第１の部分は、ｉ）前記第２の通信プロトコルに準拠するレガシショートトレーニングフィールドと、ｉｉ）非レガシロングトレーニングフィールドと、ｉｉｉ）前記第２の通信プロトコルに準拠するレガシ信号フィールドとを含み、
前記プリアンブルの前記第２の部分は、トレーニングフィールドを含まず、
前記方法は、
前記第２の通信プロトコルに準拠するレガシトーンプランを用いて、前記レガシショートトレーニングフィールドに対する第１の複数のコンスタレーションシンボルを生成する段階と、
非レガシトーンプランを用いて、前記非レガシロングトレーニングフィールドに対する第２の複数のコンスタレーションシンボルを生成する段階とを更に備え、
前記データフィールドに対する前記複数のＯＦＤＭシンボルを生成する段階は、前記非レガシトーンプランを用いて第３の複数のコンスタレーションシンボルを生成する段階を有する、請求項１〜７のいずれか１項に記載の方法。
【請求項９】
前記プリアンブルを生成する段階は、
前記第２の通信プロトコルに準拠するノーマルガードインターバルを用いて、レガシプリアンブルとしての前記プリアンブルの前記第１の部分に対する複数のＯＦＤＭシンボルを生成する段階と、
ロングガードインターバルを用いて、前記プリアンブルの前記第２の部分に対する複数のＯＦＤＭシンボルを生成する段階とを有する、請求項１〜８のいずれか１項に記載の方法。
【請求項１０】
前記プリアンブルの前記第２の部分に対する前記複数のＯＦＤＭシンボルを生成する段階は、
前記ノーマルガードインターバルを用いて、非レガシ信号フィールドおよび非レガシショートトレーニングフィールドに対する複数のＯＦＤＭシンボルを生成する段階と、
前記ロングガードインターバルを用いて、非レガシロングトレーニングフィールドに対する複数のＯＦＤＭシンボルを生成する段階とを有する、請求項９に記載の方法。
【請求項１１】
前記プリアンブルの前記第２の部分に対する複数のＯＦＤＭシンボルを生成する段階は、
前記ノーマルガードインターバルを用いてレガシ信号フィールドに対する複数のＯＦＤＭシンボルを生成する段階と、
前記ロングガードインターバルを用いて非レガシ信号フィールドに対する複数のＯＦＤＭシンボルを生成する段階とを有する、請求項９または１０に記載の方法。
【請求項１２】
前記プリアンブルの前記第２の部分は、前記第１の通信プロトコルに準拠する複数のレシーバデバイスによりデコード可能であり、
前記プリアンブルの前記第２の部分の前記ロングガードインターバルは、前記第１の通信プロトコルに準拠する前記複数のレシーバデバイスに、前記ＰＨＹデータユニットが前記距離延長モードに準拠することをシグナリングする、請求項９〜１１のいずれか１項に記載の方法。
【請求項１３】
前記プリアンブルの前記第２の部分に対する複数のＯＦＤＭシンボルを生成する段階は、
前記ロングガードインターバルを用いて、ｉ）非レガシ信号フィールドと、ｉｉ）前記非レガシ信号フィールドに対する第１のＯＦＤＭシンボルのコピーとに対する複数のＯＦＤＭシンボルを生成する段階を有する、請求項９〜１２のいずれか１項に記載の方法。
【請求項１４】
前記プリアンブルの前記第２の部分に対する複数のＯＦＤＭシンボルを生成する段階は、
ｉ）ダブルガードインターバルと、ｉｉ）前記データフィールドに対する第１のＯＦＤＭシンボルと、ｉｉｉ）前記第１のＯＦＤＭシンボルのコピーである前記データフィールドに対する第２のＯＦＤＭシンボルとを含む前記プリアンブルの前記第２の部分における複数のフィールドの各フィールドに対して、複数のＯＦＤＭシンボルを生成する段階を有する、請求項９〜１３のいずれか１項に記載の方法。
【請求項１５】
前記距離延長モードに従って前記ＰＨＹデータユニットの前記データフィールドに対する前記複数のＯＦＤＭシンボルを生成する段階は、第１のトーンの間隔およびロングガードインターバルを用いて、前記データフィールドに対する前記複数のＯＦＤＭシンボルを生成する段階を有し、
前記プリアンブルを生成する段階は、ｉ）前記第１のトーンの間隔とは異なる第２のトーンの間隔、およびｉｉ）標準ガードインターバルを用いて、前記プリアンブルの前記第１の部分に対する複数のＯＦＤＭシンボルを生成する段階を有する、請求項１〜１４のいずれか１項に記載の方法。
【請求項１６】
前記プリアンブルの前記第１の部分における前記第２のトーンの間隔は、ｉ）前記第２の通信プロトコルに準拠するレガシトーンの間隔であると共に、ｉｉ）前記データフィールドの前記第１のトーンの間隔の整数倍であり、
前記標準ガードインターバルは、前記第２の通信プロトコルに準拠するレガシガードインターバルである、請求項１５に記載の方法。
【請求項１７】
前記プリアンブルを生成する段階は、ｉ）前記レガシトーンの間隔および前記レガシガードインターバルを用いる少なくとも第１のＯＦＤＭシンボルと、ｉｉ）前記第１のトーンの間隔および前記ロングガードインターバルを用いる少なくとも第２のＯＦＤＭシンボルとを含む前記プリアンブルの前記第２の部分に対する複数のＯＦＤＭシンボルを生成する段階を有する、請求項１６に記載の方法。
【請求項１８】
前記プリアンブルを生成する段階は、
前記プリアンブルの前記第２の部分に対する前記複数のＯＦＤＭシンボルを生成する段階を有し、前記段階は、
前記レガシトーンの間隔および前記レガシガードインターバルを用いて、非レガシ信号フィールドおよび非レガシショートトレーニングフィールドを生成する段階と、
前記第１のトーンの間隔および前記ロングガードインターバルを用いて非レガシロングトレーニングフィールドを生成する段階とを含む、請求項１６または１７に記載の方法。
【請求項１９】
前記第１のトーンの間隔を用いて前記データフィールドに対する前記複数のＯＦＤＭシンボルを生成する段階は、
チャネル帯域幅の第１の帯域幅部分における複数のコンスタレーションシンボルと、前記チャネル帯域幅の第２の帯域幅部分における前記複数のコンスタレーションシンボルのコピーとを含む前記複数のＯＦＤＭシンボルを前記データフィールドに対して生成する段階を有し、
前記第１の帯域幅部分および前記第２の帯域幅部分は、同一の帯域幅を有する、請求項１５に記載の方法。
【請求項２０】
前記データフィールドに対する前記複数のＯＦＤＭシンボルを生成する段階は、予め定められた位相変位を含む前記複数のコンスタレーションシンボルの前記コピーを生成する段階を有する、請求項１９に記載の方法。
【請求項２１】
前記データフィールドに対する前記複数のＯＦＤＭシンボルを生成する段階は、前記第１のトーンの間隔、前記ロングガードインターバルおよびロングシンボルの持続時間を用いて、前記データフィールドに対する前記ＯＦＤＭシンボルを生成する段階を有し、
前記プリアンブルの前記第１の部分に対する前記複数のＯＦＤＭシンボルを生成する段階は、前記第２のトーンの間隔、前記標準ガードインターバルおよび標準シンボルの持続時間を用いて、前記プリアンブルの前記第１の部分に対する複数のＯＦＤＭシンボルを生成する段階を有する、請求項１５に記載の方法。
【請求項２２】
前記プリアンブルの前記第１の部分における前記第２のトーンの間隔は、ｉ）レガシトーンの間隔であると共に、ｉｉ）前記データフィールドの前記第１のトーンの間隔の整数ｎの倍であり、
前記標準ガードインターバルは、レガシガードインターバルであり、
前記ロングシンボルの持続時間は、前記標準シンボルの持続時間の整数ｎの倍である、請求項２１に記載の方法。
【請求項２３】
前記距離延長モードに従って前記ＰＨＹデータユニットの前記データフィールドに対する前記複数のＯＦＤＭシンボルを生成する段階は、
前記第２の通信プロトコルに準拠しない非レガシトーンの間隔および非レガシトーンプランを用いて、前記データフィールドに対する前記複数のＯＦＤＭシンボルを生成する段階を有し、
前記プリアンブルを生成する段階は、前記非レガシトーンの間隔とは異なる第２のトーンの間隔、および前記非レガシトーンプランとは異なるレガシトーンプランを用いて、前記プリアンブルの前記第１の部分に対する複数のＯＦＤＭシンボルを生成する段階を有する、請求項１〜２２のいずれか１項に記載の方法。
【請求項２４】
前記非レガシトーンプランは、直流トーンに近似する前記レガシトーンプランの対応するデータトーンの代わりに少なくとも１つのガードトーンを含む、請求項２３に記載の方法。
【請求項２５】
前記非レガシトーンプランは、前記非レガシトーンプランおよび前記レガシトーンプランが同一の数のデータトーンを有するように、前記レガシトーンプランの対応するガードトーンの代わりに少なくとも１つのデータトーンを含む、請求項２４に記載の方法。
【請求項２６】
物理層（ＰＨＹ）データユニットが準拠する第１の通信プロトコルの距離延長モードに対応する距離延長符号化スキームに従って、前記ＰＨＹデータユニットのデータフィールドに対する複数の直交周波数分割多重（ＯＦＤＭ）シンボルを生成し、
前記ＰＨＹデータユニットのプリアンブルを生成し、
前記プリアンブルおよび前記データフィールドを含む前記ＰＨＹデータユニットを生成する、１または複数の集積回路を有するネットワークインターフェースデバイスを備え、
前記プリアンブルは、ｉ）前記ＰＨＹデータユニットの持続時間を示す第１の部分、およびｉｉ）前記データフィールドの少なくともいくつかのＯＦＤＭシンボルが前記距離延長符号化スキームに従って生成されるか否かを示す第２の部分を含み、
前記プリアンブルの前記第１の部分は、前記プリアンブルの前記第１の部分に基づいて前記ＰＨＹデータユニットの前記持続時間を判断するべく、第２の通信プロトコルに準拠し、前記第１の通信プロトコルには準拠しないレシーバデバイスにより前記プリアンブルの前記第１の部分がデコード可能になるようにフォーマットされる、装置。
【請求項２７】
前記１または複数の集積回路は、前記ＰＨＹデータユニットの持続時間を示すレガシ信号フィールドと、前記レガシ信号フィールドの複製とを含むよう前記プリアンブルを生成する、請求項２６に記載の装置。
【請求項２８】
前記１または複数の集積回路は、高効率Ｗｉ−Ｆｉ（ＨＥＷ）信号フィールドと、前記ＨＥＷ信号フィールドの反復とをさらに含むよう前記プリアンブルを生成する、請求項２６または２７に記載の装置。
【請求項２９】
前記ＨＥＷ信号フィールドと、前記ＨＥＷ信号フィールドの前記反復とは、
前記データフィールドの少なくともいくつかのＯＦＤＭシンボルが前記距離延長符号化スキームに従って生成されるかを示すようフォーマットされる、請求項２８に記載の装置。
【請求項３０】
前記１または複数の集積回路は、
ｉ）チャネル帯域幅の第１の帯域幅部分における複数のコンスタレーションシンボルと、ｉｉ）前記チャネル帯域幅の第２の帯域幅部分における前記複数のコンスタレーションシンボルのコピーとを含む前記複数のＯＦＤＭシンボルを前記データフィールドに対して生成し、
前記第１の帯域幅部分および前記第２の帯域幅部分は、同一の帯域幅を有する、請求項２６に記載の装置。
【請求項３１】
前記データフィールドに対する前記複数のＯＦＤＭシンボルは、第１の複数のＯＦＤＭシンボルを含み、
前記１または複数の集積回路は、
ｉ）前記第１の通信プロトコルに準拠するショートトレーニングフィールドと、ｉｉ）前記ショートトレーニングフィールドの少なくとも１つのコピーとに対する第２の複数のＯＦＤＭシンボルを生成することと、
ｉ）前記第１の通信プロトコルに準拠するロングトレーニングフィールドと、ｉｉ）前記ロングトレーニングフィールドの少なくとも１つのコピーとに対する第３の複数のＯＦＤＭシンボルを生成することを含めて、前記プリアンブルの前記第２の部分を生成し、
前記第１の複数のＯＦＤＭシンボル、前記第２の複数のＯＦＤＭシンボルおよび前記第３の複数のＯＦＤＭシンボルは、前記プリアンブルの前記第１の部分に対するトーンプランとは別個の同一のトーンプランを有する、請求項３０に記載の装置。
【請求項３２】
前記１または複数の集積回路は、前記ネットワークインターフェースデバイスに、前記データフィールドと比較して、送信パワーブーストを用いて、前記プリアンブルの少なくとも前記第１の部分を送信させて、前記プリアンブルの前記第１の部分のデコード範囲を増大させる、請求項２６から３１のいずれか１項に記載の装置。
【請求項３３】
前記１または複数の集積回路は、
前記第２の通信プロトコルに従って前記プリアンブルの前記第１の部分における第１の信号フィールドを生成し、
前記第１の信号フィールドのコピーとして、前記プリアンブルの前記第２の部分における第２の信号フィールドを生成して、前記データフィールドの少なくともいくつかのＯＦＤＭシンボルが前記距離延長モードに従って生成されることを示す、請求項２６〜３２のいずれか１項に記載の装置。
【請求項３４】
前記プリアンブルの前記第１の部分は、ｉ）前記第２の通信プロトコルに準拠するレガシショートトレーニングフィールドと、ｉｉ）非レガシロングトレーニングフィールドと、ｉｉｉ）前記第２の通信プロトコルに準拠するレガシ信号フィールドとを含み、
前記プリアンブルの前記第２の部分は、トレーニングフィールドを含まず、
前記１または複数の集積回路は、
前記第２の通信プロトコルに準拠するレガシトーンプランを用いて、前記レガシショートトレーニングフィールドに対する第１の複数のコンスタレーションシンボルを生成し、
非レガシトーンプランを用いて、前記非レガシロングトレーニングフィールドに対する第２の複数のコンスタレーションシンボルを生成し、
前記データフィールドに対する前記ＯＦＤＭシンボルを生成することの一部として、前記非レガシトーンプランを用いて第３の複数のコンスタレーションシンボルを生成する、請求項２６〜３３のいずれか１項に記載の装置。
【請求項３５】
前記プリアンブルを生成することは、
前記第２の通信プロトコルに準拠するノーマルガードインターバルを用いて、レガシプリアンブルとしての前記プリアンブルの前記第１の部分に対する複数のＯＦＤＭシンボルを生成することと、
ロングガードインターバルを用いて、前記プリアンブルの前記第２の部分に対する複数のＯＦＤＭシンボルを生成することとを含む、請求項２６〜３４のいずれか１項に記載の装置。
【請求項３６】
前記１または複数の集積回路は、
第１のトーンの間隔およびロングガードインターバルを用いて、前記データフィールドに対する前記複数のＯＦＤＭシンボルを生成し、
ｉ）前記第１のトーンの間隔とは異なる第２のトーンの間隔およびｉｉ）標準ガードインターバルを用いて、前記プリアンブルの前記第１の部分に対する複数のＯＦＤＭシンボルを生成する、請求項２６〜３５のいずれか１項に記載の装置。
【請求項３７】
前記１または複数の集積回路は、
前記第２の通信プロトコルに準拠しない非レガシトーンの間隔および非レガシトーンプランを用いて、前記データフィールドに対する前記複数のＯＦＤＭシンボルを生成し、
前記非レガシトーンの間隔とは異なる第２のトーンの間隔、および前記非レガシトーンプランとは異なるレガシトーンプランを用いて、前記プリアンブルの前記第１の部分に対する複数のＯＦＤＭシンボルを生成する、請求項２６〜３６のいずれか１項に記載の装置。
【発明の詳細な説明】
【技術分野】
【０００１】
［関連出願の相互参照］
本開示は、２０１３年１０月２５日出願の「Ｒａｎｇｅ  Ｅｘｔｅｎｓｉｏｎ  ＰＨＹ」という名称の米国仮特許出願第６１／８９５，５９１号、２０１４年１月９日に出願の「Ｒａｎｇｅ  Ｅｘｔｅｎｓｉｏｎ  ＰＨＹ」という名称の米国仮特許出願第６１／９２５，３３２号、および２０１４年３月１０日に出願の「Ｒａｎｇｅ  Ｅｘｔｅｎｓｉｏｎ  ＰＨＹ」という名称の米国仮特許出願第６１／９５０，７２７号、および２０１４年５月２日に出願の「Ｒａｎｇｅ  Ｅｘｔｅｎｓｉｏｎ  ＰＨＹ」という名称の米国仮特許出願第６１／９８７，７７８号の利益を主張し、これらの各々の開示はその全体が、参照により本明細書に組み込まれる。
【０００２】
本開示は、概ね通信ネットワークに関し、より具体的には距離延長モードを使用する無線ローカルエリアネットワークに関する。
【背景技術】
【０００３】
通常、あるインフラストラクチャのモードで動作する場合、無線ローカルエリアネットワーク（ＷＬＡＮ）は、アクセスポイント（ＡＰ）および１または複数のクライアント局を含む。ＷＬＡＮは、過去十年で急速に進化した。米国電気電子学会（ＩＥＥＥ）８０２．１１ａ、８０２．１１ｂ、８０２．１１ｇおよび８０２．１１ｎ規格等のＷＬＡＮ規格の発展により、シングルユーザピークデータスループットは、改善されてきている。例えば、ＩＥＥＥ８０２．１１ｂ規格は１１メガビット／秒（Ｍｂｐｓ）のシングルユーザピークスループットを指定し、ＩＥＥＥ８０２．１１ａおよび８０２．１１ｇ規格は、５４Ｍｂｐｓのシングルユーザピークスループットを指定し、ＩＥＥＥ８０２．１１ｎ規格は、６００Ｍｂｐｓのシングルユーザピークスループットを指定し、ＩＥＥＥ８０２．１１ａｃ規格は、ギガビット／秒（Ｇｂｐｓ）範囲のシングルユーザピークスループットを指定する。将来的な規格は、数十Ｇｂｐｓの範囲のスループット等、より大きいスループットを提供することを保証する。
【発明の概要】
【０００４】
一実施形態において、通信チャネルを介した送信のために、第１の通信プロトコルに準拠した物理層（ＰＨＹ）データユニットを生成する方法は、第１の通信プロトコルの距離延長モードに対応する距離延長符号化スキームに従って、ＰＨＹデータユニットのデータフィールドに対する複数の直交周波数分割多重（ＯＦＤＭ）シンボルを生成する段階を備える。方法は、ＰＨＹデータユニットのプリアンブルを生成する段階も備え、プリアンブルは、ｉ）ＰＨＹデータユニットの持続時間を示す第１の部分、およびｉｉ）データフィールドの少なくともいくつかのＯＦＤＭシンボルが距離延長符号化スキームに従って生成されるか否かを示す第２の部分を含み、プリアンブルの第１の部分は、プリアンブルの第１の部分に基づいてＰＨＹデータユニットの持続時間を判断するべく、第２の通信プロトコルに準拠し、第１の通信プロトコルに準拠しないレシーバデバイスによりプリアンブルの第１の部分がデコード可能になるようにフォーマットされる。方法は、プリアンブルおよびデータフィールドを含むＰＨＹデータユニットを生成する段階も備える。
【０００５】
別の実施形態において、装置は、１または複数の集積回路を有するネットワークデバイスを備える。複数の集積回路は、物理層（ＰＨＹ）データユニットが準拠する、第１の通信プロトコルの距離延長モードに対応する距離延長符号化スキームに従って、ＰＨＹデータユニットのデータフィールドに対する複数の直交周波数分割多重（ＯＦＤＭ）シンボルを生成するように構成される。また、複数の集積回路は、ＰＨＹデータユニットのプリアンブルを生成するように構成され、プリアンブルは、ｉ）ＰＨＹデータユニットの持続時間を示す第１の部分、およびｉｉ）データフィールドの少なくともいくつかのＯＦＤＭシンボルが距離延長符号化スキームに従って生成されるか否かを示す第２の部分を含み、プリアンブルの第１の部分は、プリアンブルの第１の部分に基づいてＰＨＹデータユニットの持続時間を判断するべく、第２の通信プロトコルに準拠し、第１の通信プロトコルに準拠しないレシーバデバイスによりプリアンブルの第１の部分がデコード可能になるようにフォーマットされる。また、複数の集積回路は、プリアンブルおよびデータフィールドを含むＰＨＹデータユニットを生成するように構成される。
【０００６】
なおも別の実施形態において、通信チャネルを介した送信のために、第１の通信プロトコルに準拠する物理層（ＰＨＹ）データユニットを生成する方法は、ＰＨＹデータユニットに含まれるべきプリアンブルの第１のフィールドに対する第１の複数の直交周波数分割多重（ＯＦＤＭ）シンボルを生成する段階を備える。第１の複数のＯＦＤＭシンボルの各ＯＦＤＭシンボルは、少なくとも、予め定められたシーケンスを第２の通信プロトコルの第２のロングトレーニングシーケンスを掛けることにより取得される第１の通信プロトコルの第１のロングトレーニングシーケンスに対応する。また、方法は、プリアンブルの第２のフィールドに対する第１の複数の情報ビットをエンコードして、第１の複数のエンコード済みビットを生成する段階を備える。方法は、第１の複数のエンコード済みビットを第１の複数のコンスタレーションシンボルにマッピングする段階を備える。方法は、第１の複数のコンスタレーションシンボルを予め定められたシーケンスを掛ける段階を含む、第１の複数の修正済みコンスタレーションシンボルを生成する段階も備える。方法は、第１の複数の修正済みコンスタレーションシンボルを含む第２の複数の直交周波数分割多重（ＯＦＤＭ）シンボルを生成する段階を備える。方法は、第１のフィールドに対する第１の複数のＯＦＤＭシンボルと、第２のフィールドに対する第２の複数のＯＦＤＭシンボルとを含むプリアンブルを生成する段階も備える。方法は、少なくともプリアンブルを含むＰＨＹデータユニットを生成する段階も備える。
【０００７】
一実施形態において、装置は、１または複数の集積回路を有するネットワークインターフェースデバイスを備える。複数の集積回路は、物理層（ＰＨＹ）データユニットに含まれるべきプリアンブルの第１のフィールドに対する第１の複数の直交周波数分割多重（ＯＦＤＭ）シンボルを生成するように構成される。第１の複数のＯＦＤＭシンボルの各ＯＦＤＭシンボルは、少なくとも、予め定められたシーケンスを第２の通信プロトコルの第２のロングトレーニングシーケンスを掛けることにより取得される第１の通信プロトコルの第１のロングトレーニングシーケンスに対応する。また、複数の集積回路は、プリアンブルの第２のフィールドに対する第１の複数の情報ビットをエンコードして、第１の複数のエンコード済みビットを生成するように構成される。複数の集積回路は、第１の複数のエンコード済みビットを第１の複数のコンスタレーションシンボルにマッピングするように構成される。また、複数の集積回路は、第１の複数の修正済みコンスタレーションシンボルを生成ように構成され、第１の複数のコンスタレーションシンボルを予め定められたシーケンスを掛けることを含む。複数の集積回路は、第１の複数の修正済みコンスタレーションシンボルを含む第２の複数の直交周波数分割多重（ＯＦＤＭ）シンボルを生成ように構成される。また、複数の集積回路は、第１のフィールドに対する第１の複数のＯＦＤＭシンボルと、第２のフィールドに対する第２の複数のＯＦＤＭシンボルとを含むプリアンブルを生成ように構成される。複数の集積回路は、少なくともプリアンブルを含むＰＨＹデータユニットを生成するように構成される。
【図面の簡単な説明】
【０００８】
【図１】一実施形態による、例示的な無線ローカルエリアネットワーク（ＷＬＡＮ）のブロック図である。
【０００９】
【図２Ａ】従来技術のデータユニットフォーマットの図である。
【図２Ｂ】従来技術のデータユニットフォーマットの図である。
【００１０】
【図３】別の従来技術のデータユニットフォーマットの図である。
【００１１】
【図４】別の従来技術のデータユニットフォーマットの図である。
【００１２】
【図５】別の従来技術のデータユニットフォーマットの図である。
【００１３】
【図６Ａ】従来技術のデータユニットにおいて複数のシンボルを変調するのに用いられる変調の図のグループである。
【００１４】
【図６Ｂ】一実施形態による、例示的データユニットにおいて複数のシンボルを変調するのに用いられる複数の変調の図のグループである。
【００１５】
【図７Ａ】一実施形態による、直交周波数分割多重（ＯＦＤＭ）データユニットの図である。
【００１６】
【図７Ｂ】一実施形態による、図７Ａに図示されるデータユニットにおいて複数のシンボルを変調するのに用いられる複数の変調の図のグループである。
【００１７】
【図８】一実施形態によるＯＦＤＭシンボルのブロック図である。
【００１８】
【図９Ａ】一実施形態による、標準符号化スキームがデータユニットのプリアンブルに用いられる例示的なデータユニットを図示する図である。
【００１９】
【図９Ｂ】一実施形態による、標準符号化スキームがデータユニットのプリアンブルの一部のみに用いられる例示的なデータユニットを図示する図である。
【００２０】
【図１０Ａ】一実施形態による、トーンの間隔調整がブロック符号化との組み合わせで用いられる例示的データユニットを図示する図である。
【００２１】
【図１０Ｂ】別の実施形態による、トーンの間隔調整がブロック符号化との組み合わせで用いられる例示的データユニットを図示する図である。
【００２２】
【図１１Ａ】一実施形態による、標準モードデータユニットを図示する図である。
【００２３】
【図１１Ｂ】一実施形態による、距離延長モードデータユニットを図示する図である。
【００２４】
【図１２Ａ】２つの例示的な実施形態による、ロングトレーニングフィールドの２つの可能なフォーマットを各々図示する図である。
【図１２Ｂ】２つの例示的な実施形態による、ロングトレーニングフィールドの２つの可能なフォーマットを各々図示する図である。
【００２５】
【図１３Ａ】一実施形態による、図１１Ａの標準モードデータユニットの非レガシ信号フィールドを図示する図である。
【００２６】
【図１３Ｂ】一実施形態による、図１１Ｂの距離延長モードデータユニットの非レガシ信号フィールドを図示する図である。
【００２７】
【図１４Ａ】一実施形態による、距離延長モードデータユニットを図示するブロック図である。
【００２８】
【図１４Ｂ】一実施形態による、図１４Ａの距離延長モードデータユニットのレガシ信号フィールドを図示する図である。
【００２９】
【図１４Ｃ】一実施形態による、図１４Ｂのレガシ受信デバイスにおけるレガシ信号フィールド用の高速フーリエ変換（ＦＦＴ）ウィンドウを図示する図である。
【００３０】
【図１５】一実施形態による、非レガシ信号フィールドのフォーマットを図示するブロック図である。
【００３１】
【図１６】一実施形態による、標準符号化スキームを用いて複数の標準モードデータユニットを生成する例示的なＰＨＹ処理ユニットを図示するブロック図である。
【００３２】
【図１７Ａ】一実施形態による、距離延長符号化スキームを用いて、複数の距離延長モードデータユニットを生成する例示的なＰＨＹ処理ユニットのブロック図である。
【００３３】
【図１７Ｂ】別の実施形態による、複数の距離延長モードデータユニットを生成する例示的なＰＨＹ処理ユニットのブロック図である。
【００３４】
【図１８Ａ】別の実施形態による、距離延長符号化スキームを用いて、複数の距離延長モードデータユニットを生成する例示的なＰＨＹ処理ユニットのブロック図である。
【００３５】
【図１８Ｂ】別の実施形態による、複数の距離延長モードデータユニットを生成する例示的なＰＨＹ処理ユニットのブロック図である。
【００３６】
【図１９Ａ】別の実施形態による、複数の距離延長モードデータユニットを生成する例示的なＰＨＹ処理ユニットのブロック図である。
【００３７】
【図１９Ｂ】別の実施形態による、複数の距離延長モードデータユニットを生成する例示的なＰＨＹ処理ユニットのブロック図である。
【００３８】
【図２０Ａ】一実施形態による、距離延長モードデータユニットのプリアンブルにおける複数のＯＦＤＭシンボルの反復を示す図である。
【００３９】
【図２０Ｂ】一実施形態による、距離延長モードデータユニットのプリアンブルにおける複数のＯＦＤＭシンボルの反復を示す図である。
【００４０】
【図２０Ｃ】一実施形態による、複数のＯＦＤＭシンボルの時間領域反復スキームを示す図である。
【００４１】
【図２０Ｄ】別の実施形態による、複数のＯＦＤＭシンボルの反復スキームを示す図である。
【００４２】
【図２１】一実施形態による、データユニットを生成する例示的な方法のフロー図である。
【００４３】
【図２２Ａ】一実施形態による、１０ＭＨｚのサブバンドを有する距離延長データユニットの反復を伴った２０ＭＨｚの帯域幅全体の図である。
【００４４】
【図２２Ｂ】一実施形態による、１０ＭＨｚのサブバンドを有する距離延長データユニットの反復を伴った４０ＭＨｚの帯域幅全体の図である。
【００４５】
【図２２Ｃ】一実施形態による、３２点ＦＦＴモードの例示的なトーンプランの図である。
【００４６】
【図２３】一実施形態による、距離延長モードがデータユニットのプリアンブルに用いられる例示的なデータユニットの図である。
【００４７】
【図２４】別の実施形態による、複数の距離延長モードデータユニットを生成する例示的なＰＨＹ処理ユニットのブロック図である。
【００４８】
【図２５Ａ】一実施形態による、１／２のトーンの間隔を有する例示的な２０ＭＨｚの全帯域幅の図である。
【００４９】
【図２５Ｂ】一実施形態による、１／２のトーンの間隔を有する例示的な２０ＭＨｚの全帯域幅の図である。
【００５０】
【図２６Ａ】一実施形態による、サイズ６４のＦＦＴおよび１／２のトーンの間隔を有する距離延長モードの非レガシトーンプランの図である。
【００５１】
【図２６Ｂ】一実施形態による、１２８ＦＦＴの大きさおよび１／２のトーンの間隔を有する距離延長モードの非レガシトーンプランの図である。
【００５２】
【図２６Ｃ】一実施形態による、サイズ２５６のＦＦＴおよび１／２のトーンの間隔を有する距離延長モードの非レガシトーンプランを図示する図である。
【００５３】
【図２７】一実施形態による、データユニットを生成する例示的な方法のフロー図である。
【００５４】
【図２８】別の実施形態による、データユニットを生成する例示的な方法のフロー図である。
【発明を実施するための形態】
【００５５】
下記の複数の実施形態において、無線ローカルエリアネットワーク（ＷＬＡＮ）のアクセスポイント（ＡＰ）等の無線ネットワークデバイスは、１または複数のクライアント局に複数のデータストリームを送信する。ＡＰは、少なくとも第１の通信プロトコルに準拠して、複数のクライアント局と動作するように構成されている。第１の通信プロトコルは、本明細書において「高効率Ｗｉ−Ｆｉ」、「ＨＥＷ」通信プロトコル、または８０２．１１ａｘ通信プロトコルと称される場合がある。いくつかの実施形態において、ＡＰ付近の異なる複数のクライアント局は、ＨＥＷ通信プロトコルと同一の周波数帯域であるが、一般により低いデータスループットによる動作を規定する１または複数の他の通信プロトコルに準拠して動作するように構成されている。より低いデータスループットの通信プロトコル（例えば、ＩＥＥＥ８０２．１１ａ、ＩＥＥＥ８０２．１１ｎ、および／またはＩＥＥＥ８０２．１１ａｃ）は、本明細書において集合的に「レガシ」通信プロトコルと称される。少なくともいくつかの実施形態において、レガシ通信プロトコルは一般に、屋内通信チャネルで使用され、ＨＥＷ通信プロトコルは、少なくとも時々は屋外通信、距離延長通信、または送信信号の信号雑音比（ＳＮＲ）が低減された区域における通信において使用される。
【００５６】
一実施形態によれば、ＡＰにより送信される複数のシンボルは、シンボルまたはシンボル内でエンコードされた情報ビットの増大した冗長性を提供する距離延長符号化スキームにより生成される。冗長性は、特に減少したＳＮＲを有する区域においてＡＰから複数のシンボルを受信するデバイスにより、シンボルが首尾よくデコードされる可能性を増大させる。一般に、低減したＳＮＲを軽減するのに必要とされる冗長性の量は、遅延チャネル広がり（例えば、屋外通信チャネルに対する）、シンボルおよび／または他の要因と干渉する他の複数の信号に依存する。一実施形態において、ＨＥＷ通信プロトコルは、標準モードおよび距離延長モードを規定する。一実施形態において、標準モードは一般に、より短いチャネル遅延広がり（例えば、屋内通信チャネル）または一般により高いＳＮＲ値を特徴とする複数の通信チャネルと共に用いられるが、距離延長モードは一般に、比較的長いチャネル遅延広がり（例えば、屋外通信チャネル）または一般により低いＳＮＲ値を特徴とする通信チャネルと共に用いられる。一実施形態において、標準符号化スキームは、標準モードで用いられ、距離延長符号化スキームは、距離延長モードで用いられる。
【００５７】
一実施形態において、ＡＰにより送信されるデータユニットは、プリアンブルおよびデータ部分を含み、プリアンブルは、少なくとも部分的に、受信デバイスに対して、データ部分の送信に用いられる様々なパラメータをシグナリングするべく用いられる。様々な実施形態において、データユニットのプリアンブルは、受信デバイスに、データユニットの少なくともデータ部分を使用する特定の符号化スキームをシグナリングするべく用いられる。いくつかの実施形態において、距離延長モードと同一のプリアンブルフォーマットが標準モードにおいて用いられる。そのような一実施形態において、プリアンブルは、標準符号化スキームまたは距離延長符号化スキームがデータユニットの少なくともデータ部分に用いられているか否かを示す表示セットを含む。いくつかの実施形態において、示される標準符号化スキームまたは距離延長符号化スキームは、データユニットのデータ部分に加えて、データユニットのプリアンブルの少なくとも一部に用いられる。一実施形態において、受信デバイスは、データユニットのプリアンブルにおける表示に基づいて使用されている特定の符号化スキームを判断し、次に特定の符号化スキームを用いてデータユニットの適切な残余部分（例えば、データ部分またはプリアンブルおよびデータ部分の一部）をデコードする。
【００５８】
別の実施形態において、距離延長モードで用いられるプリアンブルは、標準モードで用いられるプリアンブルとは異なるようにフォーマットされる。例えば、距離延長モードで用いられるプリアンブルは、データユニットが距離延長モードに対応することを、受信デバイスが（例えばデコード前に）自動的に検出し得るようにフォーマットされる。一実施形態において、データユニットが距離延長モードに対応すると受信デバイスが検出した場合、受信デバイスは、距離延長符号化スキームを用いてデータユニットのデータ部分をデコードし、少なくともいくつかの実施形態において、プリアンブルの少なくとも一部ならびにデータユニットのデータ部分をデコードする。他方、データユニットが距離延長モードに対応していないと受信デバイスが検出した場合、受信デバイスは一実施形態において、データユニットが標準モードに対応するものと想定する。次に、一実施形態において受信デバイスは、標準符号化スキームを用いてデータユニットの少なくともデータ部分をデコードする。
【００５９】
更に、少なくともいくつかの実施形態において、標準モードおよび／または距離延長モードデータユニットのプリアンブルは、ＨＥＷ通信プロトコルではなくレガシプロトコルに準拠して動作するクライアント局が、データユニットの持続時間等のデータユニットに関する特定の情報、および／またはデータユニットがレガシプロトコルに準拠していないことを判断することができるようにフォーマットされる。更に、データユニットのプリアンブルは、一実施形態において、ＨＥＷプロトコルに準拠して動作するクライアント局が、データユニットがＨＥＷ通信プロトコルに準拠していること、およびデータユニットが標準モードまたは距離延長モードに従ってフォーマットされているか否かを判断することができるようにフォーマットされる。同様に、ＨＥＷ通信プロトコルに準拠して動作するように構成されたクライアント局は、一実施形態において上記のような複数のデータユニットも送信する。
【００６０】
少なくともいくつかの実施形態において、例えば、複数の異なる通信プロトコルに準拠するクライアント局、および／または複数のクライアント局が複数の異なる通信プロトコルに準拠して動作する複数のＷＬＡＮと共に動作するように構成されたＡＰを有する上記のフォーマットされたデータユニットが有用である。上記の例を続けると、ＨＥＷ通信プロトコル（標準モードおよび距離延長モードを含む）およびレガシ通信プロトコルの双方に準拠して動作するように構成された通信デバイスは、所与のデータユニットがレガシ通信プロトコルではなくＨＥＷ通信プロトコルに準拠してフォーマットされていると判断することができ、データユニットが標準モードではなく距離延長モードに従ってフォーマットされていると更に判断することができる。同様に、ＨＥＷ通信プロトコルではなく、レガシ通信プロトコルに準拠して動作するように構成された通信デバイスは、データユニットがレガシ通信プロトコルに準拠してフォーマットされていないことを判断し、および／またはデータユニットの持続時間を判断する。
【００６１】
図１は、一実施形態による、例示的な無線ローカルエリアネットワーク（ＷＬＡＮ）１０のブロック図である。ＡＰ１４は、ネットワークインターフェース１６に結合されたホストプロセッサ１５を含む。ネットワークインターフェース１６は、媒体アクセス制御（ＭＡＣ）処理ユニット１８および物理層（ＰＨＹ）処理ユニット２０を含む。ＰＨＹ処理ユニット２０は、複数のトランシーバ２１を含み、複数のトランシーバ２１は、複数のアンテナ２４に結合されている。３つのトランシーバ２１および３つのアンテナ２４が図１に図示されているが、複数の他の実施形態において、ＡＰ１４は他の好適な数（例えば、１、２、４、５等）のトランシーバ２１およびアンテナ２４を含む。一実施形態において、ＭＡＣ処理ユニット１８およびＰＨＹ処理ユニット２０は、第１の通信プロトコルの少なくとも第１のモードおよび第２のモードを含む第１の通信プロトコル（例えば、ＨＥＷ通信プロトコル）に準拠して動作するように構成されている。いくつかの実施形態において、第１のモードは、距離延長符号化スキーム（例えば、ブロックエンコード、ビット様式のレプリケーション、もしくはシンボルレプリケーション）、信号変調スキーム（例えば、位相偏移変調もしくは直交振幅変調）、または距離延長符号化スキームおよび信号変調スキームの双方を用いる距離延長モードに対応する。距離延長モードは、第２のモード（例えば、標準符号化スキームを用いる標準モード）と比較して距離を増大させ、および／または信号雑音（ＳＮＲ）比を低減するように構成され、このＳＮＲで、距離延長モードに準拠するＰＨＹデータユニットの首尾よいデコードが実行される。様々な実施形態において、距離延長モードは、標準モードと比較して送信のデータレートを低減し、増大した距離および／または低減したＳＮＲ比の首尾よいデコードを実現する。また、別の実施形態において、ＭＡＣ処理ユニット１８およびＰＨＹ処理ユニット２０は、第２の通信プロトコル（例えば、ＩＥＥＥ８０２．１１ａｃ規格）に準拠して動作するように構成されている。なおも別の実施形態において、ＭＡＣ処理ユニット１８およびＰＨＹ処理ユニット２０は、第２の通信プロトコル、第３の通信プロトコル、および／または第４の通信プロトコル（例えば、ＩＥＥＥ８０２．１１ａ規格および／またはＩＥＥＥ８０２．１１ｎ規格）に準拠して動作するように更に構成される。
【００６２】
ＷＬＡＮ１０は、複数のクライアント局２５を含む。４つのクライアント局２５が図１に図示されているが、様々なシナリオおよび実施形態において、ＷＬＡＮ１０は他の好適な数（例えば、１、２、３、５、６等）のクライアント局２５を含む。複数のクライアント局２５のうち少なくとも１つ（例えば、クライアント局２５−１）は、少なくとも第１の通信プロトコルに準拠して動作するように構成されている。いくつかの実施形態において、複数のクライアント局２５のうち少なくとも１つは、第１の通信プロトコルに準拠して動作するように構成されないが、第２の通信プロトコル、第３の通信プロトコル、および／または第４の通信プロトコルのうち少なくとも１つに準拠して動作するように構成されている（本明細書において「レガシクライアント局」と称される）。
【００６３】
クライアント局２５−１は、ネットワークインターフェース２７に結合されたホストプロセッサ２６を含む。ネットワークインターフェース２７は、ＭＡＣ処理ユニット２８およびＰＨＹ処理ユニット２９を含む。ＰＨＹ処理ユニット２９は、複数のトランシーバ３０を含み、複数のトランシーバ３０は、複数のアンテナ３４に結合されている。３つのトランシーバ３０および３つのアンテナ３４が図１に図示されているが、複数の他の実施形態において、クライアント局２５−１は他の好適な数（例えば、１、２、４、５等）のトランシーバ３０およびアンテナ３４を含む。
【００６４】
一実施形態によれば、クライアント局２５−４はレガシクライアント局である。すなわち、クライアント局２５−４が、第１の通信プロトコルに準拠してＡＰ１４または別のクライアント局２５により送信されるデータユニットを受信し、完全にデコードすることは可能とならない。同様に、一実施形態によれば、レガシクライアント局２５−４が、第１の通信プロトコルに準拠して複数のデータユニットを送信することは可能とならない。他方、レガシクライアント局２５−４は、第２の通信プロトコル、第３の通信プロトコル、および／または第４の通信プロトコルに準拠してデータユニットを受信して完全にデコードし、送信することが可能となる。
【００６５】
一実施形態において、クライアント局２５−２および２５−３の一方または双方は、クライアント局２５−１と同一またはこれに類似する構造を有する。一実施形態において、クライアント局２５−４は、クライアント局２５−１に類似する構造を有する。これらの実施形態において、クライアント局２５−１と同一または類似する構造の複数のクライアント局２５は、同一または異なる数のトランシーバおよびアンテナを有する。例えば、一実施形態によれば、クライアント局２５−２は、２つのトランシーバおよび２つのアンテナ（図示せず）のみを有する。
【００６６】
様々な実施形態において、ＡＰ１４のＰＨＹ処理ユニット２０は、第１の通信プロトコルに準拠し、本明細書に説明される複数のフォーマットを有する複数のデータユニットを生成するように構成されている。トランシーバ２１は、アンテナ２４を介して複数の生成済みデータユニットを送信するように構成されている。同様に、トランシーバ２１は、アンテナ２４を介して複数のデータユニットを受信するように構成されている。様々な実施形態によれば、ＡＰ１４のＰＨＹ処理ユニット２０は、第１の通信プロトコルに準拠し、本明細書の以下に説明される複数のフォーマットを有する複数の受信済みデータユニットを処理し、複数のそのようなデータユニットが第１の通信プロトコルに準拠していることを判断するように構成されている。
【００６７】
様々な実施形態において、クライアントデバイス２５−１のＰＨＹ処理ユニット２９は、第１の通信プロトコルに準拠し、本明細書に説明される複数のフォーマットを有する複数のデータユニットを生成するように構成されている。トランシーバ３０は、アンテナ３４を介して複数の生成済みデータユニットを送信するように構成されている。同様に、トランシーバ３０は、アンテナ３４を介して複数のデータユニットを受信するように構成されている。様々な実施形態によれば、クライアントデバイス２５−１のＰＨＹ処理ユニット２９は、第１の通信プロトコルに準拠し、本明細書の以下に説明される複数のフォーマットを有する複数の受信済みデータユニットを処理し、複数のそのようなデータユニットが第１の通信プロトコルに準拠していることを判断するように構成されている。
【００６８】
図２Ａは、一実施形態による、ＡＰ１４が直交周波数分割多重（ＯＦＤＭ）変調によりレガシクライアント局２５−４に送信するように構成された従来技術のＯＦＤＭデータユニット２００の図である。一実施形態において、レガシクライアント局２５−４も、データユニット２００をＡＰ１４に送信するように構成され得る。データユニット２００は、ＩＥＥＥ８０２．１１ａ規格に準拠し、２０メガヘルツ（ＭＨｚ）の帯域を占有する。データユニット２００は、一般にパケット検出、初期同期および自動利得制御等に用いられるレガシショートトレーニングフィールド（Ｌ−ＳＴＦ）２０２、ならびに一般にチャネル推定および微同期に用いられるレガシロングトレーニングフィールド（Ｌ−ＬＴＦ）２０４を有するプリアンブルを含む。また、データユニット２００は、レガシ信号フィールド（Ｌ−ＳＩＧ）２０６も含み、これは例えば、データユニットを送信するべく用いられる変調の種類および符号化レート等、データユニット２００に関する特定の物理層（ＰＨＹ）パラメータを搬送するべく用いられる。データユニット２００は、データ部分２０８も含む。図２Ｂは、例示的なデータ部分２０８の図であり（低密度パリティ検査はエンコードされていない）、例示的なデータ部分２０８は、必要であればサービスフィールド、スクランブル物理層サービスデータユニット（ＰＳＤＵ）、テールビットおよびパディングビットを含む。データユニット２００は、シングル入力シングル出力（ＳＩＳＯ）チャネル構成の１つの空間または空間・時間ストリームを介する送信用に設計されている。
【００６９】
図３は、一実施形態による、ＡＰ１４が直交周波数分割多重（ＯＦＤＭ）変調によりレガシクライアント局２５−４に送信するように構成された従来技術のＯＦＤＭデータユニット３００の図である。一実施形態において、レガシクライアント局２５−４も、データユニット３００をＡＰ１４に送信するように構成される。データユニット３００はＩＥＥＥ８０２．１１ｎ規格に準拠し、２０ＭＨｚの帯域を占有し、混合モードの状況、すなわちＷＬＡＮがＩＥＥＥ８０２．１１ａ規格に準拠するが、ＩＥＥＥ８０２．１１ｎ規格には準拠しない１または複数のクライアント局を含む場合のために設計されている。データユニット３００は、Ｌ−ＳＴＦ３０２、Ｌ−ＬＴＦ３０４、Ｌ−ＳＩＧ３０６、高スループット信号フィールド（ＨＴ−ＳＩＧ）３０８、高スループットショートトレーニングフィールド（ＨＴ−ＳＴＦ）３１０、およびＭ個のデータ高スループットロングトレーニングフィールド（ＨＴ−ＬＴＦ）３１２を有するプリアンブルを含む。一般に、Ｍは、多入力多出力（ＭＩＭＯ）チャネル構成のデータユニット３００を送信するべく用いられる空間ストリームの数により、決定される整数である。具体的には、ＩＥＥＥ８０２．１１ｎ規格に準拠して、データユニット３００は、データユニット３００が２つの空間ストリームを用いて送信される場合に２つのＨＴ−ＬＴＦ３１２を含み、データユニット３００が３つまたは４つの空間ストリームを用いて送信される場合には、４つのＨＴ−ＬＴＦ３１２を含む。使用される特定の数の空間ストリームの表示は、ＨＴ−ＳＩＧフィールド３０８に含まれる。データユニット３００は、データ部分３１４も含む。
【００７０】
図４は、一実施形態による、ＡＰ１４が直交周波数分割多重（ＯＦＤＭ）変調によりレガシクライアント局２５−４に送信するように構成された従来技術のＯＦＤＭデータユニット４００の図である。一実施形態において、レガシクライアント局２５−４も、データユニット４００をＡＰ１４に送信するように構成される。データユニット４００は、ＩＥＥＥ８０２．１１ｎ規格に準拠し、２０ＭＨｚの帯域を占有し、「グリーンフィールド」の状況、すなわちＷＬＡＮがＩＥＥＥ８０２．１１ａ規格に準拠するクライアント局を含まず、ＩＥＥＥ８０２．１１ｎ規格に準拠するクライアント局のみを含む場合のために設計されている。データユニット４００は、高スループットグリーンフィールドショートトレーニングフィールド（ＨＴ−ＧＦ−ＳＴＦ）４０２、第１の高スループットロングトレーニングフィールド（ＨＴ−ＬＴＦ１）４０４、ＨＴ−ＳＩＧ４０６およびＭ個のデータＨＴ−ＬＴＦ４０８を有するプリアンブルを含む。一般に、Ｍは、多入力多出力（ＭＩＭＯ）チャネル構成のデータユニット４００を送信するべく用いられる空間ストリームの数に対応する整数である。データユニット４００は、データ部分４１０も含む。
【００７１】
図５は、一実施形態による、ＡＰ１４が直交周波数分割多重（ＯＦＤＭ）変調によりレガシクライアント局２５−４に送信するように構成された従来技術のＯＦＤＭデータユニット５００の図である。一実施形態において、レガシクライアント局２５−４も、データユニット５００をＡＰ１４に送信するように構成される。データユニット５００は、ＩＥＥＥ８０２．１１ａｃ規格に準拠し、「混合フィールド」の状況のために設計されている。データユニット５００は、２０ＭＨｚの帯域幅を占有する。複数の他の実施形態またはシナリオにおいて、データユニット５００に類似するデータユニットは、４０ＭＨｚ、８０ＭＨｚまたは１６０ＭＨｚの帯域幅等、異なる帯域幅を占有する。データユニット５００は、Ｌ−ＳＴＦ５０２、Ｌ−ＬＴＦ５０４、Ｌ−ＳＩＧ５０６、第１の超高スループット信号フィールド（ＶＨＴ−ＳＩＧＡ１）５０８−１および第２の超高スループット信号フィールド（ＶＨＴ−ＳＩＧＡ２）５０８−２を含む２つの第１の超高スループット信号フィールド（ＶＨＴ−ＳＩＧＡ）５０８、超高スループットショートトレーニングフィールド（ＶＨＴ−ＳＴＦ）５１０、Ｍ個の超高スループットロングトレーニングフィールド（ＶＨＴ−ＬＴＦ）５１２、第２の超高スループット信号フィールド（ＶＨＴ−ＳＩＧ−Ｂ）５１４を含むプリアンブルを有する。Ｍは、整数である。データユニット５００は、データ部分５１６も含む。
【００７２】
図６Ａは、ＩＥＥＥ８０２．１１ｎ規格により規定される、図３におけるデータユニット３００のＬ−ＳＩＧ、ＨＴ−ＳＩＧ１およびＨＴ−ＳＩＧ２フィールドの変調を図示する１セットの図である。Ｌ−ＳＩＧフィールドは、二位相偏移変調（ＢＰＳＫ）により変調され、ＨＴ−ＳＩＧ１およびＨＴ−ＳＩＧ２フィールドは、ＢＰＳＫによるが、直交軸上で変調される（Ｑ−ＢＰＳＫ）。換言すれば、ＨＴ−ＳＩＧ１およびＨＴ−ＳＩＧ２フィールドの変調は、Ｌ−ＳＩＧフィールドの変調と比較して９０°回転される。
【００７３】
図６Ｂは、ＩＥＥＥ８０２．１１ａｃ規格により規定された図５におけるデータユニット５００のＬ−ＳＩＧ、ＶＨＴ−ＳＩＧＡ１およびＶＨＴ−ＳＩＧＡ２フィールドの変調を図示する１セットの図である。図６ＡにおけるＨＴ−ＳＩＧ１フィールドと異なり、ＶＨＴ−ＳＩＧＡ１フィールドは、Ｌ−ＳＩＧフィールドの変調と同一のＢＰＳＫにより変調される。他方、ＶＨＴ−ＳＩＧＡ２フィールドは、Ｌ−ＳＩＧフィールドの変調と比較して９０°回転される。
【００７４】
図７Ａは、一実施形態による、ＡＰ１４が直交周波数分割多重（ＯＦＤＭ）変調によりクライアント局２５−１に送信するように構成されたＯＦＤＭデータユニット７００の図である。一実施形態において、クライアント局２５−１も、データユニット７００をＡＰ１４に送信するように構成される。データユニット７００は、第１の通信プロトコルに準拠し、２０ＭＨｚの帯域幅を占有する。複数の他の実施形態において、データユニット７００と同様に、第１の通信プロトコルに準拠する複数のデータユニットは、例えば４０ＭＨｚ、８０ＭＨｚ、１６０ＭＨｚ、３２０ＭＨｚ、６４０ＭＨｚ、または他の好適な複数の帯域幅等、他の好適な帯域幅を占有し得る。データユニット７００は、「混合モード」の状況、すなわちＷＬＡＮ１０が第１の通信プロトコルではなく、レガシ通信プロトコルに準拠するクライアント局（例えば、レガシクライアント局２５−４）を含む場合に好適である。いくつかの実施形態において、データユニット７００は、他の複数の状況でも使用される。
【００７５】
一実施形態において、データユニット７００は、Ｌ−ＳＴＦ７０２、Ｌ−ＬＴＦ７０４、Ｌ−ＳＩＧ７０６、第１のＨＥＷ信号フィールド（ＨＥＷ−ＳＩＧＡ１）７０８−１および第２のＨＥＷ信号フィールド（ＨＥＷ−ＳＩＧＡ２）７０８−２を含む２つの第１のＨＥＷ信号フィールド（ＨＥＷ−ＳＩＧＡ）７０８、ＨＥＷショートトレーニングフィールド（ＨＥＷ−ＳＴＦ）７１０、第３のＨＥＷ信号フィールド（ＨＥＷ−ＳＩＧＢ）７１４、Ｍ個のＨＥＷロングトレーニングフィールド（ＨＥＷ−ＬＴＦ）７１２を有するプリアンブル７０１を含み、Ｍは整数である。Ｌ−ＳＴＦ７０２、Ｌ−ＬＴＦ７０４、Ｌ−ＳＩＧ７０６、ＨＥＷ−ＳＩＧＡ７０８、ＨＥＷ−ＳＴＦ７１０、Ｍ個のＨＥＷ−ＬＴＦ７１２、およびＨＥＷ−ＳＩＧＢ７１４の各々は、整数の１または複数のＯＦＤＭシンボルを含む。例えば、一実施形態において、ＨＥＷ−ＳＩＧＡ７０８は、２つのＯＦＤＭシンボルを含み、ＨＥＷ−ＳＩＧＡ１  ７０８−１フィールドは第１のＯＦＤＭシンボルを含み、ＨＥＷ−ＳＩＧＡ２は第２のＯＦＤＭシンボルを含む。例えば別の実施形態において、プリアンブル７０１は、第３のＨＥＷ信号フィールド（ＨＥＷ−ＳＩＧＡ３、図示せず）を含み、ＨＥＷ−ＳＩＧＡ７０８は、３つのＯＦＤＭシンボルを含み、ＨＥＷ−ＳＩＧＡ１  ７０８−１フィールドは、第１のＯＦＤＭシンボルを含み、ＨＥＷ−ＳＩＧＡ２は、第２のＯＦＤＭシンボルを含み、ＨＥＷ−ＳＩＧＡ３は、第３のＯＦＤＭシンボルを含む。少なくともいくつかの例において、複数のＨＥＷ−ＳＩＧＡ７０８は集合的に、１つのＨＥＷ信号フィールド（ＨＥＷ−ＳＩＧＡ）７０８と称される。いくつかの実施形態において、データユニット７００は、データ部分７１６も含む。他の実施形態において、データユニット７００は、データ部分７１６を省略する。
【００７６】
図７Ａの実施形態において、データユニット７００は、Ｌ−ＳＴＦ７０２、Ｌ−ＬＴＦ７０４、Ｌ−ＳＩＧ７０６、複数のＨＥＷ−ＳＩＧＡ１  ７０８の各々のうち１つを含む。データユニット７００に類似するＯＦＤＭデータユニットが２０ＭＨｚ以外の累積的な帯域幅を占有する複数の他の実施形態において、Ｌ−ＳＴＦ７０２、Ｌ−ＬＴＦ７０４、Ｌ−ＳＩＧ７０６、複数のＨＥＷ−ＳＩＧＡ１  ７０８の各々は、一実施形態のデータユニットの全帯域幅の２０ＭＨｚサブバンドの対応する数に渡って反復される。例えば、一実施形態において、ＯＦＤＭデータユニットは、８０ＭＨｚの帯域幅を占有し、従って一実施形態のＬ−ＳＴＦ７０２、Ｌ−ＬＴＦ７０４、Ｌ−ＳＩＧ７０６、複数のＨＥＷ−ＳＩＧＡ１  ７０８の各々のうちの４つを含む。いくつかの実施形態において、異なる２０ＭＨｚのサブバンド信号の変調は、異なる角度で回転される。例えば一実施形態において、第１のサブバンドは０°回転し、第２のサブバンドは９０°回転し、第３のサブバンドは１８０°回転し、第４のサブバンドは２７０°回転する。複数の他の実施形態において、異なる好適な回転が使用される。少なくともいくつかの実施形態において、２０ＭＨｚのサブバンド信号の異なる複数の位相は、データユニット７００におけるＯＦＤＭシンボルのピーク対平均電力比（ＰＡＰＲ）の減少をもたらす。一実施形態において、第１の通信プロトコルに準拠するデータユニットが２０ＭＨｚ、４０ＭＨｚ、８０ＭＨｚ、１６０ＭＨｚ、３２０ＭＨｚ、６４０ＭＨｚ等の累積的な帯域幅を占有するＯＦＤＭデータユニットである場合、ＨＥＷ−ＳＴＦ、複数のＨＥＷ−ＬＴＦ、ＨＥＷ−ＳＩＧＢおよびＨＥＷデータ部分は、データユニットの対応する全帯域幅を占有する。
【００７７】
図７Ｂは、一実施形態による、図７Ａにおけるデータユニット７００のＬ−ＳＩＧ７０６、ＨＥＷ−ＳＩＧＡ１  ７０８−１およびＨＥＷ−ＳＩＧＡ２  ７０８−２の変調を図示する１セットの図である。本実施形態において、Ｌ−ＳＩＧ７０６、ＨＥＷ−ＳＩＧＡ１  ７０８−１およびＨＥＷ−ＳＩＧＡ２  ７０８−２フィールドは、ＩＥＥＥ８０２．１１ａｃ規格において規定され、図６Ｂに図示される対応するフィールドの変調と同一の変調を有する。従って、ＨＥＷ−ＳＩＧＡ１フィールドは、Ｌ−ＳＩＧフィールドと同様に変調される。他方、ＨＥＷ−ＳＩＧＡ２フィールドは、Ｌ−ＳＩＧフィールドの変調と比較して９０°回転される。第３のＨＥＷ−ＳＩＧＡ３フィールドを有するいくつかの実施形態において、ＨＥＷ−ＳＩＧＡ２フィールドは、Ｌ−ＳＩＧフィールドおよびＨＥＷ−ＳＩＧＡ１フィールドと同様に変調されるが、ＨＥＷ−ＳＩＧＡ３フィールドは、Ｌ−ＳＩＧフィールド、ＨＥＷ−ＳＩＧＡ１フィールドおよびＨＥＷ−ＳＩＧＡ２フィールドの変調と比較して、９０°だけ回転する。
【００７８】
一実施形態において、データユニット７００のＬ−ＳＩＧ７０６、ＨＥＷ−ＳＩＧＡ１  ７０８−１およびＨＥＷ−ＳＩＧＡ２  ７０８−２フィールドの変調は、ＩＥＥＥ８０２．１１ａｃ規格に準拠するデータユニット（例えば、図５のデータユニット５００）における対応する複数のフィールドの変調に対応するので、ＩＥＥＥ８０２．１１ａ規格および／またはＩＥＥＥ８０２．１１ｎ規格に準拠して動作するように構成された複数のレガシクライアント局は、少なくともいくつかの条件でデータユニット７００がＩＥＥＥ８０２．１１ａｃ規格に準拠すると想定し、これに応じてデータユニット７００を処理する。例えば、ＩＥＥＥ８０２．１１ａ規格に準拠するクライアント局は、データユニット７００のプリアンブルのレガシＩＥＥＥ８０２．１１ａ規格部分を理解し、Ｌ−ＳＩＧ７０６に示された持続時間に従ってデータユニットの持続時間（またはデータユニット持続時間）を設定するであろう。例えば一実施形態によれば、レガシクライアント局２５−４は、Ｌ−ＳＩＧフィールド７０６に示されたレートおよび長さ（例えばバイト数）に基づいてデータユニットに対する持続時間を算出する。一実施形態において、Ｌ−ＳＩＧフィールド７０６におけるレートおよび長さは、レガシ通信プロトコルに準拠して動作するように構成されたクライアント局がレートおよび長さに基づいて、データユニット７００の実際の持続時間に対応するか、または少なくともこれに近いパケット持続時間（Ｔ）を算出するように設定される。一実施形態において、例えば、レートは、ＩＥＥＥ８０２．１１ａ規格により規定された最も低いレート（すなわち６Ｍｂｐｓ）を示すように設定され、長さは、最も低いレートを用いて計算されたパケットの持続時間がデータユニット７００の実際の持続時間に少なくとも近くなるように計算される値に設定される。
【００７９】
一実施形態において、ＩＥＥＥ８０２．１１ａ規格に準拠するレガシクライアント局は、データユニット７００を受信すると、例えばＬ−ＳＩＧフィールド７０６のレートフィールドおよび長さフィールドを用いてデータユニット７００のパケット持続時間を計算し、一実施形態においてクリアチャネル評価（ＣＣＡ）を実行する前に、計算されたパケット持続時間の終りまで待機する。従って、本実施形態において、通信媒体は、少なくともデータユニット７００の持続時間中にレガシクライアント局によるアクセスから保護される。一実施形態において、レガシクライアント局は、データユニット７００を継続してデコードするが、データユニット７００の終わりで（例えば、フレームチェックシーケンス（ＦＣＳ）を用いる）エラーチェックに失敗する。
【００８０】
同様に、一実施形態において、ＩＥＥＥ８０２．１１ｎ規格に準拠して動作するように構成されたレガシクライアント局は、データユニット７００を受信すると、データユニット７００のＬ−ＳＩＧ７０６において示されたレートおよび長さに基づいて、データユニット７００のパケット持続時間（Ｔ）を計算する。レガシクライアント局は、第１のＨＥＷ信号フィールド（ＨＥＷ−ＳＩＧＡ１）７０８−１（ＢＰＳＫ）の変調を検出し、データユニット７００がＩＥＥＥ８０２．１１ａ規格に準拠するレガシデータユニットであると想定する。一実施形態において、レガシクライアント局は、データユニット７００を継続してデコードするが、データユニットの最後で（例えば、フレームチェックシーケンス（ＦＣＳ）を用いる）エラーチェックに失敗する。いずれせよ、ＩＥＥＥ８０２．１１ｎ規格に準拠して、レガシクライアント局は一実施形態において、クリアチャネル評価（ＣＣＡ）を実行する前に、計算済みのパケット持続時間（Ｔ）が終了するまで待機する。従って、一実施形態において通信媒体は、データユニット７００の持続時間中にレガシクライアント局によるアクセスから保護される。
【００８１】
一実施形態において、第１の通信プロトコルではなくＩＥＥＥ８０２．１１ａｃ規格に準拠して動作するように構成されたレガシクライアント局は、データユニット７００を受信すると、データユニット７００のＬ−ＳＩＧ７０６において示されたレートおよび長さに基づいて、データユニット７００のパケット持続時間（Ｔ）を計算する。しかし、一実施形態においてレガシクライアント局は、データユニット７００の変調に基づいて、データユニット７００がＩＥＥＥ８０２．１１ａｃ規格に準拠しないことを検出することができない。いくつかの実施形態において、データユニット７００の１または複数のＨＥＷ信号フィールド（例えば、ＨＥＷ−ＳＩＧＡ１および／またはＨＥＷ−ＳＩＧＡ２）は、意図的にデータユニット７００をデコードする場合にレガシクライアント局にエラーを検出させ、従ってデータユニット７００のデコードを中止させる（または「ドロップ」させる）ようにフォーマットされる。一実施形態において、例えば、データユニット７００のＨＥＷ−ＳＩＧＡ７０８は、ＳＩＧＡフィールドがＩＥＥＥ８０２．１１ａｃ規格に準拠してレガシデバイスによりデコードされる場合に、意図的にエラーを生じさせるようにフォーマットされる。更に、実施形態において、ＩＥＥＥ８０２．１１ａｃ規格に準拠して、ＶＨＴ−ＳＩＧＡフィールドをデコードするときにエラーが検出されると、クライアント局は、データユニット７００をドロップし、例えば、クリアチャネル評価（ＣＣＡ）を実行する前にデータユニット７００のＬ−ＳＩＧ７０６に示されたレートおよび長さに基づいて算出された計算済みパケット持続時間（Ｔ）が終了するまで待機する。従って、一実施形態において通信媒体は、データユニット７００の持続時間中にレガシクライアント局によりアクセスから保護される。
【００８２】
図８は、一実施形態によるＯＦＤＭシンボル８００の図である。一実施形態において、図７Ａのデータユニット７００は、ＯＦＤＭシンボル８００等のＯＦＤＭシンボルを含む。ＯＦＤＭシンボル８００は、ガードインターバル（ＧＩ）部分８０２および情報部分８０４を含む。一実施形態において、ガードインターバルは、ＯＦＤＭシンボルの最後の部分を反復するサイクリックプレフィックスを含む。一実施形態において、ガードインターバル部分８０２は、受信デバイス（例えばクライアント局２５−１）におけるＯＦＤＭトーンの直交性を確実にして、ＯＦＤＭシンボル８００が送信デバイス（例えばＡＰ１４）から受信デバイスへと送信される通信チャネルでの多経路伝搬によるシンボル間干渉を最小化または除去するのに用いられる。一実施形態において、ガードインターバル部分８０２の長さは、送信デバイスと受信デバイスとの間の通信チャネルにおいて予期される最悪の場合のチャネルの遅延広がりに基づき、選択される。一実施形態において、例えば、よりロングガードインターバルは、通常はより短いチャネルの遅延広がりにより特徴付けられる複数の屋内通信チャネルに対して選択されたより短いガードインターバルと比較して、通常はより長いチャネルの遅延広がりにより特徴付けられる複数の屋外通信チャネルに対して選択される。一実施形態において、ガードインターバル部分８０２の長さは、情報部分８０４が生成されたトーンの間隔（例えば、データユニットにおける全帯域幅の複数のサブキャリア周波数間の間隔）に基づいて選択される。例えば、より広いトーンの間隔（例えば６４のトーン）に対してより短いガードインターバルが選択されるので、比較してより狭いトーンの間隔（例えば２５６のトーン）に、よりロングガードインターバルが選択される。
【００８３】
一実施形態によれば、ガードインターバル部分８０２は、使用される送信モードに応じてショートガードインターバル、ノーマルガードインターバルまたはロングガードインターバルに対応している。一実施形態において、屋内通信チャネル、比較的短いチャネル遅延広がりを伴う通信チャネルまたは好適な高いＳＮＲ比を有する通信チャネルには、ショートガードインターバルまたはノーマルガードインターバルが用いられ、屋外通信チャネル、比較的長い遅延広がりを伴う通信チャネル、または好適な高いＳＮＲ比を有しない通信チャネルには、ロングガードインターバルが用いられる。一実施形態において、ＨＥＷデータユニット（例えばＨＥＷデータユニット７００）が標準モードで送信される場合、ＨＥＷデータユニットのいくつか、または全てのＯＦＤＭシンボルに、ノーマルガードインターバルまたはショートガードインターバルが用いられ、ＨＥＷデータユニットが距離延長モードで送信される場合、ＨＥＷデータユニットのうち少なくともいくつかのＯＦＤＭシンボルに、ロングガードインターバルが用いられる。
【００８４】
一実施形態において、ショートガードインターバル（ＳＧＩ）は０．４μｓの長さを有し、ノーマルガードインターバルは０．８μｓであり、ロングガードインターバル（ＬＧＩ）は１．２μｓまたは１．８μｓの長さを有する。一実施形態において、情報部分８０４は３．２μｓの長さを有する。複数の他の実施形態において、情報部分８０４は、情報部分８０４が生成されたトーンの間隔に対応する拡大された長さを有する。例えば、情報部分８０４は、６４トーンの第１のトーンの間隔を用いる標準モードに対して３．２μｓの第１の長さを有し、１２８トーンの第２のトーンの間隔に対して６．４μｓの第２の長さを有し、第２のトーンの間隔および第２の長さは双方とも、第１のトーンの間隔および第１の長さと比較して２の整数倍、拡大される。一実施形態において、情報部分８０４の残余の長さは、受信済みの時間領域信号のコピー（例えば、情報部分８０４は、受信済みの時間領域信号の２つのコピーを含む）で満たされる。複数の他の実施形態において、ＳＧＩ、ＮＧＩ、ＬＧＩおよび／または情報部分８０４の複数の他の好適な長さが使用される。いくつかの実施形態において、ＳＧＩは、ＮＧＩの長さの５０％の長さを有し、ＮＧＩは、ＬＧＩの長さの５０％の長さを有する。複数の他の実施形態において、ＳＧＩは、ＮＧＩの長さの７５％またはこれより小さい長さを有し、ＮＧＩは、ＬＧＩの長さの７５％またはこれより小さい長さを有する。複数の他の実施形態において、ＳＧＩは、ＮＧＩの長さの５０％またはこれより小さい長さを有し、ＮＧＩは、ＬＧＩの５０％またはこれより小さい長さを有する。
【００８５】
複数の他の実施形態において、トーンの間隔が小さくなったＯＦＤＭ変調は、同一のトーンプラン（例えば、どのＯＦＤＭトーンがデータトーン、パイロットトーン、および／またはガードトーン用に設計されているかを示す予め定められた一連のインデックス）を用いる距離延長モードで用いられる。例えば、２０ＭＨｚ帯域幅のＯＦＤＭデータユニット用の標準モードは、６４ポイントの離散フーリエ変換（ＤＦＴ）を用いて６４のＯＦＤＭトーン（例えば、インデックス−３２〜＋３１）をもたらし、距離延長モードは、２０ＭＨｚのＯＦＤＭデータユニットに１２８ポイントのＤＦＴを用いて、同一の帯域幅で１２８のＯＦＤＭトーン（例えば、インデックス−６４〜＋６３）をもたらす。この場合、同一のトーンプランを用いつつ、距離延長モードＯＦＤＭシンボルにおけるトーンの間隔は、標準モードＯＦＤＭシンボルと比較して２分の１（１／２）だけ低減される。別の例として、２０ＭＨｚ帯域幅のＯＦＤＭデータユニット用の標準モードは、６４ポイントの離散フーリエ変換（ＤＦＴ）を用いて６４のＯＦＤＭトーンをもたらすが、距離延長モードは、２０ＭＨｚのＯＦＤＭデータユニットに２５６ポイントのＤＦＴを用いて同一の帯域幅の２５６のＯＦＤＭトーンをもたらす。この場合、距離延長モードＯＦＤＭシンボルにおけるトーンの間隔は、標準モードＯＦＤＭシンボルと比較して４分の１（１／４）だけ低減される。複数のそのような実施形態において、例えば、１．６μｓのロングＧＩ持続時間が用いられる。しかし、一実施形態において、距離延長モードＯＦＤＭシンボルにおける情報部分の持続時間は（例えば、３．２μｓから６．４μｓまで）増大し、ＧＩ部分の持続時間のＯＦＤＭシンボルの全持続時間に対するパーセンテージは、依然として同じである。従ってこの場合、少なくともいくつかの実施形態において、より長いＧＩシンボルに起因する効率性のロスが回避される。様々な実施形態において、本明細書において用いられる「ロングガードインターバル」という用語は、ガードインターバルの増大した持続時間およびガードインターバルの持続時間を効果的に増大させる小さくしたＯＦＤＭトーン間隔を含む。
【００８６】
図９Ａは、一実施形態による、標準モードまたは距離延長モードがデータユニットのプリアンブルに用いられる例示的なデータユニット９００を図示する図である。一般に、データユニット９００は、図７Ａのデータユニット７００と同一であり、図７Ａのデータユニット７００と同様の付番の要素を含む。データユニット９００のＨＥＷ−ＳＩＧＡフィールド７０８（例えば、ＨＥＷ−ＳＩＧＡ１  ７０８−１またはＨＥＷ−ＳＩＧＡ２  ７０８−２）は、符号化表示（ＣＩ）９０２を含む。一実施形態によれば、ＣＩ表示９０２は、（ｉ）標準符号化スキームを用いる標準モード、または（ｉｉ）距離延長符号化スキームを用いる距離延長モードのうち１つを示すように設定される。一実施形態において、ＣＩ表示９０２は１ビットを含み、当該ビットの第１の値は標準モードを示し、当該ビットの第２の値は距離延長モードを示す。いくつかの実施形態において、ＣＩ表示は、変調・符号化スキーム（ＭＣＳ）インジケータと組み合わされる。例えば一実施形態において、標準モードは、（例えば、ＩＥＥＥ８０２．１１ａｃプロトコルに準拠する）レガシレシーバデバイスにより有効であると判断されるＭＣＳ値に対応するが、距離延長モードは、（例えば、ＩＥＥＥ８０２．１１ａｃプロトコルに準拠しない）レガシレシーバデバイスにより無効である（またはサポートされない）と判断されるＭＣＳ値に対応する。複数の他の実施形態において、ＣＩ表示９０２は、複数の標準モードＭＣＳ値および複数の距離延長モードＭＣＳ値を示す複数のビットを有する。図９Ａに図示されるように、標準符号化スキームは、データユニット７００のプリアンブルの全てのＯＦＤＭシンボルに用いられ、図示される実施形態において、ＣＩ表示９０２により示される標準符号化スキームまたは距離延長符号化スキームのうち１つが、データ部分７１６のＯＦＤＭシンボルに用いられる。
【００８７】
例えば、一実施形態において、距離延長符号化スキームは、ＰＨＹデータユニットの良好なデコードが標準データユニットと比較して一般に改善される（すなわち、より長い範囲および／またはより低いＳＮＲで良好にデコードされる）データ部分７１６のＯＦＤＭシンボル、範囲および／またはＳＮＲに用いられる。いくつかの実施形態において、改善された範囲および／またはＳＮＲ性能は、必ずしもプリアンブル７０１のデコードのために得られるものではなく、これは標準符号化スキームを用いて生成される。複数のそのような実施形態において、送信パワーブーストを用いてプリアンブル７０１の少なくとも一部を送信すると、データ部分７１６の送信に用いられる送信パワーと比較して、プリアンブル７０１の一部のデコード範囲を大きくする。いくつかの実施形態において、送信パワーブーストを用いて送信されるプリアンブル７０１の一部は、Ｌ−ＳＴＦ７０２のようなレガシフィールド、Ｌ−ＬＴＦ７０４、およびＬ−ＳＩＧ７０８、ならびに／またはＨＥＷ−ＳＴＦおよびＨＥＷ−ＬＴＦ等の非レガシフィールドを含む。様々な実施形態において、送信パワーブーストは、３ｄＢ、６ｄＢ、または他の好適値である。いくつかの実施形態において、送信パワーブーストは、「ブーストされる」プリアンブル７０１が同一位置における「ブーストされない」データ部分７１６と比較して類似の性能でデコード可能となるように決定される。いくつかの実施形態において、Ｌ−ＳＴＦ７０２、Ｌ−ＬＴＦ７０４および／またはＬ−ＳＩＧ７０６の拡大された長さが、送信パワーブーストと組み合わされて用いられる。複数の他の実施形態において、Ｌ−ＳＴＦ７０２、Ｌ−ＬＴＦ７０４および／またはＬ−ＳＩＧ７０６の拡大された長さが、送信パワーブーストに代えて用いられる。
【００８８】
図９Ｂは、一実施形態による、距離延長符号化スキームがデータユニットのプリアンブルの一部のみに用いられる例示的なデータユニット９５０を図示する図である。一般に、データユニット９５０は、ＣＩ表示９０２により示される符号化スキームがプリアンブル７５１の一部の複数のＯＦＤＭシンボルおよびデータ部分７１６の複数のＯＦＤＭシンボルに適用されるプリアンブル７５１を、データユニット９５０が含むことを除き、図９Ａのデータユニット９００と同じである。具体的には、図示される実施形態において、標準符号化スキームは、プリアンブル７０１の第１の部分７５１−１に用いられ、標準符号化スキームまたは距離延長符号化スキームのうち１つは、ＣＩ表示９０２により示されるように、データ部分７１６の複数のＯＦＤＭシンボルに加えて、プリアンブル７５１の第２の部分７５１−２の複数のＯＦＤＭシンボルに用いられる。従って、図示される実施形態において、ＣＩ表示９０２により示される符号化スキームは、ＨＥＷ−ＳＴＦ７１０に対応するＯＦＤＭシンボルをスキップして、ＨＥＷ−ＬＴＦ７１２−１に対応するＯＦＤＭシンボルの始めに適用される。少なくともいくつかの実施形態において、ＨＥＷ−ＳＴＦ７１０をスキップすることにより、データユニット９５０を受信するデバイスに、ＣＩ表示９０２をデコードしてレシーバを適切に設定することで、ＯＦＤＭシンボルを受信する前にＣＩ表示９０２により示された符号化スキームを用いて、そのような複数のＯＦＤＭシンボルのデコードを開始するのに十分な時間を許容する。
【００８９】
図１０Ａは、一実施形態による、ＯＦＤＭトーンの間隔調整が距離延長符号化スキームのビットおよび／またはシンボルの反復と組み合わせて用いられる例示的データユニット１０００を図示する図である。一般に、データユニット１０００は、データユニット１０００において距離延長符号化スキームが使用されているとＣＩ表示９０２が示すときに、データユニット１０００の標準モードＯＦＤＭシンボルに用いられるトーンの間隔と比較して低減されたトーンの間隔を有するＯＦＤＭ変調を用いてデータ部分７１６の複数のＯＦＤＭシンボルが生成されることを除き、図７Ａのデータユニット９００と同じである。
【００９０】
図１０Ｂは、別の実施形態による、ＯＦＤＭトーンの間隔調整が距離延長符号化スキームのビットおよび／またはシンボルの反復と組み合わせて用いられる例示的データユニット１０５０を図示する図である。一般に、データユニット１０５０は、データユニット１０５０において距離延長符号化スキームが使用されているとＣＩ表示９０２が示すときに、データユニット１０５０の標準モードＯＦＤＭシンボルに用いられるトーンの間隔と比較して低減されたトーンの間隔を有するＯＦＤＭ変調を用いて第２の部分７５１−２の複数のＯＦＤＭシンボルおよびデータ部分７１６の複数のＯＦＤＭシンボルが生成されることを除き、図９Ｂのデータユニット９５０と同じである。図１０Ａにおいて示される実施形態において、２０ＭＨｚの帯域幅全体が用いられ、第１の部分７５１−１におけるノーマルトーンの間隔およびガードインターバル、ならびにトーンの間隔が２つ減らされ、ロングガードインターバルおよびサイズ６４のＦＦＴは、帯域幅全体に渡って２回反復される。いくつかの実施形態において、送信パワーブーストは、第１の部分７５１−１に適用される。複数の他の実施形態において、４ｘ、８ｘ等の他の倍数、または他の好適な複数の値が低減されたトーンの間隔、増大したガードインターバル、増大したシンボル持続時間、または帯域幅全体における増大した反復のうち１または複数に用いられる。
【００９１】
いくつかの実施形態において、標準モードデータユニットに用いられるプリアンブルと比較して、異なるプリアンブルフォーマットが、距離延長モードデータユニットに用いられる。複数のそのような実施形態において、データユニットを受信するデバイスは、データユニットのプリアンブルのフォーマットに基づいて、データユニットが標準モードデータユニットか、または距離延長モードデータユニットかを自動的に検出し得る。図１１Ａは、一実施形態による、標準モードデータユニット１１００を図示する図である。標準モードデータユニット１１００は、標準モードプリアンブル１１０１を含む。一般に、標準モードプリアンブル１１０１は、図７Ａのデータユニット７００のプリアンブル７０１と同じである。一実施形態において、プリアンブル１１０１は、第１のＨＥＷ−ＳＩＧＡ１フィールド１１０８−１および第２のＨＥＷ−ＳＩＧＡ２フィールド１１０８−２を含む、ＨＥＷ−ＳＩＧＡフィールド１１０８を含む。一実施形態において、プリアンブル１１０１のＨＥＷ−ＳＩＧＡフィールド１１０８（例えば、ＨＥＷ−ＳＩＧＡ１  １１０８−１またはＨＥＷ−ＳＩＧＡ２  １１０８−２）は、ＣＩ表示１１０２を含む。一実施形態において、ＣＩ表示１１０２は、データユニット１１００におけるデータ部分７１６のＯＦＤＭシンボルに、距離延長符号化スキームが用いられるか、または標準符号化スキームが用いられているか否かを示すように設定される。一実施形態において、ＣＩ表示１１０２は１ビットを含み、当該ビットの第１の値は標準符号化スキームを示し、当該ビットの第２の値は距離延長符号化スキームを示す。以下により詳細に説明されるように、一実施形態においてデータユニット１１００を受信するデバイスは、プリアンブル１１０１のフォーマットに基づいて、プリアンブル１１０１が延長モードプリアンブルではなく、標準モードプリアンブルであることを検出することができる。一実施形態において、プリアンブル１１０１が標準モードプリアンブルであることを検出すると、受信デバイスは、ＣＩ表示１１０２に基づいて、データ部分７１６の複数のＯＦＤＭシンボルに、距離延長符号化スキームが用いられているか、または標準符号化スキームが用いられているか否かを判断し、これに応じてデータ部分７１６をデコードする。いくつかの実施形態において、距離延長符号化スキームが使用されていることをＣＩ表示１１０２が示すと、プリアンブル１１０１の一部の複数のＯＦＤＭシンボル（例えば、ＨＥＷ−ＬＴＦおよびＨＥＷ−ＳＩＧＢ）およびデータ部分７１６の複数のＯＦＤＭシンボルが、データユニット１０５０における標準モード複数のＯＦＤＭシンボルに用いられるトーンの間隔と比較して小さいトーンの間隔を伴うＯＦＤＭ変調を用いて生成される。
【００９２】
図１１Ｂは、一実施形態による、距離延長モードデータユニット１１５０を図示する図である。距離延長モードデータユニット１１５０は、距離延長モードプリアンブル１１５１を含む。一般に、データユニット１１５０は、データユニット１１５０のプリアンブル１１５１がデータユニット１１００のプリアンブル１１０１とは異なるようにフォーマットされることを除き、図１１Ａのデータユニット１１００に類似する。一実施形態において、プリアンブル１１５１は、ＨＥＷ通信プロトコルに準拠して動作する受信デバイスが、プリアンブル１１５１が標準モードプリアンブルではなく、距離延長モードプリアンブルであると判断することができるようにフォーマットされる。一実施形態において、距離延長モードプリアンブル１１５１は、Ｌ−ＳＴＦ７０２、Ｌ−ＬＴＦ７０４、およびＬ−ＳＩＧ７０６、ならびに１または複数の第１のＨＥＷ信号フィールド（ＨＥＷ−ＳＩＧＡ）１１５２を含む。一実施形態において、プリアンブル１１５０は、Ｌ−ＳＩＧフィールド７０６に続く１または複数の二次Ｌ−ＳＩＧ１１５４を更に含む。いくつかの実施形態において、複数の二次Ｌ−ＳＩＧ１１５４の次には、第２のＬ−ＬＴＦフィールド（Ｌ−ＬＴＦ２）１１５６が続く。複数の他の実施形態において、プリアンブル１１５１は、Ｌ−ＳＩＧ１１５４および／またはＬ−ＬＴＦ２  １１５６を省略する。また、いくつかの実施形態において、プリアンブル１１５１は、ＨＥＷ−ＳＴＦ１１５８、１もしくは複数のＨＥＷ−ＬＴＦフィールド１１６０、および第２のＨＥＷ信号フィールド（ＨＥＷ−ＳＩＧＢ）１１６２を含む。複数の他の実施形態において、プリアンブル１１５１は、ＨＥＷ−ＳＴＦ１１５８、ＨＥＷ−ＬＴＦ１１６０、および／またはＨＥＷ−ＳＩＧＢ１１６２を省略している。一実施形態において、データユニット１１５０は、データ部分７１６（図１１Ｂに図示せず）も含む。いくつかの実施形態において、複数のＨＥＷ信号フィールド（ＨＥＷ−ＳＩＧＡ）１１５２は、データフィールド７１６と同一の距離延長符号化スキームを用いて変調される。
【００９３】
一実施形態において、ＨＥＷ−ＳＩＧＡ１１５２の１または複数のシンボルは、例えばＢＰＳＫに代えてＱＢＰＳＫを用いて変調され、ＨＥＷ通信プロトコルに準拠して動作する受信デバイスによる標準モードと距離延長モードとの間の自動検出を可能にする。例えば一実施形態において、標準モードプリアンブルがＬ−ＳＩＧ７０６フィールドの後に２つのＢＰＳＫシンボルと１つのＱ−ＢＰＳＫシンボルとを含む場合、距離延長モードプリアンブルは、Ｌ−ＳＩＧ７０６フィールドの後に３つのＢＰＳＫシンボルと１つのＱ−ＢＰＳＫシンボルとを含む。例えば一実施形態においては、各６４ＦＦＴ（２０ＭＨｚ）の４８のデータトーンを有するＭＣＳ０の４ｘビット様式の反復を用いる場合である。例えばいくつかの実施形態において、自動検出が標準モードと距離延長モードを区別する場合、信号帯域幅を示すべく用いられたビット、ＭＣＳ値、または他の好適なビット等、いくつかのビットはＨＥＷ−ＳＩＧＡ１１５２から省略される。
【００９４】
プリアンブル１１５１が１または複数の二次Ｌ−ＳＩＧ１１５４を含む一実施形態において、Ｌ−ＳＩＧ１１５４の各々の内容は、データユニット１１５０におけるＬ−ＳＩＧ７０６の内容と同じである。一実施形態において、データユニット１１５０を受信する受信デバイスは、プリアンブル１１５１がＬ−ＳＩＧフィールド７０６、１１５４の反復を検出することにより、距離延長モードプリアンブルに対応することを判断する。更に、一実施形態において、Ｌ−ＳＩＧ７０６のレートサブフィールドおよび長さサブフィールドの双方が、従って二次Ｌ−ＳＩＧ１１５４のレートサブフィールドおよび長さサブフィールドが固定（例えば、予め定められた）値に設定される。この場合、一実施形態において、複数のＬ−ＳＩＧフィールド７０６、１１５４の反復を検出すると、受信デバイスは、反復する複数のＬ−ＳＩＧフィールドの固定値を追加のトレーニング情報として用いてチャネル推定を改善する。しかし、いくつかの実施形態において、Ｌ−ＳＩＧ７０６の少なくとも長さサブフィールド、従って二次Ｌ−ＳＩＧ１１５４の少なくとも長さフィールドは、固定値に設定されない。例えば、これに代えて一実施形態において、長さフィールドは、データユニット１１５０の実際の長さに基づいて判断された値に設定される。そのような一実施形態において、受信デバイスは、まずＬ−ＳＩＧ７０６をデコードし、次にＬ−ＳＩＧ７０６における長さサブフィールドの値を用いてＬ−ＳＩＧフィールド７０６、１１５４の反復を検出する。別の実施形態において、受信デバイスは、まずＬ−ＳＩＧフィールド７０６、１１５４の反復を検出し、次に検出された複数のＬ−ＳＩＧフィールド７０６、１１５４を組み合わせてＬ−ＳＩＧフィールド７０６、１１５４のデコードの信頼性を改善し、および／または複数のＬ−ＳＩＧフィールド７０６、１１５４における冗長情報を用いてチャネル推定を改善する。
【００９５】
プリアンブル１１５１がＬ−ＬＴＦ２  １１５６を含む実施形態において、Ｌ−ＬＴＦ２  １１５６のＯＦＤＭシンボルは、距離延長符号化スキームを用いて生成される。プリアンブル１１５１がＬ−ＬＴＦ２  １１５６を含む別の実施形態において、Ｌ−ＬＴＦ２  １１５６のＯＦＤＭシンボルは、標準符号化スキームを用いて生成される。例えば一実施形態において、Ｌ−ＬＴＦ７０４において用いられるダブルガードインターバル（ＤＧＩ）が、データユニット１１５０が受信デバイスから送信デバイスへと通る通信チャネルにとり十分に長い場合、Ｌ−ＬＴＦ２  １１５６の複数のＯＦＤＭシンボルは、標準符号化スキームを用いて生成され、あるいはプリアンブル１１５１は、Ｌ−ＬＴＦ２  １１５６を省略する。
【００９６】
別の実施形態において、プリアンブル１１５１は、二次Ｌ−ＳＩＧ１１５４を省略するが、Ｌ−ＬＴＦ２  １１５６を含む。本実施形態において、受信デバイスは、Ｌ−ＬＴＦ２  １１５６の存在を検出することにより、プリアンブル１１５１が距離延長モードプリアンブルであることを検出する。図１２Ａ〜図１２Ｂは、２つの例示的な実施形態による、Ｌ−ＬＴＦ２  １１５６として用いるのに好適なＬＴＦの２つの可能なフォーマットを図示する図である。まず図１２Ａを参照すると、第１の例示的な実施形態において、Ｌ−ＬＴＦ２  １２００は、Ｌ−ＬＴＦ７０４と同様に、すなわちレガシ通信プロトコル（例えば、ＩＥＥＥ８０２．１１ａ／ｎ／ａｃ規格）により規定されるようにフォーマットされる。具体的には、図示される実施形態において、Ｌ−ＬＴＦ２  １２００は、ダブルガードインターバル（ＤＧＩ）１２０２を含み、その次にロングトレーニングシーケンス１２０４、１２０６の２つの反復が続く。ここで図１２Ｂを参照すると、別の例示的な実施形態において、Ｌ−ＬＴＦ２  １２０８は、Ｌ−ＬＴＦ７０４とは異なるようにフォーマットされる。具体的には、図示される実施形態において、Ｌ−ＬＴＦ２  １２０８は、第１のノーマルガードインターバル１２１０、ロングトレーニングシーケンス１２１２の第１の反復、第２のノーマルガードインターバル１２１４、およびロングトレーニングシーケンス１２１６の第２の反復を含む。
【００９７】
再び図１１Ｂを参照すると、一実施形態においてＨＥＷ−ＳＩＧＡ１１５２は、距離延長符号化スキームを用いて生成される。一実施形態において、ＨＥＷ−ＳＩＧＡ１１５２の数は、標準モードプリアンブル１１０１のＨＥＷ−ＳＩＧＡ１１０８の数と同じである。同様に、一実施形態においてＨＥＷ−ＳＩＧＡ１１５２の内容は、標準モードプリアンブル１１０１のＨＥＷ−ＳＩＧＡ１１０８の内容と同じである。複数の他の実施形態において、ＨＥＷ−ＳＩＧＡ１１５２の数および／または内容は、標準モードプリアンブル１１０１のＨＥＷ−ＳＩＧＡ１１０８の数および／または内容と異なる。一実施形態において、データユニット１１５０を受信するデバイスは、プリアンブル１１５１が距離延長モードプリアンブルに対応することを検出したことに基づいて、距離延長符号化スキームを用いてＨＥＷ−ＳＩＧＡ１１５２をデコードして、距離延長モードに規定されたように適切にＨＥＷ−ＳＩＧＡ１１５２を解釈する。
【００９８】
プリアンブル１１５１がＬ−ＳＩＧ１１５４および／またはＬ−ＬＴＦ２  １１５６を省略する実施形態において、受信デバイスは、距離延長符号化スキームおよび標準符号化スキームを用いるＨＥＷ−ＳＩＧＡフィールドの自己相関に基づいて、距離延長符号化スキームまたは標準符号化スキームを用いてプリアンブルにおけるＨＥＷ−ＳＩＧＡフィールドが生成されたかを検出することにより、プリアンブルが距離延長モードプリアンブル１１５１または標準モードプリアンブル１１０１に対応するかを判断する。図１３Ａ〜図１３Ｂは、一実施形態による、標準モードプリアンブル１１０１のＨＥＷ−ＳＩＧＡ１１０８および距離延長モードプリアンブル１１５１のＨＥＷ−ＳＩＧＡ１１５２の各々の図である。図示される実施形態において、標準モードプリアンブル１１０１のＨＥＷ−ＳＩＧＡ１１０８は、第１のＮＧＩ１３０２、第１のＨＥＷ−ＳＩＧＡフィールド１３０４、第２のＮＧＩ１３０６、および第２のＨＥＷ−ＳＩＧＡフィールド１３０８を含む。他方、距離延長モードプリアンブル１１５１のＨＥＷ−ＳＩＧＡ１１５２は、第１のＬＧＩ１３１０、第１のＨＥＷ−ＳＩＧＡフィールド１３１２、第２のＬＧＩ１３１４、および第２のＨＥＷ−ＳＩＧＡフィールド１３１２を含む。一実施形態において、受信デバイスは、図１３Ａに図示される構造のようなノーマルガードインターバル構造を用いてＨＥＷ−ＳＩＧＡフィールドの第１の自己相関を実行し、図１３Ｂに図示される構造のようなロングガードインターバル構造を用いて第２の自己相関を実行し、自己相関結果の比較を実行する。一実施形態において、ロングガードインターバルを用いるＨＥＷ−ＳＩＧＡフィールドの自己相関がノーマルガードインターバルを用いるＨＥＷ−ＳＩＧＡフィールドの自己相関の結果と比較して大きい結果を生成した場合、受信デバイスは、プリアンブルが距離延長モードプリアンブル１１５１に対応するものと判断する。他方、一実施形態において、ノーマルガードインターバルを用いるＨＥＷ−ＳＩＧＡフィールドの自己相関がロングガードインターバルを有するＨＥＷ−ＳＩＧＡフィールドの自己相関の結果と比較して大きい結果を生成した場合、受信デバイスは、プリアンブルが標準モードプリアンブル１１０１に対応すると判断する。
【００９９】
再び図１１Ｂを参照すると、一実施形態において、プリアンブル１１５１は、レガシクライアント局がデータユニット１１５０の持続時間および／またはデータユニットがレガシ通信プロトコルに準拠していないことを判断し得るようにフォーマットされる。更に、実施形態において、プリアンブル１１５１は、データユニットがＨＥＷ通信プロトコルに準拠することを、ＨＥＷプロトコルに準拠して動作するクライアント局が判断できるようにフォーマットされる。例えば、Ｌ−ＳＩＧ１１５４および／またはＬ−ＬＴＦ２  １１５６および／またはＨＥＷ−ＳＩＧＡ１１５２等、プリアンブル１１５１のＬ−ＳＩＧ７０６の直ぐ後の少なくとも２つのＯＦＤＭシンボルが、ＢＰＳＫ変調を用いて変調される。この場合、一実施形態において、レガシクライアント局は、データユニット１１５０をレガシデータユニットとして処理し、Ｌ−ＳＩＧ７０６に基づいてデータユニットの持続時間を判断し、判断される持続時間中に媒体にアクセスするのを控える。更に、一実施形態において、ＨＥＷ−ＳＩＧ１１５２のうち１または複数等、プリアンブル１１５１の１または複数の他のＯＦＤＭシンボルは、Ｑ−ＢＰＳＫ変調を用いて変調され、ＨＥＷ通信プロトコルに準拠して動作するクライアント局が、データユニット１１５０がＨＥＷ通信プロトコルに準拠していることを検出することを可能にする。
【０１００】
いくつかの実施形態において、ＨＥＷ通信プロトコルは、距離延長モードによるビーム形成および／またはマルチユーザＭＩＭＯ（ＭＵ−ＭＩＭＯ）送信を可能にする。複数の他の実施形態において、ＨＥＷ通信プロトコルは、距離延長モードによる１つのストリームのみおよび／または１ユーザの送信のみを可能にする。引き続き図１１Ｂを参照すると、プリアンブル１１５１がＨＥＷ−ＳＴＦ１１５８およびＨＥＷ−ＬＴＦ１１６０を含む実施形態において、ＡＰ１４は、ＨＥＷ−ＳＴＦ１１５８を開始するビーム形成および／またはマルチユーザ送信を適用する。換言すれば、一実施形態において、プリアンブル１１５１の複数のフィールドは、ＨＥＷ−ＳＴＦ１１５８に先行し、オムニ指向性であり、マルチユーザモードでデータユニット１１５０の全ての意図された受信者により受信されることを意図するが、ＨＥＷ−ＳＴＦフィールド１１５８、ならびにＨＥＷ−ＳＴＦフィールド１１５８に続く複数のプリアンブルフィールド、およびプリアンブル１１５１に続くデータ部分はビーム形成され、および／またはデータユニット１１５０の意図された異なる受信者により受信されることを意図した異なる複数の部分を含む。一実施形態において、ＨＥＷ−ＳＩＧＢフィールド１１６２は、ＭＵ−ＭＩＭＯモードのデータユニット１１５０の意図された複数の受信者についてのユーザ特定情報を含む。ＨＥＷ−ＳＩＧＢフィールド１１６２は、実施形態に応じて、標準符号化スキームまたは距離延長符号化スキームを用いて生成される。同様に、ＨＥＷ−ＳＴＦ１１５８は、実施形態に応じて、標準符号化スキームまたは距離延長符号化スキームを用いて生成される。一実施形態において、ＨＥＷ−ＳＴＦ１１５８に用いられるトレーニングシーケンスは、ＩＥＥＥ８０２．１１ａｃプロトコル等、レガシ通信プロトコルにおいて規定されたシーケンスである。
【０１０１】
他方、プリアンブル１１５１がＨＥＷ−ＳＴＦ１１５８およびＨＥＷ−ＬＴＦ１１６０を省略する実施形態において、ビーム形成およびＭＵＭＩＭＯは、延長ガードインターバルモードで可能とされない。本実施形態において、１ユーザと１つのストリームのみによる送信は、拡張ガードインターバルモードで可能とされる。一実施形態において、受信デバイスは、Ｌ−ＬＴＦフィールド７０４に基づいて１つのストリームチャネル推定を取得し、Ｌ−ＬＴＦフィールド７０４に基づいて取得されたチャネル推定に基づいて、データユニット１１５０のデータ部分を復調する。
【０１０２】
いくつかの実施形態において、レシーバデバイスは、ＨＥＷ−ＳＴＦフィールド１１５８を用いて、データ部分７１６を受信する自動利得制御（ＡＧＣ）処理を再度開始する。一実施形態において、ＨＥＷ−ＳＴＦは、ＶＨＴ−ＳＴＦと同一の持続時間（すなわち４マイクロ秒）を有する。複数の他の実施形態において、ＨＥＷ−ＳＴＦは、ＶＨＴ−ＳＴＦよりも長い持続時間を有する。一実施形態において、ＨＥＷ−ＳＴＦは、周波数領域において４つのトーン毎に１つのゼロでないトーンが存在し、ＩＥＥＥ８０２．１１ａｃと同一のトーンの間隔を用いるように、ＶＨＴ−ＳＴＦと同一の時間領域の周期性を有する。１／Ｎのトーンの間隔を有する複数の他の実施形態において、ＨＥＷ−ＳＴＦは、４×Ｎトーン毎に１つのゼロでないトーンを有する。データユニットの全体としての帯域幅が２０ＭＨｚ（例えば、４０ＭＨｚ、８０ＭＨｚ等）よりも大きい実施形態において、ＨＥＷ−ＳＴＦは、ＩＥＥＥ８０２．１１ａｃと同一のより広い帯域幅ＶＨＴ−ＳＴＦを用いる（すなわち、４０ＭＨｚ、８０ＭＨｚ、１６０ＭＨｚ等の全体としての帯域幅に対する２０ＭＨｚのＶＨＴ−ＳＴＦの複製）。
【０１０３】
図１４Ａは、一実施形態による、距離延長モードデータユニット１４００を図示するブロック図である。データユニット１４００は、距離延長モードプリアンブル１４０１を含む。一般に、距離延長モードプリアンブル１４０１は、プリアンブル１１５１のＬ−ＳＩＧ７０６および二次Ｌ−ＳＩＧ１１５４が組み合わされてプリアンブル１４０１における１つのＬ−ＳＩＧフィールド１４０６となることを除き、図１１Ｂの距離延長モードプリアンブル１１５１と類似する。図１４Ｂは、一実施形態によるＬ−ＳＩＧフィールド１４０６を図示する図である。図１４Ｂの実施形態において、Ｌ−ＳＩＧフィールド１４０６は、ダブルガードインターバル１４１０と、プリアンブル１１５１におけるＬ−ＳＩＧフィールド７０６の内容を含む第１のＬ−ＳＩＧフィールド１４１２と、プリアンブル１１５１における二次Ｌ−ＳＩＧ２フィールド１１５４の内容を含む第２のＬ−ＳＩＧフィールド１４１４とを含む。様々な実施形態において、Ｌ−ＳＩＧフィールド１４０６は、図１１ＢのＬ−ＳＩＧフィールド７０６、１１５４に関して上述されたように、固定値に設定されるか、または変数値に設定された長さサブフィールドを含む。様々な実施形態において、Ｌ−ＳＩＧフィールド１４０６の冗長（反復される）ビットは、図１１ＢのＬ−ＳＩＧフィールド７０６、１１５４に関する上述の改善されたチャネル推定に用いられる。
【０１０４】
一実施形態において、データユニット１４００を受信するレガシクライアント局は、Ｌ−ＳＩＧフィールド１４０６がノーマルガードインターバルを含むものと想定する。図１４Ｃに図示されるように、本実施形態において、レガシクライアント局において想定されるＬ−ＳＩＧ情報ビットのＦＦＴウィンドウは、実際のＬ−ＳＩＧフィールド１４１２と比較してシフトされる。一実施形態において、レガシクライアント局により予期されたようにＦＦＴウィンドウ内のコンスタレーションポイントがＢＰＳＫ変調に対応することを確実にして、従ってレガシクライアント局がＬ−ＳＩＧフィールド１４１２を適切にデコードすることを可能にするべく、Ｌ−ＳＩＧフィールド１４１２の変調は、標準のＢＰＳＫ変調に対して位相変位される。例えば、２０ＭＨｚのＯＦＤＭシンボルにおいて、ノーマルガードインターバルが０．８μｓであり、ダブルガードインターバルが１．６μｓである場合、Ｌ−ＳＩＧフィールド１４１２のＯＦＤＭトーンｋの変調は、次式から見られ得る元のＬ−ＳＩＧの対応するＯＦＤＭトーンｋに対してシフトされる。
【数１】
0006464493.tif 000002
従って、一実施形態において、Ｌ−ＳＩＧフィールド１４１２は、標準のＢＰＳＫではなく反転Ｑ−ＢＰＳＫを用いて変調される。従って、一実施形態において、例えば値１のビットは−ｊに変調され、ビット値０はｊに変調されて、標準の｛１，−１｝ＢＰＳＫ変調ではなく｛ｊ，−ｊ｝変調をもたらす。一実施形態において、Ｌ−ＳＩＧフィールド１４１２の反転Ｑ−ＢＰＳＫ変調の結果として、レガシクライアント局は、Ｌ−ＳＩＧフィールド１４１２を適切にデコードし、一実施形態において、Ｌ−ＳＩＧ１４１２フィールドに基づいてデータユニット１４００の持続時間を判断し得る。他方、一実施形態においてＨＥＷプロトコルに準拠して動作するクライアント局は、Ｌ−ＳＩＧフィールド１４１２の反復を検出するか、またはレガシクライアント局のＦＦＴウィンドウ内のＬ−ＳＩＧフィールドの反転Ｑ−ＢＰＳＫ変調を検出することにより、プリアンブル１４０１が距離延長モードプリアンブルであると自動検出し得る。あるいは、複数の他の実施形態において、ＨＥＷプロトコルに準拠して動作するクライアント局は、ＨＥＷ−ＳＩＧＡフィールド１１５２の変調またはフォーマットに基づくなど、上述の他の複数の検出方法を用いて、プリアンブル１４０１が距離延長モードプリアンブルであることを検出する。
【０１０５】
図１１Ａ〜図１１Ｂおよび図１４Ａを参照すると、いくつかの実施形態において、ロングガードインターバルは、標準モードプリアンブル（例えば、プリアンブル１１０１）および距離延長モードプリアンブル（例えば、プリアンブル１１５１またはプリアンブル１４０１）の双方の初期ＯＦＤＭシンボルに用いられる。例えば、例えば、図１１Ａ〜図１１Ｂを参照すると、一実施形態において、Ｌ−ＳＴＦフィールド７０２、Ｌ−ＬＴＦフィールド７０４およびＬ−ＳＩＧフィールド７０６、１１５４、ならびにＨＥＷ−ＳＩＧＡフィールド１１５２は、ロングガードインターバルを用いて各々生成される。同様に、図１４Ａを参照すると、一実施形態において、Ｌ−ＳＴＦフィールド７０２、Ｌ−ＬＴＦフィールド７０４、Ｌ−ＳＩＧフィールド１４０６、およびＨＥＷ−ＳＩＧＡフィールド１１５２は、ロングガードインターバルを用いて生成される。一実施形態において、受信デバイスは、様々な実施形態におけるＨＥＷ−ＳＩＧＡフィールド１１５２の変調（例えば、Ｑ−ＢＰＳＫ）に基づくか、またはＨＥＷ−ＳＩＧＡフィールド１１５２に含まれる表示に基づいてプリアンブルが標準モードプリアンブルまたは距離延長モードプリアンブルに対応するかを判断し得る。更に、図１１Ｂのプリアンブル１１５１と同様に、図１４Ａのプリアンブル１４０１は、実施形態および／もしくはシナリオに応じて第２のＬ−ＬＴＦ２フィールド１１５６を含み、または省略する。
【０１０６】
図１５は、一実施形態による、ＨＥＷ−ＳＩＧＡフィールド１５００ののフォーマットを図示するブロック図である。いくつかの実施形態において、データユニット１１５０またはデータユニット１４００のＨＥＷ−ＳＩＧＡフィールド１１５２は、ＨＥＷ−ＳＩＧＡフィールド１５００としてフォーマットされる。いくつかの実施形態において、ＨＥＷ−ＳＩＧＡフィールド１１０８は、ＨＥＷ−ＳＩＧＡフィールド１５００としてフォーマットされる。ＨＥＷ−ＳＩＧＡフィールド１５００は、ダブルガードインターバル１５０２、ＨＥＷ−ＳＩＧＡフィールド１５０４の第１の反復、およびＨＥＷ−ＳＩＧＡフィールド１５０６の第２の反復を含む。例示的な実施形態において、ＤＧＩは１．８μｓであり、ＨＥＷ−ＳＩＧＡの各反復は３．２μｓである。一実施形態において、ＨＥＷ−ＳＩＧＡフィールド１５００における反復されるビットは、ＨＥＷ−ＳＩＧＡフィールド１５００のデコードの信頼性を高めるべく用いられる。一実施形態において、ＨＥＷ−ＳＩＧＡフィールド１５００のフォーマットは、ＨＥＷ−ＳＩＧＡフィールド１５００のフォーマットを用いるプリアンブルのＨＥＷ−ＳＩＧＡフィールドの自己相関と、図１３Ａに図示されるフォーマット等の標準モードで用いられる標準のＨＥＷ−ＳＩＧＡフィールドフォーマットを用いるプリアンブルのＨＥＷ−ＳＩＧＡフィールドの自己相関との間の比較に基づいて、距離延長モードプリアンブルを自動検出するべく用いられる。いくつかの実施形態において、ＨＥＷ−ＳＩＧＡフィールド１５００は、データ部分７１６と比較して小さい冗長性を用いて変調される。ＨＥＷ−ＳＩＧＡフィールド１５００の追加の時間領域の反復は、デコード性能における十分な改善を提供するからである。
【０１０７】
図１６は、一実施形態による、標準符号化スキームを用いて複数の標準モードデータユニットを生成する例示的なＰＨＹ処理ユニットを図示するブロック図である。一実施形態において、図１を参照すると、ＡＰ１４およびクライアント局２５−１は各々、ＰＨＹ処理ユニット１６００等のＰＨＹ処理ユニットを含む。様々な実施形態および／またはシナリオにおいて、ＰＨＹ処理ユニット１６００は、例えば、図９Ａ、図９Ｂ，図１０Ａ、または図１０Ｂのデータユニットのうち１つ等、距離延長データユニットを生成する。ＰＨＹ処理ユニット１６００は、一般に１または０の長いシーケンスの発生を低減させるべく、情報ビットストリームをスクランブルするスクランブラ１６０２を含む。ＦＥＣエンコーダ１６０６は、スクランブル済み情報ビットをエンコードして、エンコード済みデータビットを生成する。一実施形態において、ＦＥＣエンコーダ１６０６は、２値畳み込みコード（ＢＣＣ）を含む。別の実施形態において、ＦＥＣエンコーダ１６０６は、２値畳み込みエンコーダを含み、その次にパンクチャリングブロックが続く。なおも別の実施形態において、ＦＥＣエンコーダ１６０６は、低密度パリティ検査（ＬＤＰＣ）エンコーダを含む。インターリーバ１６１０は、エンコード済みデータビットを受信し、これらビットをインターリーブ（すなわち、ビットの順番を変更）して、隣接するノイズの多い複数のビットの長いシーケンスが、レシーバのデコーダに入力されるのを防ぐ。コンスタレーションマッパ１６１４は、インターリーブされた複数のビットのシーケンスを、ＯＦＤＭシンボルの異なるサブキャリアに対応するコンスタレーションポイントにマッピングする。より具体的には、各空間ストリームについて、コンスタレーションマッパ１６１４は、長さｌｏｇ２（Ｍ）の各ビットシーケンスを、Ｍ個のコンスタレーションポイントのうちの１つに変換する。
【０１０８】
コンスタレーションマッパ１６１４の出力は各々、コンスタレーションポイントのブロックを時間領域の信号に変換する離散逆フーリエ変換（ＩＤＦＴ）ユニット１６１８により演算される。ＰＨＹ処理ユニット１６００が複数の空間ストリームを介して送信するための複数のデータユニットを生成するべく動作する実施形態または状況において、サイクリックシフトダイバーシチ（ＣＳＤ）ユニット１６２２は、意図しないビーム形成を防止するべく、複数の空間ストリームのうち１つ以外の全てに周期シフトを挿入する。ＣＳＤユニット１６２２の出力は、ガードインターバル（ＧＩ）挿入に供給され、ＯＦＤＭシンボルの循環拡張をＯＦＤＭシンボルの先頭に付加し、各シンボルのエッジをスムースにして、スペクトル減衰を増大させるウィンドウ化ユニット１６２６に供給される。ＧＩ挿入およびウィンドウ化ユニット１６２６の出力は、アナログおよび無線周波数（ＲＦ）ユニット１６３０に供給されて、これは信号をアナログ信号に変換し、この信号を送信のためのＲＦ周波数へとアップコンバートする。
【０１０９】
様々な実施形態において、距離延長モードは、標準モードの最も低いデータレート変調および符号化スキーム（ＭＣＳ）に対応し、複数のビットの冗長性または反復をデータユニットの少なくともいくつかのフィールドまたは複数のシンボルの反復に導入して、データレートを更に低減する。例えば、様々な実施形態および／またはシナリオにおいて距離延長モードは、下記の１または複数の距離延長符号化スキームにより、距離延長モードデータユニットまたは複数のシンボルの反復のデータ部分および／または非レガシ信号フィールドに、冗長性を導入する。一例として、一実施形態によれば、複数の標準モードデータユニットは、標準符号化スキームにより生成される。様々な実施形態において、標準符号化スキームは、ＭＣＳ０（二位相偏移変調（ＢＰＳＫ）変調および１／２の符号化レート）〜ＭＣＳ９（直交振幅変調（ＱＡＭ）および５／６の符号化レート）等、変調および符号化スキーム（ＭＣＳ）のセットから選択されたＭＣＳであり、高次のＭＣＳは、より高いデータレートに対応する。そのような一実施形態における距離延長モードデータユニットは、ＭＣＳ０により規定された変調および符号化等の距離延長符号化スキームを用いて生成され、追加されたビットの反復、ブロックのエンコードまたはシンボルの反復は、データレートを更に低減する。
【０１１０】
図１７Ａは、一実施形態による、距離延長符号化スキームを用いて、複数の距離延長モードデータユニットを生成する例示的なＰＨＹ処理ユニット１７００のブロック図である。いくつかの実施形態において、ＰＨＹ処理ユニット１７００は、距離延長モードデータユニットの信号および／またはデータフィールドを生成する。一実施形態において、図１を参照すると、ＡＰ１４およびクライアント局２５−１は各々、ＰＨＹ処理ユニット１７００等のＰＨＹ処理ユニットを含む。
【０１１１】
ＰＨＹ処理ユニット１７００は、スクランブラ１７０２に結合されたブロックコーダ１７０４を、ＰＨＹ処理ユニット１７００が含むことを除き、図１６のＰＨＹ処理ユニット１６００に類似する。一実施形態において、ブロックコーダ１７０４は、ある時点のブロック毎の入力された（スクランブル済みの）情報ビットを読み取り、各ブロック（またはブロック内の各ビット）のいくつかのコピーを生成して、距離延長符号化スキームに従ってもたらされるビットをインターリーブし、ＦＥＣエンコーダ１７０６（例えば２値畳み込みエンコーダ）により更にエンコードするインターリーブ済みビットを出力する。一般に、一実施形態によれば、各ブロックは、ブロックコーダ１７０４およびＦＥＣエンコーダ１７０６によりエンコードされた後、１つのＯＦＤＭシンボルのデータトーンを満たす情報ビットの数を含む。一例としては、一実施形態において、ブロックコーダ１７０４は、各ブロックの１２の情報ビットのコピーを２つ（２ｘ反復）を生成して、ＯＦＤＭシンボルに含まれる２４ビットを生成する。この２４ビットが更にＦＥＣエンコーダ１７０６により１／２の符号化レートでエンコードされて４８ビットを生成し、４８ビットが（例えば、ＢＰＳＫ変調を用いて）ＯＦＤＭシンボルの４８個のデータトーンを変調する。別の例としては、別の実施形態において、ブロックコーダ１７０４は、各ブロックの６つの情報ビットのコピーを４つ（４ｘ反復）生成して２４ビットを生成し、この２４ビットがＦＥＣエンコーダ１７０６により１／２の符号化レートでエンコードされ、ＯＦＤＭシンボルの４８のデータトーンを変調する４８ビットを生成する。なおも別の例としては、別の実施形態において、ブロックコーダ１７０４は、各ブロックの１３の情報ビットのコピーを２つ（２ｘ反復）生成して２６ビットを生成し、この２６ビットがＦＥＣエンコーダ１７０６により１／２の符号化レートでエンコードされ、ＯＦＤＭシンボルの５２のデータトーンを変調する５２ビットを生成する。複数の他の実施形態において、ブロックコーダ１７０４およびＦＥＣエンコーダ１７０６は、ＯＦＤＭシンボルのデータトーンの変調のために１０４、２０８、または任意の好適な数のビットを生成するように構成されている。
【０１１２】
いくつかの実施形態において、ブロックコーダ１７０４は、２０ＭＨｚチャネルに対するＩＥＥＥ８０２．１１ｎ規格で規定されるＭＣＳ０により定義されたデータ（または信号）フィールドを生成する場合、すなわち、１つのＯＦＤＭシンボル当たり５２のデータトーンが存在する場合、４ｘ反復するスキームを適用する。この場合、一実施形態によれば、ブロックコーダ１７０４は、各ブロックの６つの情報ビットのコピーを４つ生成して、２４ビットを生成し、次に２つのパディングビット（すなわち、予め定められた値の２つのビット）を追加して、指定された数のビット（すなわち、５２データトーンに対して２６ビット）をＢＣＣエンコーダに提供し、ＢＣＣエンコーダは、１／２の符号化レートを用いてこの２６ビットをエンコードし、５２個のデータトーンを変調するための５２の符号化済みビットを生成する。
【０１１３】
一実施形態において、ブロックコーダ１７０４は、ｎのビットの各ブロックが、ｍ回連続して反復される「ブロックレベル」の反復スキームを使用する。一例として、ｍが４に等しい場合（４ｘ反復）、ブロックコーダ１７０４は、一実施形態によれば、［Ｃ，Ｃ，Ｃ，Ｃ］というシーケンスを生成する。Ｃは、ｎのビットのブロックである。別の実施形態において、ブロックコーダ１７０４は、入力された各ビットが、ｍ回連続して反復される「ビットレベル」の反復スキームを使用する。この場合、一実施形態において、ｍが４に等しい場合（４ｘ反復）、ブロックコーダ１７０４は、シーケンス［ｂ１  ｂ１  ｂ１  ｂ１  ｂ２  ｂ２  ｂ２  ｂ２  ｂ３  ｂ３  ｂ３  ｂ３...］を生成する。ｂ１は、複数ビットのブロックにおける第１番目のビットであり、ｂ２は第２番目のビットであり、以下同様である。なおも別の実施形態において、ブロックコーダ１７０４は、入力されたビットのｍの数のコピーを生成して、もたらされたビットストリームを、任意の好適なコードに従ってインターリーブする。あるいは、なおも別の実施形態において、ブロックコーダ１７０４は、任意の好適なコード、例えば、１／２、１／４等の符号化レートを有するハミングブロックコード、または１／２、１／４の符号化レートを有するその他のブロックコード（例えば、（１，２）又は（１，４）ブロックコード、（１２，２４）ブロックコード、または（６，２４）ブロックコード、（１３，２６）ブロックコード等）を用いて、入力されたビットまたは入力されたビットのブロックをエンコードする。
【０１１４】
一実施形態によれば、ブロックエンコードユニット１７０４によって実行される符号化と、ＦＥＣエンコーダ１７０６によって実行される符号化の組み合わせに対応する実効符号化レートは、２つの符号化レートの積になる。例えば、ブロックコーダ１７０４が４ｘ反復（または１／４の符号化レート）を使用し、ＦＥＣエンコーダ１７０６が１／２の符号化レートを使用する実施形態において、もたらされる実効符号化レートは、１／８に等しくなる。一実施形態によれば、類似の標準モードデータユニットを生成するのに用いられる符号化レートと比較して低減された符号化レートの結果として、距離延長モードでのデータレートは、ブロックコーダ１７０４により適用される符号化レートの数字に対応する係数分（例えば、２の係数、４の係数等）だけ実質的に低減される。
【０１１５】
いくつかの実施形態において、ブロックコーダ１７０４は、制御モードデータユニットの信号フィールドを生成するのに用いられる、制御モードデータユニットのデータ部分を生成するブロック符号化スキームと同一のブロック符号化スキームを使用する。例えば、一実施形態において、信号フィールドのＯＦＤＭシンボルおよびデータ部分のＯＦＤＭシンボルは各々、４８のデータトーンを含み、本実施形態において、ブロックコーダ１７０４は、例えば、信号フィールドおよびデータ部分に対して、１２ビットのブロックを２ｘ反復するスキームを適用する。別の実施形態において、制御モードデータユニットのデータ部分および信号フィールドは、異なるブロック符号化スキームを用いて生成される。例えば、一実施形態において、長距離通信プロトコルは、データ部分の１つのＯＦＤＭシンボル当たりのデータトーン数と比較して、異なる１つのＯＦＤＭシンボル当たりのデータトーン数を信号フィールドに指定する。従って、本実施形態において、ブロックコーダ１７０４は、異なるブロックサイズを使用し、また、いくつかの実施形態において、信号フィールドに対する動作時に、データ部分を生成するのに用いられたブロックサイズおよび符号化スキームと比較して、異なるブロックサイズおよび符号化スキームを用いる。例えば、長距離通信プロトコルが、信号フィールドの１つのＯＦＤＭシンボル当たり５２のデータトーンを指定し、データ部分の１つのＯＦＤＭトーン当たり４８のデータトーンを指定する場合、一実施形態によれば、ブロックコーダ１７０４は、２ｘ反復するスキームを信号フィールドの１３ビットのブロックに適用し、２ｘ反復するスキームをデータ部分の１２ビットのブロックに適用する。
【０１１６】
一実施形態によれば、ＦＥＣエンコーダ１７０６は、ブロックエンコードされた情報ビットをエンコードする。一実施形態において、ＢＣＣエンコードは、生成されるフィールド全体に渡って（例えば、データフィールド全体、信号フィールド全体等）連続して実行される。従って、本実施形態において、生成されるフィールドに対応する情報ビットは、指定された大きさ（例えば、６ビット、１２ビット、１３ビット、またはその他の好適なビット数）の複数のブロックに分割され、各ブロックは、ブロックコーダ１７０４により処理され、次に、もたらされたデータストリームはＦＥＣエンコーダ１７０６に供給され、ＦＥＣエンコーダ１７０６は、入力されたビットを連続してエンコードする。
【０１１７】
様々な実施形態において、図１６のインターリーバ１６１０と同様に、ダイバーシチ利得を提供し、データストリーム中の連続した複数のビットが送信チャネル内で破損する確率を低減するべく、インターリーバ１７１０は、複数のビットの順番を変更する。しかし、いくつかの実施形態において、ブロックコーダ１７０４は、十分なダイバーシチ利得を提供し、インターリーバ１７１０は省略される。いくつかの実施形態において、インターリーバ１７１０またはＦＥＣエンコーダ１７０６は、上記のように送信用のコンスタレーションマッパ１６１４にビットを提供する。
【０１１８】
いくつかの実施形態において、距離延長モードデータユニットのデータ部分における情報ビットが、パディングされて（すなわち、知られた値のビット数が情報ビットに追加される）ので、例えば、データユニットは、整数のＯＦＤＭシンボルを占めるようになる。図１を参照すると、いくつかの実施形態において、パディングがＭＡＣ処理ユニット１８、２８および／またはＰＨＹ処理ユニット２０、２９に実装される。いくつかのそのような実施形態において、パディングビットの数は、短距離通信プロトコル（例えば、ＩＥＥＥ８０２．１１ａ規格、ＩＥＥＥ８０２．１１ｎ規格、ＩＥＥＥ８０２．１１ａｃ規格等）で提供されているパディング式に準拠して決定される。一般に、これらのパディング式には、１つのＯＦＤＭシンボル当たりのデータビットの数（ＮＤＢＰＳ）および／または１シンボル当たりの符号化されたデータビットの数（ＮＣＢＰＳ）に部分的に基づいて、パディングビットの数を計算することが含まれる。一実施形態によれば、距離延長モードでは、パディングビットの数は、情報ビットがブロックコーダ１７０４によりブロックエンコードされ、ＦＥＣエンコーダ１７０６によってＢＣＣエンコードされる前の、１つのＯＦＤＭシンボルの情報ビットの数（例えば、６ビット、１２ビット、１３ビット等）に基づいて決定される。従って、距離延長モードデータユニットにおけるパディングビットの数は一般に、対応する標準モードデータ（又は対応する短距離データユニット）におけるパディングビットの数とは異なる。他方、一実施形態によれば、１シンボル当たりの符号化済みのビットの数は、標準モードデータユニット（または対応する短距離データユニット）の１シンボル当たりの符号化済みのビットの数と同一であり、例えば１つのＯＦＤＭ当たりの符号化済みのビットは、２４、４８、５２等である。
【０１１９】
図１７Ｂは、別の実施形態による、複数の距離延長モードデータユニットを生成する例示的なＰＨＹ処理ユニット１７５０のブロック図である。いくつかの実施形態において、ＰＨＹ処理ユニット１７５０は、距離延長モードデータユニットの信号および／またはデータフィールドを生成する。一実施形態において、図１を参照すると、ＡＰ１４およびクライアント局２５−１は各々、ＰＨＹ処理ユニット１７５０等のＰＨＹ処理ユニットを含む。
【０１２０】
ＰＨＹ処理ユニット１７５０は、ＰＨＹ処理ユニット１７５０において、ＦＥＣエンコーダ１７０６がＬＤＰＣエンコーダ１７５６と交換されることを除き、図１７ＡのＰＨＹ処理ユニット１７００に類似する。従って、本実施形態において、ブロックコーダ１７０４の出力は、ＬＤＰＣエンコーダ１７５６により更なるブロックエンコードに提供される。一実施形態において、ＬＤＰＣエンコーダ１７５６は、１／２の符号化レートに対応するブロックコード、または別の好適な符号化レートに対応するブロックコードを使用する。図示される実施形態において、ＰＨＹ処理ユニット１７５０はインターリーバ１７１０を省略しているが、これは、情報ストリームにおける隣接する複数のビットが一般に、ＬＤＰＣコード自体によって拡散されており、更なるインターリーブが必要とされないからである。更に、一実施形態において、ＬＤＰＣトーン再マッピングユニット１７６０により、更なる周波数ダイバーシチが提供される。一実施形態によれば、ＬＤＰＣトーン再マッピングユニット１７６０は、トーン再マッピング関数に従って、符号化済み情報ビットまたは符号化済み情報ビットのブロックを再び並び替える。一般に、トーン再マッピング関数は、連続した符号化済み情報ビットまたは連続した情報ビットのブロックがＯＦＤＭシンボルにおける不連続なトーンにマッピングされて、連続した複数のＯＦＤＭトーンが送信中に悪影響を受けた場合に、レシーバにおいてデータの回復を容易にするように規定される。いくつかの実施形態において、ＬＤＰＣトーン再マッピングユニット１７６０は省略される。図１７Ａを再び参照すると、様々な実施形態において、ＦＥＣエンコーダ１７０６を適切に動作させるべく、通常、いくつかのテールビットがデータユニットの各フィールドに追加され、例えば、ＢＣＣエンコーダが各フィールドをエンコードした後で、ゼロ状態に戻ることを確実にする。一実施形態において、例えば、データ部分がＦＥＣエンコーダ１７０６に供給される前に（例えば、ビットがブロックコーダ１７０４により処理された後）、６個のテールビットが、データ部分の終わりに挿入される。
【０１２１】
いくつかの実施形態において、距離延長モードデータユニットの信号フィールドは、標準モードデータユニットの信号フィールド形式と比較して異なる形式を有する。そのようないくつかの実施形態において、距離延長モードデータユニットの信号フィールドは、標準モードデータユニットの信号フィールド形式と比較して短い。例えば、一実施形態による距離延長モードでは、１つの変調および符号化スキームのみが用いられ、従って距離延長モード信号フィールドで通信される必要がある変調および符号化に関する情報はより少なくなる（または通信する情報がなくなる）。同様に、一実施形態において、距離延長モードデータユニットの最大長は、標準モードのデータユニットの最大長と比較して短く、この場合に距離延長モード信号フィールドの長さサブフィールドに必要とされるビット数は少なくなる。一例として、一実施形態において、距離延長モード信号フィールドは、ＩＥＥＥ８０２．１１ｎ規格に準拠してフォーマットされるが、特定のサブフィールド（例えば、低密度パリティ検査符号（ＬＤＰＣ）サブフィールド、時空間ブロック符号化（ＳＴＢＣ）サブフィールド等）は省略されている。更に、または代替的に、いくつかの実施形態において、距離延長モード信号フィールドは、標準モード信号フィールドの巡回冗長検査（ＣＲＣ）サブフィールドと比較して短いＣＲＣサブフィールド（例えば、８ビット未満）を含む。一般に、いくつかの実施形態によれば、距離延長モードでは、特定の信号フィールドサブフィールドが省略もしくは変更され、および／または特定の新規の情報が追加される。
【０１２２】
図１８Ａは、別の実施形態による、距離延長符号化スキームを用いて、複数の距離延長モードデータユニットを生成する例示的なＰＨＹ処理ユニット１８００のブロック図である。いくつかの実施形態において、ＰＨＹ処理ユニット１８００は、距離延長モードデータユニットの信号および／またはデータフィールドを生成する。一実施形態において、図１を参照すると、ＡＰ１４およびクライアント局２５−１は各々、ＰＨＹ処理ユニット１８００等のＰＨＹ処理ユニットを含む。
【０１２３】
ＰＨＹ処理ユニット１８００は、ＰＨＹ処理ユニット１８００において、ブロックコーダ１８０８がＦＥＣエンコーダ１８０６の後に配置されていることを除き、図１７ＡのＰＨＹ処理ユニット１７００に類似する。従って、本実施形態において、情報ビットは、まずスクランブラ１８０２によってスクランブルされ、ＦＥＣエンコーダ１８０６によりエンコードされ、ＦＥＣエンコード済みのビットは、次にブロックコーダ１８０８によりブロックエンコードされる。一実施形態において、ＰＨＹ処理ユニット１７００の例示的な実施形態のように、ＦＥＣエンコーダ１８０６による処理は、生成されるフィールド全体（例えば、データ部分全体、信号フィールド全体等）に渡って連続して実行される。従って、本実施形態において、生成されるフィールドに対応する情報ビットは、まずＦＥＣエンコーダ１８０６によってエンコードされて、次にＢＣＣ符号化されたビットは、指定された大きさ（例えば、６ビット、１２ビット、１３ビット、またはその他の好適なビット数）を有する複数のブロックに分割される。次に、各ブロックがブロックコーダ１８０８により処理される。一例として、一実施形態において、ＦＥＣエンコーダ１８０６は、１／２の符号化レートを用いて１つのＯＦＤＭシンボル当たり１２の情報ビットをエンコードして、２４のＢＣＣ符号化済みビットを生成し、このＢＣＣ符号化済みビットをブロックコーダ１８０８に提供する。一実施形態において、ブロックコーダ１８０８は、入力された各ブロックについて２つのコピーを生成して、距離延長符号化スキームに従って生成されたビットをインターリーブし、ＯＦＤＭシンボル内に含まれる４８ビットを生成する。そのような一実施形態において、この４８ビットは、ＩＤＦＴ処理ユニット１８１８において６４の大きさの高速フーリエ変換（ＦＦＴ）を用いて生成された４８データトーンに対応する。別の例として、別の実施形態において、ＦＥＣエンコーダ１８０６は、１／２の符号化レートを用いて１つのＯＦＤＭシンボル当たり６つの情報ビットをエンコードして、１２のＢＣＣ符号化済みビットを生成し、このＢＣＣ符号化済みビットをブロックコーダ１８０８に提供する。一実施形態において、ブロックコーダ１８０８は、入力された各ブロックについて２つのコピーを生成して、距離延長符号化スキームに従って生成されたビットをインターリーブし、ＯＦＤＭシンボル内に含まれる２４ビットを生成する。そのような一実施形態において、この２４ビットは、ＩＤＦＴ処理ユニット１８１８において３２の大きさの高速フーリエ変換（ＦＦＴ）を用いて生成された２４データトーンに対応する。
【０１２４】
図１７Ａのブロックコーダ１７０４と同様に、距離延長モードデータユニットの信号フィールドを生成するべくブロックコーダ１８０８により用いられる距離延長符号化スキームは、実施形態に応じて、距離延長モードデータユニットのデータ部分を生成するべくブロックコーダ１８０８により用いられる距離延長符号化スキームと異なるか、または同一である。様々な実施形態において、ブロックコーダ１８０８は、図１７Ａのブロックコーダ１７０４に関して上述された「ブロックレベル」反復スキームまたは「ビットレベル」反復スキームを実装する。同様に、別の実施形態において、ブロックコーダ１８０８は、ｍの数の入力されたビットのコピーを生成して、好適なコードに従ってもたらされたビットストリームをインターリーブし、あるいは任意の好適なコード、例えば、１／２、１／４等の符号化レートを有するハミングブロックコード、または１／２、１／４の符号化レートを有するその他のブロックコード（例えば、（１，２）又は（１，４）ブロックコード、（１２，２４）ブロックコード、または（６，２４）ブロックコード、（１３，２６）ブロックコード等）を用いて、入力されたビットまたは入力されたビットのブロックをエンコードする。一実施形態によれば、ＰＨＹ処理ユニット１８００によって生成されるデータユニットに対する有効符号化レートは、ＦＥＣエンコーダ１８０６により用いられる符号化レートと、ブロックコーダ１８０８により用いられる反復の数（または符号化レート）の積になる。
【０１２５】
一実施形態において、ブロックコーダ１８０８は、十分なダイバーシチ利得を提供し、符号化済みビットの更なるインターリーブが必要とされなくなるので、インターリーバ１８１０は省略される。インターリーバ１８１０を省略する１つの利点は、この場合において、いくつかのそのような状況で１シンボル当たりのビット数がたとえ整数でなくとも、５２のデータトーンを有するＯＦＤＭシンボルが、４ｘまたは６ｘ反復するスキームを用いて生成され得ることである。例えば、そのような一実施形態において、ＦＥＣエンコーダ１８０６の出力は、１３ビットのブロックに分割されて、各ブロックが４回反復され（または１／４のレートでブロックエンコードされ）、ＯＦＤＭシンボルに含まれる５２ビットが生成される。この場合、ＦＥＣエンコーダ１８０６が１／２の符号化レートを使用する場合、１シンボル当たりのデータビットの数は、６．５に等しい。６ｘの反復を使用する例示的な実施形態において、ＦＥＣエンコーダ１８０６は、１／２の符号化レートを用いて情報ビットをエンコードし、その出力は、４ビットのブロックに分割される。ブロックコーダ１８０８は、４ビットの各ブロックを６回反復して（または、１／６の符号化レートを用いて各ブロックをブロックエンコードして）、４パディングビットを追加し、ＯＦＤＭシンボルに含まれるべき５２ビットを生成する。
【０１２６】
上述の図１７ＡにおけるＰＨＹ処理ユニット１７００の例のように、ＰＨＹ処理ユニット１８００によりパディングが用いられる場合には、パディングビット計算に用いられる１シンボル当たりのデータビットの数（ＮＤＢＰＳ）は、１つのＯＦＤＭシンボルにおける非冗長データビットの実際の数（例えば、上記の例では、６ビット、１２ビット、１３ビット、またはその他の好適なビット数）である。パディングビットの計算で用いられる１シンボルあたりの符号化されたデータビットの数（ＮＣＢＰＳ）は、１つのＯＦＤＭシンボルに含まれる実際のビットの数に等しい（例えば、２４ビット、４８ビット、５２ビット、または１つのＯＦＤＭシンボルに含まれるその他の好適なビット数）。
【０１２７】
また、図１７ＡのＰＨＹ処理ユニット１７００の例におけるように、様々な実施形態において、ＦＥＣエンコーダ１８０６を適切に動作させるべく、通常、いくつかのテールビットがデータユニットの各フィールドに挿入され、例えば、ＢＣＣエンコーダが、各フィールドをエンコードした後で、ゼロ状態に戻ることを確実にする。一実施形態において、例えば、データ部分がＦＥＣエンコーダ１８０６に供給される前に（すなわち、ブロックコーダ１７０４による処理が実行された後）、６個のテールビットが、データ部分の終わりに挿入される。同様に、信号フィールドの場合、一実施形態によれば、信号フィールドがＦＥＣエンコーダ１８０６に供給される前に、テールビットは、信号フィールドの終わりに挿入される。ブロックコーダ１８０８が、４ｘ反復されるスキーム（または１／４の符号化レートを使用する別のブロックコード）を用いる例示的な一実施形態において、ＦＥＣエンコーダ１８０６は１／２の符号化レートを使用し、信号フィールドは２４の情報ビット（テールビットを含む）を含み、この２４信号フィールドビットは、ＢＣＣエンコードされて４８のＢＣＣエンコード済みビットが生成され、この４８ビットは、１２ビットの４つのブロックにそれぞれ分割されて、ブロックコーダ１８０８により更に符号化される。従って、本実施形態において、信号フィールドは、４つのＯＦＤＭシンボルに渡って送信されて、ＯＦＤＭシンボルの各々は、信号フィールドの６つの情報ビットを含む。
【０１２８】
更に、いくつかの実施形態において、ＰＨＹ処理ユニット１８００は、ＩＥＥＥ８０２．１１ｎ規格またはＩＥＥＥ８０２．１１ａｃ規格で指定されるＭＣＳ０に従って、５２のデータトーンを有する複数のＯＦＤＭシンボルを生成し、ブロックコーダ１８０８は、４ｘ反復するスキームを使用する。そのようないくつかの実施形態において、更なるパディングが用いられて、１つのＯＦＤＭシンボルに含まれるエンコード済みのもたらされるデータストリームが、５２ビットを含むのを確実にする。そのような一実施形態において、ビットがブロックコーダ１８０８によって処理された後に、符号化された情報ビットにパディングビットが追加される。
【０１２９】
図１８Ａの実施形態において、ＰＨＹ処理ユニット１８００は、ピーク対平均電力比（ＰＡＰＲ）低減ユニット１８０９も含む。一実施形態において、ＰＡＰＲ低減ユニット１８０９は、反復されるブロックのいくつかまたは全てにおけるビットをフリップして、同一のビットシーケンスがＯＦＤＭシンボル内の異なる周波数位置に発生する確率を低減または除去して、それにより出力信号のピーク対平均電力比を低減する。一般的に、ビットフリップは、０のビット値を１のビット値に変更し、１のビット値を０のビット値に変更する。一実施形態によれば、ＰＡＰＲ低減ユニット１８０９は、ＸＯＲ演算を用いてビットフリップを実装する。例えば、符号化されたビットのブロックの４ｘの反復を使用する実施形態において、１つのＯＦＤＭシンボルに含まれる符号化されたビットの１ブロックがＣであり、Ｃ'である場合Ｃ  ＸＯＲ  １と表記される（すなわち、ブロックＣがビットフリップされた）。いくつかの実施形態において、ＰＡＰＲ低減ユニット１８０９の出力におけるいくつかの可能なビットシーケンスは、［Ｃ  Ｃ'  Ｃ'  Ｃ'］，［Ｃ'  Ｃ'  Ｃ'  Ｃ］，［Ｃ  Ｃ'  Ｃ  Ｃ'］，［Ｃ  Ｃ  Ｃ  Ｃ'］等となる。一般に、フリップされたビットを有するブロックと、フリップされないビットを有するブロックとの任意の組み合わせが用いられ得る。いくつかの実施形態において、ＰＡＰＲユニット１８０９は、省略される。
【０１３０】
図１８Ｂは、別の実施形態による、複数の距離延長モードデータユニットを生成する例示的なＰＨＹ処理ユニット１８５０のブロック図である。いくつかの実施形態において、ＰＨＹ処理ユニット１８５０は、距離延長モードデータユニットの信号および／またはデータフィールドを生成する。一実施形態において、図１を参照すると、ＡＰ１４およびクライアント局２５−１は各々、ＰＨＹ処理ユニット１８５０等のＰＨＹ処理ユニットを含む。
【０１３１】
ＰＨＹ処理ユニット１８５０は、ＰＨＹ処理ユニット１８５０において、ＦＥＣエンコーダ１８０６がＬＤＰＣエンコーダ１８５６と交換されていることを除き、図１８ＡのＰＨＹ処理ユニット１８００に類似する。従って、本実施形態において、情報ビットは、まずＬＤＰＣエンコーダ１８５６によってエンコードされ、ＬＤＰＣ符号化済みのビットは、次にブロックコーダ１８０８と交換されるか、またはこれによりブロックエンコードされる。一実施形態において、ＬＤＰＣエンコーダ１８５６は、１／２の符号化レートに対応するブロックコード、または別の好適な符号化レートに対応するブロックコードを使用する。図示される実施形態において、ＰＨＹ処理ユニット１８５０はインターリーバ１８１０を省略しているが、これは、情報ストリームにおける隣接する複数のビットが一般に、ＬＤＰＣコード自体によって拡散されており、一実施形態によれば、更なるインターリーブが必要とされないからである。更に、一実施形態において、ＬＤＰＣトーン再マッピングユニット１８６０により、更なる周波数ダイバーシチが提供される。一実施形態によれば、ＬＤＰＣトーン再マッピングユニット１８６０は、トーン再マッピング関数に従って、符号化済み情報ビットまたは符号化済み情報ビットのブロックを再び並び替える。一般に、トーン再マッピング関数は、連続した符号化済み情報ビットまたは連続した情報ビットのブロックがＯＦＤＭシンボルにおける不連続なトーンにマッピングされて、連続した複数のＯＦＤＭトーンが送信中に悪影響を受けた場合に、レシーバにおいてデータの回復を容易にするように規定される。いくつかの実施形態において、ＬＤＰＣトーン再マッピングユニット１８６０は省略される。
【０１３２】
図１９Ａは、別の実施形態による、複数の距離延長モードデータユニットを生成する例示的なＰＨＹ処理ユニット１９００のブロック図である。いくつかの実施形態において、ＰＨＹ処理ユニット１９００は、距離延長モードデータユニットの信号および／またはデータフィールドを生成する。一実施形態において、図１を参照すると、ＡＰ１４およびクライアント局２５−１は各々、ＰＨＹ処理ユニット１９００等のＰＨＹ処理ユニットを含む。
【０１３３】
ＰＨＹ処理ユニット１９００は、ＰＨＹ処理ユニット１９００において、ブロックコーダ１９１６がコンスタレーションマッパ１９１４の後に配置されていることを除き、図１８ＡのＰＨＹ処理ユニット１８００に類似する。従って、本実施形態において、インターリーバ１９１０により処理された後、ＢＣＣエンコード済みの情報ビットはコンスタレーションシンボルにマッピングされて、次いでコンスタレーションシンボルは複製され、または別途、ブロックコーダ１９１６によりブロックエンコードされる。一実施形態によれば、ＦＥＣエンコーダ１９０６による処理は、生成されるフィールド全体（例えば、データフィールド全体、信号フィールド全体等）に対して連続して実行される。本実施形態において、生成されるフィールドに対応する情報ビットはまず、ＦＥＣエンコーダ１８０６によりエンコードされて、ＢＣＣ符号化済みビットが、コンスタレーションマッパ１９１４によりコンスタレーションシンボルにマッピングされる。次に、コンスタレーションシンボルが、指定された大きさ（例えば、６シンボル、１２シンボル、１３シンボル、またはその他の好適なシンボル数）の複数のブロックに分割され、各ブロックは、次にブロックコーダ１９１６により処理される。例として、２ｘの反復を使用する実施形態では、コンスタレーションマッパ１９１４は、２４のコンスタレーションシンボルを生成し、ブロックコーダ１９１６は、２４のシンボルのコピーを２つ生成して、ＯＦＤＭシンボルの４８データトーン（例えば、ＩＥＥＥ８０２．１１ａ規格に指定されるように）に対応する４８シンボルを生成する。別の例として、４ｘの反復を使用する実施形態では、コンスタレーションマッパ１９１４は、１２のコンスタレーションシンボルを生成し、ブロックコーダ１９１６は、１２のコンスタレーションシンボルのコピーを４つ生成して、ＯＦＤＭシンボルの４８データトーン（例えば、ＩＥＥＥ８０２．１１ａ規格に指定されるように）に対応する４８シンボルを生成する。なおも別の例として、２ｘの反復を使用する実施形態では、コンスタレーションマッパ１９１４は、２６のコンスタレーションシンボルを生成し、ブロックコーダ１９１６は、２６のシンボルを反復し（すなわち２６のシンボルのコピーを２つ生成する）、ＯＦＤＭシンボルの５２データトーン（例えば、ＩＥＥＥ８０２．１１ｎ規格またはＩＥＥＥ８０２．１１ａｃ規格に指定されるように）に対応する５２シンボルを生成する。一般に、様々な実施形態および／またはシナリオにおいて、ブロックコーダ１９１６は、入力されるコンスタレーションシンボルのブロックの任意の好適な数のコピーを生成し、生成されたシンボルを任意の好適な符号化スキームに従ってインターリーブする。図１７Ａのブロックコーダ１７０４および図１８Ａのブロックコーダ１８０８と同様に、距離延長モードデータユニットの１つの信号フィールド（または複数の信号フィールド）を生成するべくブロックコーダ１９１６により用いられる距離延長符号化スキームは、実施形態に応じて、距離延長モードデータユニットのデータ部分を生成するべくブロックコーダ１９１６により用いられる距離延長符号化スキームと異なるか、または同一である。一実施形態によれば、ＰＨＹ処理ユニット１９００によって生成されるデータユニットに対する有効符号化レートは、ＦＥＣエンコーダ１９０６により用いられる符号化レートと、ブロックコーダ１９１６により用いられる反復の数（または符号化レート）の積になる。
【０１３４】
一実施形態によれば、この場合、情報ビットがコンスタレーションシンボルにマッピングされた後に冗長性が導入されるので、ＰＨＹ処理ユニット１９００により生成される各ＯＦＤＭシンボルは、標準モードデータユニットに含まれるＯＦＤＭデータトーンと比較して、少ない非冗長データトーンを含む。従って、インターリーバ１９１０は、標準モードで用いられるインターリーバ（例えば、図１６のインターリーバ１６１０）と比較して、または対応する短距離データユニットを生成するときに用いられるインターリーバと比較して、１つのＯＦＤＭシンボル毎の少ない数のトーンに演算を行うように設計される。例えば、１つのＯＦＤＭシンボルあたり１２個の非冗長データトーンを用いる実施形態では、インターリーバ１９１０は、列数（Ｎｃｏｌ）が６、行数（Ｎｒｏｗ）が１サブキャリア当たりのビット数（Ｎｂｐｓｃｓ）×２を用いるように設計されている。１つのＯＦＤＭシンボル当たり１２の非冗長データトーンを用いる別の例示的な実施形態では、インターリーバ１９１０は、Ｎｃｏｌが４、及び、ＮｒｏｗがＮｂｐｓｃｓ×３を用いるように設計される。複数の他の実施形態において、標準モードで用いられるインターリーバパラメータとは異なる、他のインターリーバパラメータが、インターリーバ１９１０に使用される。あるいは、一実施形態において、ブロックコーダ１９１６は、十分なダイバーシチ利得を提供し、符号化済みビットの更なるインターリーブが必要とされなくなるので、インターリーバ１９１０は省略される。この場合、図１８ＡのＰＨＹ処理ユニット１８００を使用する例示的な実施形態におけるように、いくつかのそのような状況で１シンボル当たりのビット数がたとえ整数でなくとも、５２のデータトーンを有するＯＦＤＭシンボルが、４ｘまたは６ｘ反復するスキームを用いて生成され得る。
【０１３５】
上記の図１７ＡにおけるＰＨＹ処理ユニット１７００、または上述の図１８ＡのＰＨＹ処理ユニット１８００の例示的な実施形態におけるように、ＰＨＹ処理ユニット１９００により、パディングが用いられる場合には、パディングビット計算に用いられる１シンボル当たりのデータビットの数（ＮＤＢＰＳ）は、１つのＯＦＤＭシンボルにおける非冗長データビットの実際の数（例えば、上記の例における６ビット、１２ビット、１３ビット、または、その他の好適なビット数）である。パディングビットの計算で使用される１シンボル当たりの符号化済みビットの数（ＮＣＢＰＳ）は、１つのＯＦＤＭシンボルに含まれる非冗長ビットの数に等しく、この場合には、ブロックコーダ１９１６により処理されたコンスタレーションシンボルのブロックにおけるビットの数（例えば、１２ビット、２４ビット、２６ビット等）に対応する。
【０１３６】
いくつかの実施形態において、ＰＨＹ処理ユニット１９００は、ＩＥＥＥ８０２．１１ｎ規格またはＩＥＥＥ８０２．１１ａｃ規格で指定されるＭＣＳ０に従って、５２のデータトーンを有する複数のＯＦＤＭシンボルを生成し、ブロックコーダ１９１６は、４ｘ反復するスキームを使用する。そのようないくつかの実施形態において、更なるパディングが用いられて、１つのＯＦＤＭシンボルに含まれるエンコード済みのもたらされるデータストリームが、５２ビットを含むのを確実にする。そのような一実施形態において、ビットがブロックコーダ１８０８によって処理された後に、符号化された情報ビットにパディングビットが追加される。
【０１３７】
図１９Ａの実施形態において、ＰＨＹ処理ユニット１９００は、ピーク対平均電力比（ＰＡＰＲ）低減ユニット１９１７を含む。一実施形態において、ピーク対平均電力比低減ユニット１９１７は、反復するコンスタレーションを用いて変調されたデータトーンのいくつかに位相変位を追加する。例えば、一実施形態において、追加される位相シフトは、１８０°である。１８０°の位相シフトは、位相変位が実装されるデータトーンを変調するビットの符号フリップに対応する。別の実施形態において、ＰＡＰＲ低減ユニット１９１７は、１８０°以外の位相変位（例えば、９０°の位相変位またはその他の好適な位相変位）を追加する。一例として、４ｘの反復を使用する一実施形態では、ＯＦＤＭシンボルに含められる１２のコンスタレーションシンボルの１ブロックをＣと表記し、単純なブロックの反復が実行される場合には、もたらされるシーケンスは［Ｃ  Ｃ  Ｃ  Ｃ］である。いくつかの実施形態においては、ＰＡＰＲ低減ユニット１９１７は、反復されるブロックのいくつかに対して、符号フリップ（すなわち、−Ｃ）または９０°の位相変位（すなわち、ｊ＊Ｃ）を導入する。いくつかのそのような実施形態において、もたらされるシーケンスは、例えば、［Ｃ−Ｃ−Ｃ−Ｃ］，［−Ｃ−Ｃ−Ｃ−Ｃ］，［Ｃ−Ｃ  Ｃ−Ｃ］，［Ｃ  Ｃ  Ｃ−Ｃ］，［Ｃ  ｊ＊Ｃ，  ｊ＊Ｃ，  ｊ＊Ｃ］、またはＣ，−Ｃ，ｊ＊Ｃおよびｊ＊Ｃのその他の組み合わせである。一般に、様々な実施形態および／またはシナリオにおいて、任意の反復されたブロックに好適な位相変位を導入することができる。いくつかの実施形態において、ＰＡＰＲ低減ユニット１８０９は省略される。
【０１３８】
いくつかの実施形態において、ＰＨＹ処理ユニット１９００は、ＩＥＥＥ８０２．１１ｎ規格またはＩＥＥＥ８０２．１１ａｃ規格で指定されるＭＣＳ０に従って、５２のデータトーンを有する複数のＯＦＤＭシンボルを生成し、ブロックコーダ１９１６は、４ｘ反復するスキームを使用する。いくつかのそのような実施形態において、更なるパイロットトーンが挿入され、１つのＯＦＤＭシンボル内のもたらされるデータトーンおよびパイロットトーンの数が、短距離通信プロトコルで規定される５６に等しくなることを確実にする。一例として、一実施形態において６個の情報ビットが、符号化レート１／２でＢＣＣエンコードされて、もたらされる１２ビットが、１２のコンスタレーションシンボルにマッピングされる（ＢＰＳＫ）。１２のコンスタレーションシンボルは、１２のデータトーンを変調し、次にこれが４回反復されて、４８個のデータトーンを生成する。ＩＥＥＥ８０２．１１ｎ規格に指定されるように、４つのパイロットトーンが追加され、更に４つのパイロットトーンが追加されて、５６のデータトーンおよびパイロットトーンを生成する。
【０１３９】
図１９Ｂは、別の実施形態による、複数の距離延長モードデータユニットを生成する例示的なＰＨＹ処理ユニット１９５０のブロック図である。いくつかの実施形態において、ＰＨＹ処理ユニット１９５０は、距離延長モードデータユニットの信号および／またはデータフィールドを生成する。一実施形態において、図１を参照すると、ＡＰ１４およびクライアント局２５−１は各々、ＰＨＹ処理ユニット１９５０等のＰＨＹ処理ユニットを含む。
【０１４０】
ＰＨＹ処理ユニット１９５０は、ＰＨＹ処理ユニット１９５０において、ＦＥＣエンコーダ１９０６がＬＤＰＣエンコーダ１９５６と交換されていることを除き、図１９ＡのＰＨＹ処理ユニット１９００に類似する。従って、本実施形態において、ＬＤＰＣエンコード済みの情報ビットは、コンスタレーションマッパ１９１４によりコンスタレーションシンボルにマッピングされて、次いでコンスタレーションシンボルは複製され、または別途、ブロックコーダ１９１６によりブロックエンコードされる。一実施形態において、ＬＤＰＣエンコーダ１９５６は、１／２の符号化レートに対応するブロックコード、または別の好適な符号化レートに対応するブロックコードを使用する。図示される実施形態において、ＰＨＹ処理ユニット１９５０はインターリーバ１９１０を省略しているが、これは、情報ストリームにおける隣接する複数のビットが一般に、ＬＤＰＣコード自体によって拡散されており、一実施形態によれば、更なるインターリーブが必要とされないからである。更に、一実施形態において、ＬＤＰＣトーン再マッピングユニット１９６０により、更なる周波数ダイバーシチが提供される。一実施形態によれば、ＬＤＰＣトーン再マッピングユニット１９６０は、トーン再マッピング関数に従って、符号化済み情報ビットまたは符号化済み情報ビットのブロックを再び並び替える。一般に、トーン再マッピング関数は、連続した符号化済み情報ビットまたは連続した情報ビットのブロックがＯＦＤＭシンボルにおける不連続なトーンにマッピングされて、連続した複数のＯＦＤＭトーンが送信中に悪影響を受けた場合に、レシーバにおいてデータの回復を容易にするように規定される。いくつかの実施形態において、ＬＤＰＣトーン再マッピングユニット１９６０は省略される。
【０１４１】
図１７Ａ〜図１９Ｂに関して上記された複数の実施形態において、距離延長モードは、周波数領域においてビットおよび／またはコンスタレーションシンボルを反復することにより冗長性を導入する。あるいは、いくつかの実施形態において、距離延長符号化スキームは、信号におけるＯＦＤＭシンボルの反復および／または時間領域で実行される距離延長モードデータユニットのデータフィールドを含む。例えば、図２０Ａは、一実施形態による、距離延長モードデータユニットのプリアンブルにおけるＨＴ−ＳＩＧ１フィールドおよびＨＴ−ＳＩＧ２フィールドの各ＯＦＤＭシンボルが２ｘ反復されていることを示す図である。同様に、図２０Ｂは、一実施形態による、距離延長モードデータユニットのプリアンブルにおけるＬ−ＳＩＧフィールドの各ＯＦＤＭシンボルが２ｘ反復されることを示す図である。図２０Ｃは、一実施形態による、制御モードデータユニットのデータ部分におけるＯＦＤＭシンボルの時間領域反復スキームを示す図である。図２０Ｄは、別の実施形態による、データ部分におけるＯＦＤＭシンボルの反復スキームを示す図である。示されるように、図２０Ｃの実施形態において、ＯＦＤＭシンボルの反復が連続して出力されるが、図２０Ｄの実施形態においては、ＯＦＤＭシンボルの反復がインターリーブされる。一般に、様々な実施形態および／またはシナリオにおいて、ＯＦＤＭシンボルの反復は、任意の好適なインターリーブスキームに従って、インターリーブされる。
【０１４２】
図２１は、一実施形態による、データユニットを生成する例示的な方法２１００のフロー図である。図１を参照すると、方法２１００は、一実施形態においてネットワークインターフェース１６により実装される。例えば、そのような一実施形態において、ＰＨＹ処理ユニット２０は、方法２１００を実装するように構成されている。また、別の実施形態において、ＭＡＣ処理１８は、方法２１００の少なくとも一部を実装するように構成されている。図１を引き続き参照すると、なおも別の実施形態において、方法２１００は、ネットワークインターフェース２７（例えば、ＰＨＹ処理ユニット２９および／またはＭＡＣ処理ユニット２８）により実装される。複数の他の実施形態において、方法２１００は、他の好適な複数のネットワークインターフェースにより実装される。
【０１４３】
ブロック２１０２において、データユニットに含まれるべき情報ビットが、ブロックコードに従ってエンコードされる。一実施形態において、情報ビットは、例えば、図１７Ｂのブロックコーダ１７０４に関して上記されたブロックレベルまたはビットレベルの反復スキームを用いて、エンコードされる。ブロック２１０４において、例えば、図１７ＡのＦＥＣエンコーダ１７０６または図１７ＢのＬＤＰＣエンコーダ１７５６等のＦＥＣエンコーダを用いて、情報ビットがエンコードされる。ブロック２１０６において、情報ビットが、コンスタレーションシンボルにマッピングされる。ブロック２１０８において、複数のＯＦＤＭシンボルがコンスタレーションポイントを含めるように生成される。ブロック２１１０において、ＯＦＤＭシンボルを含むべく、データユニットが生成される。
【０１４４】
一実施形態において、図２１に図示されるように、情報ビットはまず、ブロックエンコーダを用いてエンコードされ（ブロック２１０２）、次にブロックエンコード済みのビットが、例えば、図１７Ａに関して上記されたもの等のＦＥＣエンコーダを用いてエンコードされる（ブロック２１０４）。別の実施形態において、ブロック２１０２とブロック２１０４の順番が反対になる。本実施形態において、情報ビットはまず、ＦＥＣエンコードされて、ＦＥＣエンコード済みの情報ビットが、例えば、図１８Ａに関して上記されたもの等のブロック符号化スキームに従ってエンコードされる。なおも別の実施形態において、ブロック２１０２は、ブロック２１０６の後に位置する。本実施形態において、ブロック２１０４において、情報ビットがＦＥＣエンコードされ、ブロック２１０６において、ＦＥＣエンコード済みのビットが、コンスタレーションシンボルにマッピングされ、次にブロック２１０２において、コンスタレーションシンボルが、例えば、図１９Ａに関して上記されたようなブロック符号化または反復スキームに従ってエンコードされる。
【０１４５】
様々な実施形態において、距離延長符号化スキームは、小さくされた数のコンスタレーションシンボルを出力する小さくされたサイズの高速フーリエ変換（ＦＦＴ）技術を用い、コンスタレーションシンボルは、帯域幅全体に渡って反復されて、距離および／またはＳＮＲ性能を改善する。例えば、一実施形態において、コンスタレーションマッパは、２４のデータトーンを有する３２のサブキャリア（例えば、３２点ＦＦＴモード）に対応する複数のコンスタレーションシンボルに、複数のビットのシーケンスをマッピングする。３２のサブキャリアは、２０ＭＨｚの帯域幅全体における１０ＭＨｚのサブバンドに対応する。本例において、コンスタレーションシンボルは、２０ＭＨｚの帯域幅全体に渡って反復されて、コンスタレーションシンボルの冗長性を提供する。様々な実施形態において、小さくされたサイズのＦＦＴ技術は、図１７Ａ〜図１９Ｂに関して上記されたビット形式および／またはシンボル複製技術と組み合わせて用いられる。
【０１４６】
４０ＭＨｚ、８０ＭＨｚ、１６０ＭＨｚ、３２０ＭＨｚ、６４０ＭＨｚ等の追加の帯域幅が利用可能ないくつかの実施形態において、３２のサブキャリアが帯域幅全体の１０ＭＨｚの各サブバンドに渡って反復される。例えば、別の実施形態において、３２点ＦＦＴモードは、２０ＭＨｚの帯域幅全体の５ＭＨｚのサブバンドに対応する。本実施形態において、複数のコンスタレーションは、２０ＭＨｚの帯域幅全体（すなわち、５ＭＨｚの各サブバンド）に渡って４ｘ反復される。従って、受信デバイスは、複数のコンスタレーションを組み合わせて、コンスタレーションのデコードの信頼性を改善する。いくつかの実施形態において、異なる５または１０ＭＨｚのサブバンド信号の変調は、異なる角度で回転される。例えば一実施形態において、第１のサブバンドは０°回転し、第２のサブバンドは９０°回転し、第３のサブバンドは１８０°回転し、第４のサブバンドは２７０°回転する。複数の他の実施形態において、異なる好適な回転が使用される。少なくともいくつかの実施形態において、２０ＭＨｚのサブバンド信号の異なる複数の位相は、データユニットにおけるＯＦＤＭシンボルのピーク対平均電力比（ＰＡＰＲ）の低減をもたらす。
【０１４７】
図２２Ａは、一実施形態による、１０ＭＨｚのサブバンドを有する距離延長データユニットの２ｘの反復を伴った２０ＭＨｚの帯域幅全体の図である。図２２Ａに示されるように、１０ＭＨｚの各サブバンドは、回転ｒ１およびｒ２により、各々回転される。図２２Ｂは、一実施形態による、１０ＭＨｚのサブバンドを有する距離延長データユニットの４ｘの反復を伴った４０ＭＨｚの帯域幅全体の図である。図２２Ｂに示されるように、１０ＭＨｚの各サブバンドは、回転ｒ１、ｒ２、ｒ３および４により、各々回転される。図２２Ｃは、一実施形態による、１０ＭＨｚのサブバンドに対応する３２点ＦＦＴモードの例示的なトーンプラン２２３０の図である。トーンプラン２２３０は、図２２Ｃに示されるように、２４のデータトーンと、インデックス＋７および−７における２つのパイロットトーンと、１つの直流トーン（ｄｉｒｅｃｔ  ｃｕｒｒｅｎｔ  ｔｏｎｅ）、および５つのガードトーンを有する合計３２のトーンを含む。小さくされたサイズのＦＦＴ技術が用いられる複数の実施形態において、対応するトーンプランは、存在する場合、ＨＥＷ−ＬＴＦフィールドに用いられる。小さくされたサイズのＦＦＴ技術が用いられるが、ＨＥＷ−ＬＴＦフィールドが存在しない複数の他の実施形態において、Ｌ−ＬＴＦフィールド７０４は、修正されたトーンプランの対応するインデックスに対して、パイロットトーンに追加の±１のサインを含めるように修正される。例えば、一実施形態において、トーン−２９、−２７、＋２７および＋２９は、Ｌ−ＬＴＦフィールド用のトーンプランに追加される。更なる一実施形態において、±１のサインは、２０ＭＨｚの帯域幅のトーン−２、−１、１および２におけるＬ−ＬＴＦトーンプランから取り除かれる。４０ＭＨｚ、８０ＭＨｚ、１６０ＭＨｚ等の帯域幅全体に、類似の変更が適用される。
【０１４８】
図２３は、一実施形態による、距離延長モードがデータユニットのプリアンブル２３０１に用いられる例示的なデータユニット２３００の図である。いくつかの実施形態において、プリアンブル２３０１は、標準モードおよび距離延長モードの双方を示す。そのような一実施形態において、図９Ａ、図９Ｂ、図１０Ａ、図１０Ｂおよび図１１Ａ、図１１Ｂに関して上記されたもの等、標準モードと距離延長モードを区別する別の方法が用いられる。
【０１４９】
データユニット２３００は一般に、データユニット２３００のプリアンブル２３０１がデータユニット１１０１のプリアンブル１１５１と異なるようにフォーマットされていることを除き、図１１Ｂのデータユニット１１５０と類似し、これと同一の符号を付された要素を含む。一実施形態において、プリアンブル２３０１は、ＨＥＷ通信プロトコルに準拠して動作する受信デバイスが、プリアンブル２３０１が標準モードプリアンブルではなく、距離延長モードプリアンブルであると判断することができるようにフォーマットされる。一実施形態において、プリアンブル１１５１と比較すると、プリアンブル２３０１は、Ｌ−ＬＴＦ７０４およびＬ−ＳＩＧ７０６の代わりに、修正されたロングトレーニングフィールドＭ−ＬＴＦ２３０４および修正された信号フィールドＭ−ＳＩＧ２３０６を各々含む。一実施形態において、プリアンブル２３０１は、Ｌ−ＳＴＦ７０２、Ｍ−ＬＴＦ２３０４としての修正済みロングトレーニングシーケンスの２つの反復が後に続くダブルガードインターバル、ノーマルガードインターバル、および修正済みの信号フィールドＭ−ＳＩＧを含む。いくつかの実施形態において、プリアンブル２３０１は、１または複数の第１のＨＥＷ信号フィールド（ＨＥＷ−ＳＩＧＡ）１１５２を更に含む。一実施形態において、プリアンブル２３０１は、Ｌ−ＳＩＧフィールド２３０６に続く１または複数の二次Ｌ−ＳＩＧ１１５４を更に含む。いくつかの実施形態において、複数の二次Ｌ−ＳＩＧ１１５４の次には、第２のＬ−ＬＴＦフィールド（Ｌ−ＬＴＦ２）１１５６が続く。複数の他の実施形態において、プリアンブル２３０１は、Ｌ−ＳＩＧ１１５４および／またはＬ−ＬＴＦ２  １１５６を省略する。また、いくつかの実施形態において、プリアンブル２３０１は、ＨＥＷ−ＳＴＦ１１５８、１もしくは複数のＨＥＷ−ＬＴＦフィールド１１６０、および第２のＨＥＷ信号フィールド（ＨＥＷ−ＳＩＧＢ）１１６２を含む。複数の他の実施形態において、プリアンブル２３０１は、ＨＥＷ−ＳＴＦ１１５８、ＨＥＷ−ＬＴＦ１１６０、および／またはＨＥＷ−ＳＩＧＢ１１６２を省略している。一実施形態において、データユニット２３００は、データ部分７１６（図２３に図示せず）も含む。いくつかの実施形態において、複数のＨＥＷ信号フィールド（ＨＥＷ−ＳＩＧＡ）１１５２は、データフィールド７１６と同一の距離延長符号化スキームを用いて変調される。
【０１５０】
様々な実施形態において、Ｍ−ＬＴＦ２３０４は、予め定められたシーケンス（例えば、偏波コード（ｐｏｌａｒｉｚａｔｉｏｎ  ｃｏｄｅ））を掛けたＬ−ＬＴＦ７０４に対応する。例えば、インデックスｉを用いて、Ｌ−ＬＴＦ７０４のｉ番目のコンスタレーションシンボルは、数式１に示されるように予め定められたシーケンスのｉ番目の値（例えば±１）を掛けられて、Ｍ−ＬＴＦ２３０４を得る。
【数２】
0006464493.tif 000003
式中、Ｃは、予め定められたシーケンスである。いくつかの実施形態において、Ｍ−ＳＩＧ２３０６は、数式２に示されるように、予め定められたシーケンスを掛けたＬ−ＳＩＧ７０６に対応する。
【数３】
0006464493.tif 000004
いくつかの実施形態において、予め定められたシーケンスの長さ（すなわち、いくつかの値）は、ＩＥＥＥ８０２．１１ａｃプロトコルにおける２０ＭＨｚの帯域当たりのいくつかのデータトーンおよびいくつかのパイロットトーンの合計、例えば５２の値（すなわち、４８のデータトーンおよび４のパイロットトーン）に等しい。
【０１５１】
一実施形態において、予め定められたシーケンスおよび修正済みのロングトレーニングシーケンスは各々、データトーンの数およびパイロットトーンの数の合計よりも大きいか、またはこれに等しい長さを有する。１０ＭＨｚのサブバンドに対応する３２点ＦＦＴモードのトーンプラン２２３０に関して上記されたように、ＨＥＷ−ＳＴＦおよび／またはＨＥＷ−ＬＴＦフィールドが距離延長プリアンブル内に存在しない場合、レシーバは、次のフィールドの復調のためのＬ−ＬＴＦフィールドに依存する。一実施形態において、２０ＭＨｚのＬ−ＬＴＦと１０ＭＨｚの３２点ＦＦＴモードとの間のトーンプランミスマッチは、不明のトーン（例えば、５８のトーンの合計に対するトーンの−２９、−２７、＋２７および＋２９）に対するＬ−ＬＴＦに、＋１または−１のサインを挿入することにより訂正される。
【０１５２】
図２４は、別の実施形態による、複数の距離延長モードデータユニットを生成する例示的なＰＨＹ処理ユニット２４００のブロック図である。いくつかの実施形態において、ＰＨＹ処理ユニット２４００は、距離延長モードデータユニットの信号および／またはトレーニングフィールドを生成する。一実施形態において、図１を参照すると、ＡＰ１４およびクライアント局２５−１は各々、ＰＨＹ処理ユニット２４００等のＰＨＹ処理ユニットを含む。
【０１５３】
ＰＨＹ処理ユニット２４００は、ＰＨＹ処理ユニット２４００において、トーン乗算器２４０４がコンスタレーションマッパ１６１４の後に配置されていることを除き、図１７ＡのＰＨＹ処理ユニット１７００に類似する。いくつかの実施形態において、トーン乗算器２４０４は、ｉ）Ｌ−ＳＩＧフィールド（すなわちＭ−ＳＩＧ２３０６）に対する修正済みコンスタレーションシンボル、およびｉｉ）距離延長モードデータユニットのＬ−ＬＴＦフィールド（すなわちＭ−ＬＴＦ２３０４）に対する修正済みロングトレーニングシーケンスを生成する。
【０１５４】
いくつかの実施形態において、ＰＨＹ処理ユニット２４００は、少なくとも、予め定められたシーケンスを第２の通信プロトコルの第２のロングトレーニングシーケンスを掛けることにより、距離延長モードプリアンブルに対する第１のロングトレーニングシーケンスを生成するように構成されている。一実施形態において、例えばトーン乗算器２４０４は、予め定められたシーケンスをＬ−ＬＴＦ７０４を掛けて、Ｍ−ＬＴＦ２３０４を得る。一実施形態において、トーン乗算器２４０４は、距離延長モード中にＬ−ＬＴＦ７０４の代わりに、Ｍ−ＬＴＦ２３０４をＩＤＦＴ１６１８に提供する。
【０１５５】
一実施形態において、トーン乗算器２４０４は、Ｌ−ＳＩＧ７０６に含められるべきデータに対するコンスタレーションシンボルをコンスタレーションマッパ１６１４から受信し、パイロットトーンに対するコンスタレーションシンボルをパイロットトーン生成器２４０８から受信する。従って一実施形態において、トーン乗算器２４０４から出力されるＭ−ＳＩＧ２３０６は、ＩＤＦＴ１６１８により時間領域信号に変換されるべきデータトーンおよびパイロットトーンに対する修正済みコンスタレーションシンボルを含む。
【０１５６】
いくつかの実施形態において、レシーバデバイスは、例えばＭ−ＬＴＦ２３０４に基づいたチャネル推定を用いて、Ｍ−ＳＩＧ２３０６をデコードする。本例においては、Ｌ−ＬＴＦ７０４およびＬ−ＳＩＧ７０６の双方が予め定められたシーケンスを掛けられているので、レガシレシーバデバイスは、チャネル推定処理または自己相関処理の一部としての乗算を実質的に取り除く。一実施形態において、受信デバイスは、予め定められたシーケンスとの乗算を用いるか、または用いないＬ−ＬＴＦフィールドの自己相関に基づいて、予め定められたシーケンスとの乗算を用いて（例えば、これにより乗算され）、または予め定められシーケンンスと用いることなく、プリアンブルにおけるＬＴＦフィールド（例えば、Ｍ−ＬＴＦ２３０４またはＬ−ＬＴＦ７０４）が生成されたか否かを検出することにより、プリアンブルが距離延長モードプリアンブル２４００または標準モードプリアンブル１１０１に対応するかを判断する。一実施形態において、受信デバイスは、Ｌ−ＬＴＦ７０４を用いてＬＴＦの第１の自己相関を実行し、Ｍ−ＬＴＦ２３０４を用いてＬＴＦの第２の自己相関を実行し、自己相関の結果の比較を実行する。一実施形態において、Ｍ−ＬＴＦ２３０４を用いる自己相関がＬ−ＬＴＦ７０４を用いる自己相関の結果と比較して大きい結果を生成した場合、受信デバイスは、プリアンブルが距離延長モードプリアンブル２３００に対応すると判断する。他方、一実施形態において、Ｌ−ＬＴＦ７０４を用いるＬＴＦの自己相関がＭ−ＬＴＦ２３０４を用いる自己相関の結果と比較して大きい結果を生成した場合、受信デバイスは、プリアンブルが標準モードプリアンブル１１０１に対応すると判断する。いくつかの実施形態において、レシーバデバイスは、数式３に従って周波数領域において自己相関を実行する。
【数４】
0006464493.tif 000005
式中、ｙｉは、最後に受信されて平均されたＬ−ＬＴＦのシーケンスであり、Ｌｉは、ＩＥＥＥ８０２．１１ａ／ｎ／ａｃ、または修正済みロングトレーニングシーケンスのＭ−ＬＴＦに属する送信済みＬ−ＬＴＦシーケンスである。例えば、Ｌｉは距離延長モードのＣｉ＊Ｌ−ＬＴＦｉまたは標準モードのＬ−ＬＴＦｉのいずれかである。いくつかのシナリオにおいて、連続するトーンの相互相関は一般に、チャネル効果を除去し、周波数領域一致フィルリングは、可能性が最も高い送信済みシーケンスを発見する。いくつかの実施形態において、レシーバデバイスは、Ｍ−ＬＴＦからのチャネル推定を用いて、データユニットの追加のフィールド（すなわち、ＨＥＷ−ＳＩＧおよび／またはデータフィールド）をデコードする。いくつかのシナリオにおいて、パイロットトーンに対応する予め定められたシーケンスの値は全て１であり、パイロットトーンに対する位相トラッキングを可能にする。
【０１５７】
いくつかの実施形態において、トーンの間隔を減少させたＯＦＤＭ変調は、同一のサイズのＦＦＴを用いて、距離延長モードのデータレートを低減する。例えば、２０ＭＨｚ帯域幅のＯＦＤＭデータユニット用の標準モードは、６４ポイントの高速フーリエ変換（ＦＦＴ）を用いて６４のＯＦＤＭトーンをもたらすが、距離延長モードは、２の係数分、減少させたトーンの間隔を用いて同一の帯域幅の１２８のＯＦＤＭトーンをもたらす。この場合、同じ６４ポイントのＦＦＴ、２ｘに増大したシンボルの持続時間、および２ｘに増大したガードインターバルを用いつつ、距離延長モードＯＦＤＭシンボルにおけるトーンの間隔は、標準モードＯＦＤＭシンボルと比較して２分の１（１／２）だけ低減され、次にシンボルは、残余の帯域幅で反復される。別の例として、２０ＭＨｚ帯域幅のＯＦＤＭデータユニット用の標準モードは、６４ポイントの高速フーリエ変換（ＦＦＴ）を用いて６４のＯＦＤＭトーンをもたらすが、距離延長モードは、２０ＭＨｚのＯＦＤＭデータユニットに１／４に低減されたトーンの間隔を用いて同一の帯域幅の２５６のＯＦＤＭトーンをもたらす。この場合、４ｘに増大したシンボルの持続時間、および４ｘに増大したガードインターバルを用いつつ、距離延長モードＯＦＤＭシンボルにおけるトーンの間隔は、標準モードＯＦＤＭシンボルと比較して４分の１（１／４）だけ低減される。複数のそのような実施形態において、例えば、１．６μｓのロングＧＩ持続時間が用いられる。しかし、一実施形態において、距離延長モードＯＦＤＭシンボルにおける情報部分の持続時間は（例えば、３．２μｓ〜６．４μｓから）増大し、ＧＩ部分のＯＦＤＭシンボルの全持続時間に対する持続時間のパーセンテージは、依然として同じである。従ってこの場合、少なくともいくつかの実施形態において、より長いＧＩシンボルに起因する効率性のロスが回避される。様々な実施形態において、本明細書において用いられる「ロングガードインターバル」という用語は、ガードインターバルの増大した持続時間およびガードインターバルの持続時間を効果的に増大させる小さくしたＯＦＤＭトーン間隔を含む。複数の他の実施形態において、６、８、または他の好適な値に係数に従って、トーンの間隔が低減され、ガードインターバルが増大し、シンボルの持続時間は増大する。いくつかの実施形態において、上記のように、トーンの間隔、ガードインターバル、およびシンボルの持続時間における改変形態は、ブロック符号化またはシンボル反復を組み合わせて用いられる。
【０１５８】
いくつかの実施形態における距離延長モードのデータユニットの信号帯域幅の合計は、２０ＭＨｚである。例えば、増大した信号帯域幅が距離を更に増大させ、あるいはＳＮＲ性能を改善する可能性は低い。いくつかの実施形態において、距離延長モードは、最大５１２点のＦＦＴサイズを用いるように構成される。そのような一実施形態において、距離延長モードについて、トーンの間隔が４分の１だけ低減される場合、５１２点のＦＦＴの合計帯域幅は４０ＭＨｚであり、従って距離延長モードは、最大４０ＭＨｚの信号帯域幅を用いる。
【０１５９】
複数の他の実施形態において、距離延長モードは、利用可能な最大信号帯域幅（例えば、１６０ＭＨｚ）に対してまで構成される。様々な実施形態において、例えば１／２のトーンの間隔は、１０ＭＨｚの帯域に対する６４点のＦＦＴ、２０ＭＨｚの帯域に対する１２８点のＦＦＴ、４０ＭＨｚの帯域に対する２５６点のＦＦＴ、８０ＭＨｚの帯域に対する５１２点のＦＦＴ、および１６０ＭＨｚの帯域に対する１０２４点のＦＦＴに対応する。いくつかの実施形態において、低減されたトーンの間隔は、より小さいＦＦＴサイズと組み合わせて用いられる。様々な実施形態において、より短いガードインターバル、例えば、ＯＦＤＭシンボルの持続時間の２５％に等しい持続時間を有するノーマルガードインターバルと、ＯＦＤＭシンボルの１／９に等しい持続時間を有するショートガードインターバルが低減されたトーンの間隔と共に用られる。
【０１６０】
いくつかの実施形態において、距離延長モードは、より小さいトーンの間隔（すなわち、１／２、１／４等）を用いる。そのような一実施形態において、同一のＦＦＴサイズは、より小さい帯域幅を表し、例えば、１／２のトーンの間隔は、１０ＭＨｚの帯域に対する６４点にＦＦＴに対応する。一実施形態において、同一のＦＦＴサイズ内におけるトーンプランは、距離延長モードおよび標準モードについて同一であり、例えば距離延長モードの６４点のＦＦＴは、ＩＥＥＥ８０２．１１ａｃにおける２０ＭＨｚに対する６４点のＦＦＴと同一のトーンプランを用いる。図２５Ａは、一実施形態による、１／２のトーンの間隔を有する例示的な２０ＭＨｚの全帯域幅の図である。この場合、各６４ＦＦＴに対するレガシトーンプランの元のＤＣトーンのインデックスは、２０ＭＨｚの合計帯域幅の中間ではなく、ここでは１０ＭＨｚのサブバンドの中間であり、元のガードトーンのインデックスは、真のＤＣトーンに近似する。距離延長モードデータユニットに用いられる帯域が２０ＭＨｚよりも小さいいくつかの実施形態において、非レガシトーンプランは、元のＤＣトーンのインデックスにおける追加のデータまたはパイロットトーンを含む。なぜならインデックスは、「真のＤＣトーン」とは重複せず、最も小さい信号帯域幅は、距離延長モードまたは標準モードで２０ＭＨｚであるからである。いくつかの実施形態において、非レガシトーンプランは、同一の数のポピュレートされたトーンを保持するべく、レガシトーンプランの端に、ガードトーンに代えて追加のデータトーンを含む。
【０１６１】
複数の他の実施形態において、トーンの間隔が低減されると、標準モードと比較して、直流オフセットおよびキャリア周波数オフセット（ＣＦＯ）からの影響が大きくなる。図２５Ｂは、一実施形態による、１／２のトーンの間隔を有する例示的な２０ＭＨｚの全帯域幅の図である。いくつかの実施形態において、追加のゼロトーンは、標準モードにある同一のＦＦＴサイズのレガシトーンプランと比較して、距離延長モードの非レガシトーンプランの帯域における直流トーンに近いものとして規定されている。様々な実施形態において、追加のゼロトーンは、例えばＦＦＴサイズが１／２だけ低減されたトーンの間隔を有する１２８よりも大きいか、またはこれに等しい場合、またはＦＦＴサイズが１／４だけ低減されたトーンの間隔を有する２５６よりも大きいか、またはこれに等しい場合にのみ、予め定められたＦＦＴおよび／またはトーンの間隔を超えると規定されている。いくつかの実施形態において、同一の絶対的なガードの間隔（例えば、絶対周波数の間隔）を、例えば標準モードのレガシトーンプランと比較される帯域の端に保持するべく、増大した数のガードトーンが距離延長モードの非レガシトーンプランに用いられる。この場合、非レガシトーンプランにおけるデータトーンおよびパイロットトーンの合計数は、レガシトーンプランよりも小さい。いくつかの例において、同一の絶対的ガード間隔は、フィルタ設計を容易にする。例えば、非レガシトーンプランのデータトーンの合計数が標準モードの同一のＦＦＴサイズと異なるいくつかの実施形態において、ＦＥＣインターリーバおよび／またはＬＤＰＣトーンマッパに対するＰＨＹパラメータは、非レガシトーンプランのデータトーンの数に対して再度規定される。
【０１６２】
図２６Ａは、一実施形態による、サイズ６４のＦＦＴおよび１／２のトーンの間隔を有する距離延長モードの非レガシトーンプラン２６００の図である。標準モードのレガシトーンプランと比較すると、非レガシトーンプラン２６００においては、追加のガードトーン（すなわち、ガードトーン−２８、−２７、＋２７、＋２８）が含まれる。いくつかの実施形態において、６４点のＦＦＴは、パイロットトーンまたはデータトーンを用いてＤＣトーンをポピュレートする。図２６Ｂは、一実施形態による、サイズ１２８のＦＦＴおよび１／２のトーンの間隔を有する距離延長モードの非レガシトーンプラン２６０１の図である。標準モードのレガシトーンプランと比較すると、非レガシトーンプラン２６０１においては、追加のガードトーン（すなわち、ガードトーン−５８、−５７、＋５７、＋５８）および追加のＤＣトーン（すなわち、ＤＣトーン−２、−１、０、１、２）が含まれる。図２６Ｃは、一実施形態による、サイズ２５６のＦＦＴおよび１／２のトーンの間隔を有する距離延長モードの非レガシトーンプラン２６０２を図示する図である。標準モードのレガシトーンプランと比較すると、非レガシトーンプラン２６０２においては、追加のガードトーン（すなわち、ガードトーン−１２２、−１２１、＋１２１、＋１２２）および追加のＤＣトーン（すなわち、ＤＣトーン−２、−１、０、１、２）が含まれる。複数の他の実施形態において、標準モードと比較すると、距離延長モードでは、追加のガードトーンおよび／またはＤＣトーンは、非レガシトーンプランに追加される。
【０１６３】
図２７は、一実施形態による、データユニットを生成する例示的な方法２７００のフロー図である。図１を参照すると、方法２７００は、一実施形態においてネットワークインターフェース１６により実装される。例えば、そのような一実施形態において、ＰＨＹ処理ユニット２０は、方法２７００を実装するように構成されている。また、別の実施形態において、ＭＡＣ処理１８は、方法２７００の少なくとも一部を実装するように構成されている。図１を引き続き参照すると、なおも別の実施形態において、方法２７００は、ネットワークインターフェース２７（例えば、ＰＨＹ処理ユニット２９および／またはＭＡＣ処理ユニット２８）により実装される。複数の他の実施形態において、方法２７００は、他の好適な複数のネットワークインターフェースにより実装される。
【０１６４】
ブロック２７０２において、データフィールドの第１のＯＦＤＭシンボルが生成される。様々な実施形態において、ブロック２７０２でＯＦＤＭシンボルを生成する段階は、距離延長モードに対応する距離延長符号化スキーム、または標準モードに対応する標準符号化スキームのうち１つに従ってデータ部分のＯＦＤＭシンボルを生成する段階を有する。一実施形態において、距離延長符号化スキームは、図１０Ａ、図１０Ｂに関して上記された距離延長符号化スキーム（例えば、低減されたトーンの間隔）を含む。別の実施形態において、距離延長符号化スキームは、図１７Ａ〜図２０Ｄに関して上記された距離延長符号化スキーム（例えば、ビット形式の反復またはシンボルの反復）を含む。なおも別の実施形態において、距離延長符号化スキームは、図２２Ａ〜図２２Ｃに関して上記された距離延長符号化スキーム（例えば、データユニットの反復）を含む。なおも別の実施形態において、距離延長符号化スキームは、図１０Ａ，図１０Ｂ、図１７Ａ〜図２０Ｄ、および図２２Ａ〜図２２Ｃに関して上記された距離延長符号化スキームの好適な組み合わせを含む。
【０１６５】
一実施形態において、距離延長符号化スキームに従ってＰＨＹデータユニットのデータ部分に対するＯＦＤＭシンボルを生成する段階は、前方誤り訂正（ＦＥＣ）エンコーダ（例えば、ＦＥＣエンコーダ１７０６、１８０６または１９０６）を用いて複数の情報ビットをエンコードして、複数のエンコード済みのビットを得る段階と、例えば、コンスタレーションマッパ１６１４または１９１４を用いて複数のエンコード済みのビットを複数のコンスタレーションシンボルにマッピングする段階と、例えば、ＩＤＦＴ１６１８または１８１８を用いて、複数のコンスタレーションシンボルを含むＯＦＤＭシンボルを生成する段階とを有する。一実施形態において、ＯＦＤＭシンボルを生成する段階は、ｉ）（例えば、ブロックコーダ１７０４を用いる）ブロック符号化スキームに従って複数の情報ビットをエンコードする段階、ｉｉ）（例えば、ブロックコーダ１８０８を用いる）ブロック符号化スキームに従って複数のエンコード済みのビットをエンコードする段階、またはｉｉｉ）（例えば、ブロックコーダ１９１６を用いる）ブロック符号化スキームに従って複数のコンスタレーションシンボルをエンコードする段階のうち１つを実行する段階を更に有する。別の実施形態において、データフィールドに対するＯＦＤＭシンボルを生成する段階は、例えば、図２２Ａ〜図２２Ｃに関して上記されたように、チャネル帯域幅の第１の帯域幅部分における複数のコンスタレーションシンボルと、チャネル帯域幅の第２の帯域幅部分における複数のコンスタレーションシンボルのコピーとを含むデータフィールドのＯＦＤＭシンボルを生成する段階を有する。更なる実施形態において、複数のコンスタレーションシンボルのコピーは、予め定められ位相変位を含むように生成される。
【０１６６】
ブロック２７０４において、データユニットのプリアンブルが生成される。ブロック２７０４において生成されたプリアンブルは、ブロック２７０２において生成されたデータユニットの少なくともデータ部分が距離延長符号化スキームまたは標準符号化スキームを用いて生成されているか否かを示すように生成される。様々な実施形態および／またはシナリオにおいて、プリアンブル７０１（図９Ａ、図１０Ａ）、７５１（図９Ｂ、図１０Ｂ）、１１０１（図１１Ａ）、１１５１（図１１Ｂ）または１４０１（図１４Ａ）のうち１つが、ブロック１６０４において生成される。複数の他の実施形態において、他の好適な複数のプリアンブルは、ブロック２７０４において生成される。
【０１６７】
一実施形態において、プリアンブルは、ｉ）ＰＨＹデータユニットの持続時間を示す第１の部分と、ｉｉ）データ部分の少なくともいくつかのＯＦＤＭシンボルが距離延長符号化スキームに従って生成されるか否かを示す第２の部分を有するように生成される。更なる実施形態において、プリアンブルの第１の部分は、プリアンブルの第１の部分が、プリアンブルの第１の部分に基づいてＰＨＹデータユニットの持続時間を判断するべく、第１の通信プロトコル（例えば、ＨＥＷ通信プロトコル）に準拠しないが、第２の通信プロトコル（例えば、レガシ通信プロトコル）に準拠するレシーバデバイスによりデコード可能になるようにフォーマットされる。
【０１６８】
一実施形態において、ブロック２７０４において生成されたプリアンブルは、距離延長符号化スキームまたは標準符号化スキームを用いて、少なくともデータ部分が生成されているか否かを示すように設定されたＣＩ表示を含む。一実施形態において、ＣＩ表示は１ビットを含む。一実施形態において、ＣＩ表示により示される符号化スキームを用いて、データ部分に加えてプリアンブルの部分が生成される。別の実施形態において、ブロック２７０４において生成されたプリアンブルは、受信デバイスが、プリアンブルが標準モードプリアンブルまたは距離延長モードプリアンブルに対応するかを（例えば、デコードすることなく）自動的に検出し得るようにフォーマットされる。一実施形態において、距離延長モードプリアンブルの検出により、受信デバイスに、距離延長符号化スキームを用いて、少なくともデータ部分が生成されることをシグナリングする。
【０１６９】
一実施形態において、プリアンブルを生成する段階は、ｉ）第１の通信プロトコルに準拠したショートトレーニングフィールドおよびｉｉ）ショートトレーニングフィールドの少なくとも１つのコピーに対する第２のＯＦＤＭシンボルを含むプリアンブルの第２の部分を生成する段階と、ｉ）第１の通信プロトコルに準拠したロングトレーニングフィールドおよびｉｉ）ロングトレーニングフィールドの少なくとも１つのコピーに対する第３のＯＦＤＭシンボルを生成する段階とを有する。更なる実施形態において、データ部分のＯＦＤＭシンボル、第２のＯＦＤＭシンボルおよび第３のＯＦＤＭシンボルは、プリアンブルの第１の部分に対するトーンプランとは別個の同一のトーンプランを有する。
【０１７０】
別の実施形態において、ブロック２７０４は、第２の通信プロトコル（例えば、レガシ通信プロトコル）に従ってＰＨＹデータユニットの第１の信号フィールドを生成する段階と、データフィールドの少なくともいくつかのＯＦＤＭシンボルが距離延長モードに従って生成されることを示すべく、第１の信号フィールドのコピーとして第２の信号フィールドを生成する段階とを有する。更なる実施形態において、第１の信号フィールドおよび第２の信号フィールドは、ＰＨＹデータユニットの持続時間が予め定められた持続時間であることを示し、第２の信号フィールドは、第１の通信プロトコルに準拠するレシーバデバイスにより追加の（ｓｕｐｐｌｅｍｅｎｔａｌ）追加のトレーニングフィールドとして使用可能である。別の実施形態において、第１の信号フィールドおよび第２の信号フィールドは、第１の信号フィールドおよび第２の信号フィールドのデコードの信頼性を高めるように、第１の通信プロトコルに準拠するレシーバデバイスにより組み合わせてデコード可能である。
【０１７１】
一実施形態において、プリアンブルの第１の部分は、ｉ）第２の通信プロトコルに準拠するレガシショートトレーニングフィールドと、ｉｉ）非レガシロングトレーニングフィールドと、ｉｉｉ）第２の通信プロトコルに準拠するレガシ信号フィールドとを含み、プリアンブルの第２の部分は、トレーニングフィールドを含まない。本実施形態において、第１の複数のコンスタレーションシンボルは、第２の通信プロトコルに準拠するレガシトーンプランを用いて、レガシショートトレーニングフィールドに対して生成され、第２の複数のコンスタレーションシンボルは、非レガシトーンプランを用いて、非レガシロングトレーニングフィールドに対して生成され、データフィールドに対するＯＦＤＭシンボルは、非レガシトーンプランを用いて生成される第３の複数のコンスタレーションシンボルを含む。
【０１７２】
一実施形態において、複数のＯＦＤＭシンボルは、第２の通信プロトコルに準拠するノーマルガードインターバルを用いて、レガシプリアンブルとしてのプリアンブルの第１の部分に対して生成され、ロングガードインターバルを用いて、複数のＯＦＤＭシンボルは、プリアンブルの第２の部分に対して生成される。更なる実施形態において、非レガシ信号フィールドに対するＯＦＤＭシンボルおよびプリアンブルの第２の部分の非レガシショートトレーニングフィールドは、ノーマルガードインターバルを用いて生成され、プリアンブルの第２の部分のＯＦＤＭシンボルは、ロングガードインターバルを用いて、非レガシロングトレーニングフィールドに対して生成される。別の実施形態において、ＯＦＤＭシンボルは、ノーマルガードインターバルを用いてプリアンブルの第１の部分のレガシ信号フィールドに対して生成され、ＯＦＤＭシンボルは、ロングガードインターバルを用いてプリアンブルの第２の部分の非レガシ信号フィールドに対して生成される。一実施形態において、プリアンブルの第２の部分は、第１の通信プロトコルに準拠する複数のレシーバデバイスによりデコード可能であり、プリアンブルの第２の部分のロングガードインターバルは、第１の通信プロトコルに準拠する複数のレシーバデバイスに、ＰＨＹデータユニットが距離延長モードに準拠することをシグナリングする。なおも別の実施形態において、複数のＯＦＤＭシンボルは、ロングガードインターバルを用いて、ｉ）非レガシ信号フィールドと、ｉｉ）非レガシ信号フィールドに対する第１のＯＦＤＭシンボルのコピーとに対するプリアンブルの第２の部分に対して生成される。一実施形態において、複数のＯＦＤＭシンボルは、ｉ）ダブルガードインターバルと、ｉｉ）フィールドに対する第１のＯＦＤＭシンボルと、ｉｉｉ）第１のＯＦＤＭシンボルのコピーであるフィールドに対する第２のＯＦＤＭシンボルとを含むプリアンブルの第２の部分における複数のフィールドの各フィールドに対して生成される。
【０１７３】
ブロック２７０６において、データユニットは、ブロック２７０４において生成されたプリアンブルと、ブロック２７０２において生成されたデータ部分とを含むように生成される。一実施形態において、ＰＨＹデータユニットは、第２の通信プロトコルに従って、信号フィールドの第１の部分および信号フィールドの第２部分が後に続くダブルガードインターバルを含み、第１の信号フィールドと第２の信号フィールドとの間にガードインターバルを含まないように生成される。
【０１７４】
いくつかの実施形態において、データフィールドと比較される送信パワーブーストを用いてプリアンブルの少なくとも第１の部分が送信され、プリアンブルの第１の部分のデコード範囲を増大させる。
【０１７５】
別の実施形態において、第１のトーンの間隔およびロングガードインターバルを用いて、データフィールドに対する複数のＯＦＤＭシンボルが生成され、ｉ）第１のトーンの間隔とは異なる第２のトーンの間隔およびｉｉ）標準ガードインターバルを用いて、プリアンブルの第１の部分に対する複数のＯＦＤＭシンボルが生成される。更なる実施形態において、プリアンブルの第１の部分における第２のトーンの間隔は、ｉ）第２の通信プロトコルに準拠するレガシトーンの間隔であると共に、ｉｉ）データフィールドの第１のトーンの間隔の整数倍であり、標準ガードインターバルは、第２の通信プロトコルに準拠するレガシガードインターバルである。別の実施形態において、ｉ）レガシトーンの間隔およびレガシガードインターバルを用いる少なくとも第１のＯＦＤＭシンボルと、ｉｉ）第１のトーンの間隔およびロングガードインターバルを用いる少なくとも第２のＯＦＤＭシンボルとを含むプリアンブルの第２の部分に対する複数のＯＦＤＭシンボルが、生成される。なおも別の実施形態において、データフィールドに対する複数のＯＦＤＭシンボルは、第１のトーンの間隔を用いて、チャネル帯域幅の第１の帯域幅部分における複数のコンスタレーションシンボルと、チャネル帯域幅の第２の帯域幅部分における複数のコンスタレーションシンボルのコピーとを含むように生成され、第１の帯域幅部分および第２の帯域幅部分は、同一の帯域幅を有する。更なる実施形態において、データフィールドに対するＯＦＤＭシンボルを生成する段階は、予め定められ位相変位を含むように複数のコンスタレーションシンボルを生成する段階を有する。
【０１７６】
一実施形態において、データフィールドに対するＯＦＤＭシンボルを生成する段階は、第１のトーンの間隔、ロングガードインターバルおよびロングシンボルの持続時間を用いてデータフィールドに対するＯＦＤＭシンボルを生成する段階を有する。更なる実施形態において、プリアンブルの第１の部分に対するＯＦＤＭシンボルを生成する段階は、第２のトーンの間隔、標準ガードインターバル、標準シンボルの持続時間を用いてプリアンブルの第１の部分に対するＯＦＤＭシンボルを生成する段階を有する。更なる実施形態において、プリアンブルの第１の部分における第２のトーンの間隔は、ｉ）レガシトーンの間隔およびｉｉ）データフィールドの第１のトーンの間隔の整数ｎの倍であり、標準ガードインターバルは、レガシガードインターバルであり、ロングシンボルの持続時間は、標準シンボルの持続時間の整数ｎの倍である。
【０１７７】
別の実施形態において、距離延長モードに従ってＰＨＹデータユニットのデータフィールドに対する複数のＯＦＤＭシンボルを生成する段階は、第２の通信プロトコルに準拠しない非レガシトーンの間隔および非レガシトーンプランを用いて、データフィールドに対する複数のＯＦＤＭシンボルを生成する段階を有し、プリアンブルを生成する段階は、非レガシトーンの間隔とは異なる第２のトーンの間隔、および非レガシトーンプランとは異なるレガシトーンプランを用いて、プリアンブルの第１の部分に対する複数のＯＦＤＭシンボルを生成する段階を有する。更なる実施形態において、非レガシトーンプランは、直流トーンに近似するレガシトーンプランの対応するデータトーンの代わりに少なくとも１つのガードトーンを含む。一実施形態において、非レガシトーンプランは、非レガシトーンプランおよびレガシトーンプランが同一の数のデータトーンを有するように、レガシトーンプランの対応するガードトーンの代わりに少なくとも１つのデータトーンを含む。別の実施形態において、非レガシトーンプランは、レガシトーンプランよりも少ない複数のデータトーンを含み、非レガシトーンの間隔および非レガシトーンプランを用いて、データフィールドに対する複数のＯＦＤＭシンボルを生成する段階は、非レガシトーンプランのデータトーンの数に基づいて、誤り訂正コードを用いて複数のＯＦＤＭシンボルの複数の情報ビットをエンコードする段階を有する。一実施形態において、誤り訂正コードは、２値畳み込みコードである。別の実施形態において、誤り訂正コードは、低密度パリティ検査コードである。
【０１７８】
図２８は、一実施形態による、データユニットを生成する例示的な方法２８００のフロー図である。図１を参照すると、方法２８００は、一実施形態においてネットワークインターフェース１６により実装される。例えば、そのような一実施形態において、ＰＨＹ処理ユニット２０は、方法２８００を実装するように構成されている。また、別の実施形態において、ＭＡＣ処理１８は、方法２８００の少なくとも一部を実装するように構成されている。図１を引き続き参照すると、なおも別の実施形態において、方法２８００は、ネットワークインターフェース２７（例えば、ＰＨＹ処理ユニット２９および／またはＭＡＣ処理ユニット２８）により実装される。複数の他の実施形態において、方法２８００は、他の好適な複数のネットワークインターフェースにより実装される。
【０１７９】
ブロック２８０２において、第１の複数の直交周波数分割多重（ＯＦＤＭ）シンボルは、一実施形態ではＰＨＹデータユニットに含まれるべきプリアンブルの第１のフィールドに対して生成される。いくつかの実施形態において、第１の複数のＯＦＤＭシンボルの各ＯＦＤＭシンボルは、少なくとも、予め定められたシーケンスを第２の通信プロトコルの第２のロングトレーニングシーケンスを掛けることにより取得される第１の通信プロトコルの第１のロングトレーニングシーケンスに対応する。ブロック２８０４において、一実施形態では、プリアンブルの第２のフィールドに対する第１の複数の情報ビットがエンコードされ、第１の複数のエンコード済みビットが生成される。
【０１８０】
ブロック２８０６において、一実施形態では、第１の複数のエンコード済みビットは、第１の複数のコンスタレーションシンボルにマッピングされる。ブロック２８０８において、一実施形態では、第１の複数のコンスタレーションシンボルを予め定められたシーケンスを掛ける段階を含む、第１の複数の修正済みコンスタレーションシンボルが生成される。ブロック２８１０において、一実施形態では、第１の複数の修正済みコンスタレーションシンボルを含む第２の複数の直交周波数分割多重（ＯＦＤＭ）シンボルが生成される。ブロック２８１２において、一実施形態では、第１のフィールドに対する第１の複数のＯＦＤＭシンボルと、第２のフィールドに対する第２の複数のＯＦＤＭシンボルとを含むプリアンブルが生成される。ブロック２８１４において、少なくともプリアンブルを含むべく、ＰＨＹデータユニットが生成される。
【０１８１】
いくつかの実施形態において、第１の複数の情報ビットは、ＰＨＹデータユニットの持続時間を示す１または複数の情報ビットの第１のセットを含み、プリアンブルは、プリアンブルがプリアンブルに基づいてＰＨＹデータユニットの持続時間を判断するべく、第２の通信プロトコルに準拠し、第１の通信プロトコルには準拠しないレシーバデバイスによりデコード可能になるようにフォーマットされる。一実施形態において、第１のロングトレーニングシーケンスのｉ番目の値は、第２のロングトレーニングシーケンスのに対応するｉ番目の値を掛けられた予め定められたシーケンスのｉ番目の値に対応し、ｉは、インデックスである。
【０１８２】
一実施形態において、第１のロングトレーニングシーケンスの長さは、第２の通信プロトコルにより指定されたＯＦＤＭシンボルにおけるデータトーンの数およびパイロットトーンの数の和よりも大きいか、またはこれに等しい。いくつかの実施形態において、第１の複数の修正済みコンスタレーションシンボルを生成する段階は、予め定められたシーケンスを、第２の通信プロトコルに対する複数のパイロットトーンコンスタレーションシンボルを掛ける段階を有する。いくつかの実施形態において、複数のパイロットトーンコンスタレーションシンボルに対応する予め定められたシーケンスの複数の値は、１の値を有する。一実施形態において、予め定められたシーケンスの複数の値は、＋１または−１の値を有する。
【０１８３】
いくつかの実施形態において、第１の複数のＯＦＤＭシンボルを生成する段階は、第１の通信プロトコルに準拠するレシーバにより生成された第１のフィールドに対する自己相関出力が、ｉ）第１の通信プロトコルの第１のモードまたはｉｉ）第１の通信プロトコルの第２のモードをシグナリングして、レシーバデバイスによる第１のモードまたは第２のモードの自動検出を可能にするように、第１の複数のＯＦＤＭシンボルを生成する段階を有する。一実施形態において、第１のフィールドは、第１のロングトレーニングシーケンスを含む。別の実施形態において、第１のフィールドは、第２のロングトレーニングシーケンスを含む。
【０１８４】
一実施形態において、方法２８００は、ＰＨＹデータユニットのデータフィールドに対する第２の複数の情報ビットをエンコードする段階と、第２の複数のエンコード済みビットを生成する段階と、第２の複数のエンコード済みビットを第２の複数のコンスタレーションシンボルにマッピングする段階と、予め定められたシーケンスを第２の複数のコンスタレーションシンボルを掛ける段階を含む、第２の複数の修正済みコンスタレーションシンボルを生成する段階と、第２の複数の修正済みコンスタレーションシンボルを含む第３の複数の直交周波数分割多重（ＯＦＤＭ）シンボルを生成する段階と、第３の複数のＯＦＤＭシンボルを含むデータフィールドを生成する段階とを更に備え、ＰＨＹデータユニットを生成する段階は、少なくともプリアンブルおよびデータフィールドを含むＰＨＹデータユニットを生成する段階を有する。
【０１８５】
上記の様々なブロック、オペレーションおよび技術の少なくともいくつかは、ハードウェア、複数のファームウェア命令を実行するプロセッサ、複数のソフトウェア命令を実行するプロセッサまたはそれらの任意の組み合わせを使用して実装され得る。ソフトウェア命令もしくはファームウェア命令を実行するプロセッサを使用して実装される場合、ソフトウェア命令もしくはファームウェア命令は、ＲＡＭもしくはＲＯＭ、またはフラッシュメモリ、プロセッサ、ハードディスクドライブ、光学ディスクドライブ、テープドライブ等の磁気ディスク、光学ディスク、または他のストレージ媒体等の任意のコンピュータ可読メモリに格納され得る。同様に、ソフトウェア命令もしくはファームウェア命令は、例えば、コンピュータ可読ディスクもしくは他の可搬式コンピュータストレージメカニズム上、または通信媒体によることを含む、任意の知られているか、もしくは所望の提供方法により、ユーザもしくはシステムに提供され得る。通常、通信媒体は、複数のコンピュータ可読命令、データ構造体、プログラムモジュールまたは搬送波もしくは他の搬送メカニズム等の変調済みデータ信号における他のデータを実施する。「変調済みデータ信号」という用語は、信号中の情報をエンコードするように設定もしくは変更された複数の特性のうち１または複数を有する信号を意味する。限定ではなく例として、通信媒体としては、有線ネットワークもしくは直接の有線接続等の有線媒体、ならびに音響、無線周波、赤外線および他の無線媒体等の無線媒体が挙げられる。従って、ソフトウェア命令もしくはファームウェア命令は、電話回線、ＤＳＬ回線、ケーブルテレビ回線、光ファイバ回線、無線通信チャネル、インターネット等（これらは、可搬式のストレージ媒体によりそのようなソフトウェアを提供するのと同一もしくは互換的なものとみなされる）通信チャネルを介してユーザもしくはシステムに提供され得る。ソフトウェア命令またはファームウェア命令は、プロセッサにより実行されると、プロセッサに様々な動作を実行させる機械可読命令を含み得る。
【０１８６】
ハードウェアに実装される場合、ハードウェアは離散コンポーネント、集積回路、特定用途向け集積回路（ＡＳＩＣ）、等のうち１または複数を含んでもよい。
【０１８７】
本発明は、本発明を限定するのではなく専ら例示することを意図した複数の具体的な例を参照して説明されてきたが、本発明の範囲を逸脱することなく、開示された複数の実施形態に対して様々な変更、追加および／または削除が行われてもよい。
【図１】
0006464493.tif 000006
【図２Ａ】
0006464493.tif 000007
【図２Ｂ】
0006464493.tif 000008
【図３】
0006464493.tif 000009
【図４】
0006464493.tif 000010
【図５】
0006464493.tif 000011
【図６Ａ】
0006464493.tif 000012
【図６Ｂ】
0006464493.tif 000013
【図７Ａ】
0006464493.tif 000014
【図７Ｂ】
0006464493.tif 000015
【図８】
0006464493.tif 000016
【図９Ａ】
0006464493.tif 000017
【図９Ｂ】
0006464493.tif 000018
【図１０Ａ】
0006464493.tif 000019
【図１０Ｂ】
0006464493.tif 000020
【図１１Ａ】
0006464493.tif 000021
【図１１Ｂ】
0006464493.tif 000022
【図１２Ａ】
0006464493.tif 000023
【図１２Ｂ】
0006464493.tif 000024
【図１３Ａ】
0006464493.tif 000025
【図１３Ｂ】
0006464493.tif 000026
【図１４Ａ】
0006464493.tif 000027
【図１４Ｂ】
0006464493.tif 000028
【図１４Ｃ】
0006464493.tif 000029
【図１５】
0006464493.tif 000030
【図１６】
0006464493.tif 000031
【図１７Ａ】
0006464493.tif 000032
【図１７Ｂ】
0006464493.tif 000033
【図１８Ａ】
0006464493.tif 000034
【図１８Ｂ】
0006464493.tif 000035
【図１９Ａ】
0006464493.tif 000036
【図１９Ｂ】
0006464493.tif 000037
【図２０Ａ】
0006464493.tif 000038
【図２０Ｂ】
0006464493.tif 000039
【図２０Ｃ】
0006464493.tif 000040
【図２０Ｄ】
0006464493.tif 000041
【図２１】
0006464493.tif 000042
【図２２Ａ】
0006464493.tif 000043
【図２２Ｂ】
0006464493.tif 000044
【図２２Ｃ】
0006464493.tif 000045
【図２３】
0006464493.tif 000046
【図２４】
0006464493.tif 000047
【図２５Ａ】
0006464493.tif 000048
【図２５Ｂ】
0006464493.tif 000049
【図２６Ａ】
0006464493.tif 000050
【図２６Ｂ】
0006464493.tif 000051
【図２６Ｃ】
0006464493.tif 000052
【図２７】
0006464493.tif 000053
【図２８】
0006464493.tif 000054